(57)【特許請求の範囲】
【請求項１】
複数の情報データからなるコンテンツデータとしての第１の情報信号を複数の情報データからなる第２の情報信号に変換するコンテンツデータ処理装置であって、
上記第１の情報信号に基づいて、上記第２の情報信号における注目位置の周辺に位置する複数の上記第１の情報信号の情報データを選択するデータ選択手段と、
上記データ選択手段で選択された複数の上記第１の情報信号の情報データに基づいて、上記第２の情報信号における注目位置の情報データが属するクラスを検出するクラス検出手段と、
上記第２の情報信号によって得られる出力の質を定めるパラメータの値を取得するパラメータ取得手段と、
上記クラス検出手段で検出されたクラスおよび上記パラメータ取得手段で取得された上記パラメータの値に対応して、上記第２の情報信号における注目位置の情報データを生成する情報データ生成手段と、
上記取得手段により取得された上記パラメータの値および過去に取得された所定数の上記パラメータの値における度数の平均値を求めて記憶する記憶手段と、
上記記憶手段により記憶された度数の平均値に基づいて、上記パラメータの値の取り得る範囲を設定する設定手段と
を備え、
上記パラメータ取得手段は、上記設定手段で設定された範囲内の上記パラメータの値を取得する
コンテンツデータ処理装置。
【請求項２】
複数の情報データからなるコンテンツデータとしての第１の情報信号を複数の情報データからなる第２の情報信号に変換するコンテンツデータ処理装置のコンテンツデータ処理方法であって、
データ選択手段が、上記第１の情報信号に基づいて、上記第２の情報信号における注目位置の周辺に位置する複数の上記第１の情報信号の情報データを選択し、
クラス検出手段が、上記データ選択手段で選択された複数の上記第１の情報信号の情報データに基づいて、上記第２の情報信号における注目位置の情報データが属するクラスを検出し、
パラメータ取得手段が、上記第２の情報信号によって得られる出力の質を定めるパラメータの値を取得し、
情報データ生成手段が、上記クラス検出手段で検出されたクラスおよび上記パラメータ取得手段で取得された上記パラメータの値に対応して、上記第２の情報信号における注目位置の情報データを生成し、
記憶手段が、上記取得手段により取得された上記パラメータの値および過去に取得された所定数の上記パラメータの値における度数の平均値を求めて記憶し、
設定手段が、上記記憶手段により記憶された度数の平均値に基づいて、上記パラメータの値の取り得る範囲を設定し、
上記パラメータ取得手段が、上記設定手段で設定された範囲内の上記パラメータの値を取得する
コンテンツデータ処理方法。
【請求項３】
複数の情報データからなるコンテンツデータとしての第１の情報信号を複数の情報データからなる第２の情報信号に変換するコンテンツデータ処理装置を制御するコンピュータを、
上記第１の情報信号に基づいて、上記第２の情報信号における注目位置の周辺に位置する複数の上記第１の情報信号の情報データを選択するデータ選択手段と、
上記データ選択手段で選択された複数の上記第１の情報信号の情報データに基づいて、上記第２の情報信号における注目位置の情報データが属するクラスを検出するクラス検出手段と、
上記第２の情報信号によって得られる出力の質を定めるパラメータの値を取得するパラメータ取得手段と、
上記クラス検出手段で検出されたクラスおよび上記パラメータ取得手段で取得された上記パラメータの値に対応して、上記第２の情報信号における注目位置の情報データを生成する情報データ生成手段と、
上記取得手段により取得された上記パラメータの値および過去に取得された所定数の上記パラメータの値における度数の平均値を求めて記憶する記憶手段と、
上記記憶手段により記憶された度数の平均値に基づいて、上記パラメータの値の取り得る範囲を設定する設定手段と
して機能させるプログラムであって、
上記パラメータ取得手段は、上記設定手段で設定された範囲内の上記パラメータの値を取得する
プログラム。
【請求項４】
複数の情報データからなるコンテンツデータとしての第１の情報信号を複数の情報データからなる第２の情報信号に変換するコンテンツデータ処理装置を制御するコンピュータを、
上記第１の情報信号に基づいて、上記第２の情報信号における注目位置の周辺に位置する複数の上記第１の情報信号の情報データを選択するデータ選択手段と、
上記データ選択手段で選択された複数の上記第１の情報信号の情報データに基づいて、上記第２の情報信号における注目位置の情報データが属するクラスを検出するクラス検出手段と、
上記第２の情報信号によって得られる出力の質を定めるパラメータの値を取得するパラメータ取得手段と、
上記クラス検出手段で検出されたクラスおよび上記パラメータ取得手段で取得された上記パラメータの値に対応して、上記第２の情報信号における注目位置の情報データを生成する情報データ生成手段と、
上記取得手段により取得された上記パラメータの値および過去に取得された所定数の上記パラメータの値における度数の平均値を求めて記憶する記憶手段と、
上記記憶手段により記憶された度数の平均値に基づいて、上記パラメータの値の取り得る範囲を設定する設定手段と
して機能させるプログラムであって、
上記パラメータ取得手段は、上記設定手段で設定された範囲内の上記パラメータの値を取得する
プログラムを記録したコンピュータ読み取り可能な媒体。
【発明の詳細な説明】
【技術分野】
【０００１】
この発明は、受信装置等に適用して好適なコンテンツデータの処理装置および処理方法、並びにその方法を実行するためのプログラムおよびそのプログラムを記録したコンピュータ読み取り可能な媒体に関するものである。詳しくは、コンテンツデータの処理を行う処理手段を備え、少なくとも、他のコンテンツデータの処理装置の記憶手段に格納されたパラメータに関連する情報に基づいてコンテンツデータの処理を行うことで、ユーザの嗜好に合わせた処理が可能となるようにしたものである。
【背景技術】
【０００２】
近年、オーディオ・ビジュアル指向の高まりから、より高解像度の画像を得ることができるようなテレビ受信機の開発が望まれ、この要望に応えて、いわゆるハイビジョンが開発された。ハイビジョンの走査線は、ＮＴＳＣ方式の走査線数が５２５本であるのに対して、２倍以上の１１２５本である。また、ハイビジョンの縦横比は、ＮＴＳＣ方式の縦横比が３：４であるのに対して、９：１６となっている。このため、ハイビジョンでは、ＮＴＳＣ方式に比べて、高解像度で臨場感のある画像を表示することができる。
【０００３】
ハイビジョンはこのように優れた特性を有するが、ＮＴＳＣ方式のビデオ信号をそのまま供給しても、ハイビジョンによる画像表示を行うことはできない。これは、上述のようにＮＴＳＣ方式とハイビジョンとでは規格が異なるからである。
【０００４】
そこで、本出願人は、先に、ＮＴＳＣ方式のビデオ信号に応じた画像をハイビジョン方式で表示するため、ＮＴＳＣ方式のビデオ信号をハイビジョンのビデオ信号に変換するための変換装置を提案した（特許文献１）。この変換装置では、ＮＴＳＣ方式のビデオ信号から、ハイビジョンのビデオ信号の注目位置の画素データに対応するブロック（領域）の画素データを抽出し、このブロックの画素データのレベル分布パターンに基づいて、上述の注目位置の画素データの属するクラスを決定し、このクラスに対応して、上述の注目位置の画素データを生成するようになっている。
【０００５】
また従来、例えばＶＴＲ(Video Tape Recorder)等の記録機を使用した放送番組の記録予約は、ユーザが、新聞やＥＰＧ(Electronic Program Guide)による番組表を参照して所望の番組を見つけ、記録機に対して当該番組の予約操作を行うことで行われる。
【０００６】
【特許文献１】特開平８−５１５９９号公報（第４頁  図１）
【特許文献２】特開２００１−２３８１８５号公報（第４頁  図１）
【特許文献３】特願２０００−３４８７３０号公報（第２頁  図１）
【発明の開示】
【発明が解決しようとする課題】
【０００７】
上述した変換装置においては、ハイビジョンのビデオ信号による画像の解像度は固定されており、従来のコントラストやシャープネス等の調整のように、画像内容等に応じて、ユーザの好みの解像度とすることができなかった。
【０００８】
そこで、本出願人は、さらに、ＮＴＳＣ方式のビデオ信号をハイビジョンのビデオ信号に変換する際に、入力されるパラメータの値に対応してハイビジョンのビデオ信号を生成し、当該ハイビジョンのビデオ信号によって得られる画像の解像度をユーザが自由に調整し得るものを提案した（特許文献２及び特許文献３）。
【０００９】
この場合、ユーザは画像の解像度を自由に調整し得るが、その調整範囲は固定であり、例えばその調整範囲の一端側を中心とした調整を行うユーザにとっては、充分な調整範囲が確保されているとはいえない。すなわち、ユーザの嗜好に合わせた調整が可能となるようにすることが望まれる。
【００１０】
また、上述した従来の記録予約では、ユーザが予約操作をしない番組は、記録されないことになる。つまり、ユーザの嗜好に合う番組があったとしても、ユーザが番組表からその番組を見つけることができなければ記録予約を行うことができない。この場合、ユーザの嗜好に合う番組があった場合には、自動的に予約されて記録されていれば便利である。あるいは、ユーザの嗜好に合う番組があった場合、ユーザにその番組をレコメンドしてくれれば便利である。
【００１１】
この発明の目的は、ユーザの嗜好に合わせた処理が可能となるようにしたコンテンツデータの処理装置および処理方法、並びにその方法を実行するためのプログラムおよびそのプログラムを記録したコンピュータ読み取り可能な媒体を提供することにある。
【課題を解決するための手段】
【００１２】
本発明に係る請求項１に記載のコンテンツデータ処理装置は、複数の情報データからなるコンテンツデータとしての第１の情報信号を複数の情報データからなる第２の情報信号に変換するコンテンツデータ処理装置であって、上記第１の情報信号に基づいて、上記第２の情報信号における注目位置の周辺に位置する複数の上記第１の情報信号の情報データを選択するデータ選択手段と、上記データ選択手段で選択された複数の上記第１の情報信号の情報データに基づいて、上記第２の情報信号における注目位置の情報データが属するクラスを検出するクラス検出手段と、上記第２の情報信号によって得られる出力の質を定めるパラメータの値を取得するパラメータ取得手段と、上記クラス検出手段で検出されたクラスおよび上記パラメータ取得手段で取得された上記パラメータの値に対応して、上記第２の情報信号における注目位置の情報データを生成する情報データ生成手段と、上記取得手段により取得された上記パラメータの値および過去に取得された所定数の上記パラメータの値における度数の平均値を求めて記憶する記憶手段と、上記記憶手段により記憶された度数の平均値に基づいて、上記パラメータの値の取り得る範囲を設定する設定手段とを備え、上記パラメータ取得手段は、上記設定手段で設定された範囲内の上記パラメータの値を取得するものである。
【００１３】
本発明に係るコンテンツデータ処理装置によれば、データ選択手段は、第１の情報信号に基づいて、第２の情報信号における注目位置の周辺に位置する複数の第１の情報信号の情報データを選択する。クラス検出手段は、データ選択手段で選択された複数の第１の情報信号の情報データに基づいて、第２の情報信号における注目位置の情報データが属するクラスを検出する。パラメータ取得手段は、第２の情報信号によって得られる出力の質を定めるパラメータの値を取得する。情報データ生成手段は、クラス検出手段で検出されたクラスおよびパラメータ取得手段で取得されたパラメータの値に対応して、第２の情報信号における注目位置の情報データを生成する。記憶手段は、取得手段により取得されたパラメータの値および過去に取得された所定数のパラメータの値における度数の平均値を求めて記憶する。設定手段は、記憶手段により記憶された度数の平均値に基づいて、パラメータの値の取り得る範囲を設定する。この例で、パラメータ取得手段は、設定手段で設定された範囲内のパラメータの値を取得する。従って、より多くのパラメータに関連する情報に基づいてユーザの嗜好に合わせた処理を行えるようになる。
【００１４】
本発明に係る請求項２に記載のコンテンツデータ処理方法は、データ選択手段が、第１の情報信号に基づいて、第２の情報信号における注目位置の周辺に位置する複数の第１の情報信号の情報データを選択し、クラス検出手段が、データ選択手段で選択された複数の第１の情報信号の情報データに基づいて、第２の情報信号における注目位置の情報データが属するクラスを検出し、パラメータ取得手段が、第２の情報信号によって得られる出力の質を定めるパラメータの値を取得し、情報データ生成手段が、クラス検出手段で検出されたクラスおよびパラメータ取得手段で取得されたパラメータの値に対応して、第２の情報信号における注目位置の情報データを生成し、記憶手段が、取得手段により取得されたパラメータの値および過去に取得された所定数のパラメータの値における度数の平均値を求めて記憶し、設定手段が、記憶手段により記憶された度数の平均値に基づいて、パラメータの値の取り得る範囲を設定し、パラメータ取得手段は、設定手段で設定された範囲内のパラメータの値を取得するものである。
【００１５】
本発明に係る請求項３に記載のプログラムは、上述のコンテンツデータ処理方法をコンピュータに実行させるためのものである。本発明に係る請求項４に記載のコンピュータ読み取り可能な媒体は、上述のコンテンツデータ処理方法をコンピュータに実行させるためのプログラムを記録したものである。
【発明の効果】
【００１６】
本発明に係るコンテンツデータの処理装置及び処理方法によれば、第１の情報信号に基づいて、第２の情報信号における注目位置の周辺に位置する複数の第１の情報信号の情報データを選択し、選択された複数の第１の情報信号の情報データに基づいて、第２の情報信号における注目位置の情報データが属するクラスを検出し、第２の情報信号によって得られる出力の質を定めるパラメータの値を取得し、検出されたクラスおよび取得されたパラメータの値に対応して、第２の情報信号における注目位置の情報データを生成し、取得されたパラメータの値および過去に取得された所定数のパラメータの値における度数の平均値を求めて記憶し、記憶された度数の平均値に基づいて、パラメータの値の取り得る範囲を設定し、設定された範囲内のパラメータの値を取得するものである。従って、ユーザの嗜好に合わせた処理を行えるようになる。
【００１７】
本発明に係るプログラムによれば、第１の情報信号に基づいて、第２の情報信号における注目位置の周辺に位置する複数の第１の情報信号の情報データを選択し、選択された複数の第１の情報信号の情報データに基づいて、第２の情報信号における注目位置の情報データが属するクラスを検出し、第２の情報信号によって得られる出力の質を定めるパラメータの値を取得し、検出されたクラスおよび取得されたパラメータの値に対応して、第２の情報信号における注目位置の情報データを生成し、取得されたパラメータの値および過去に取得された所定数のパラメータの値における度数の平均値を求めて記憶し、記憶された度数の平均値に基づいて、パラメータの値の取り得る範囲を設定し、設定された範囲内のパラメータの値を取得する処理をコンピュータに実行させるものである。従って、ユーザの嗜好に合わせた処理を行えるようになる。
【００１８】
本発明に係るコンピュータ読み取り可能な媒体によれば、第１の情報信号に基づいて、第２の情報信号における注目位置の周辺に位置する複数の第１の情報信号の情報データを選択し、選択された複数の第１の情報信号の情報データに基づいて、第２の情報信号における注目位置の情報データが属するクラスを検出し、第２の情報信号によって得られる出力の質を定めるパラメータの値を取得し、検出されたクラスおよび取得されたパラメータの値に対応して、第２の情報信号における注目位置の情報データを生成し、取得されたパラメータの値および過去に取得された所定数のパラメータの値における度数の平均値を求めて記憶し、記憶された度数の平均値に基づいて、パラメータの値の取り得る範囲を設定し、設定された範囲内のパラメータの値を取得する処理をコンピュータに実行させるためのプログラムを記録したものである。この媒体からプログラムを読み出して実行することで、より多くのパラメータに関連する情報に基づいてユーザの嗜好に合わせた処理を行えるようになる。
【発明を実施するための最良の形態】
【００１９】
以下、図面を参照しながら、この発明の実施の形態について説明する。図１は、実施の形態としてのテレビ受信機１００の構成を示している。このテレビ受信機１００は、放送信号より５２５ｉ信号というＳＤ(Standard Definition)信号を得、この５２５ｉ信号を１０５０ｉ信号というＨＤ(High Definition)信号に変換し、そのＨＤ信号による画像を表示するものである。
【００２０】
図２は、５２５ｉ信号および１０５０ｉ信号のあるフレーム（Ｆ）の画素位置関係を示すものであり、奇数（ｏ）フィールドの画素位置を実線で示し、偶数（ｅ）フィールドの画素位置を破線で示している。大きなドットが５２５ｉ信号の画素であり、小さいドットが１０５０ｉ信号の画素である。図２から分かるように、１０５０ｉ信号の画素データとしては、５２５ｉ信号のラインに近い位置のラインデータＬ１，Ｌ１′と、５２５ｉ信号のラインから遠い位置のラインデータＬ２，Ｌ２′とが存在する。ここで、Ｌ１，Ｌ２は奇数フィールドのラインデータ、Ｌ１′，Ｌ２′は偶数フィールドのラインデータである。また、１０５０ｉ信号の各ラインの画素数は、５２５ｉ信号の各ラインの画素数の２倍である。
【００２１】
図１に戻って、テレビ受信機１００は、マイクロコンピュータを備え、システム全体の動作を制御するためのシステムコントローラ１０１と、リモートコントロール信号を受信するリモコン信号受信回路１０２とを有している。リモコン信号受信回路１０２は、システムコントローラ１０１に接続され、リモコン送信機２００よりユーザの操作に応じて出力されるリモートコントロール信号ＲＭを受信し、その信号ＲＭに対応する操作信号をシステムコントローラ１０１に供給するように構成されている。
【００２２】
また、テレビ受信機１００は、受信アンテナ１０５と、この受信アンテナ１０５で捕らえられた放送信号（ＲＦ変調信号）が供給され、選局処理、中間周波増幅処理、検波処理等を行って上述したＳＤ信号（５２５ｉ信号）を得るチューナ１０６と、このチューナ１０６より出力されるＳＤ信号を一時的に保存するためのバッファメモリ１０９とを有している。
【００２３】
また、テレビ受信機１００は、バッファメモリ１０９に一時的に保存されるＳＤ信号（５２５ｉ信号）を、ＨＤ信号（１０５０ｉ信号）に変換する画像信号処理部１１０と、この画像信号処理部１１０より出力されるＨＤ信号による画像を表示するディスプレイ部１１１と、このディスプレイ部１１１の画面上に文字図形などの表示を行うための表示信号ＳＣＨを発生させるためのＯＳＤ(On Screen Display)回路１１２と、その表示信号ＳＣＨを上述した画像信号処理部１１０から出力されるＨＤ信号に合成してディスプレイ部１１１に供給するための合成器１１３とを有している。ディスプレイ部１１１は、例えばＣＲＴ（cathode-ray tube)ディスプレイ、あるいはＬＣＤ（liquid crystal display）等のフラットパネルディスプレイで構成されている。
【００２４】
図１に示すテレビ受信機１００の動作を説明する。
【００２５】
チューナ１０６より出力されるＳＤ信号（５２５ｉ信号）は、バッファメモリ１０９に供給されて一時的に保存される。そして、このバッファメモリ１０９に一時的に記憶されたＳＤ信号は画像信号処理部１１０に供給され、ＨＤ信号（１０５０ｉ信号）に変換される。すなわち、画像信号処理部１１０では、ＳＤ信号を構成する画素データ（以下、「ＳＤ画素データ」という）から、ＨＤ信号を構成する画素データ（以下、「ＨＤ画素データ」という）が得られる。この画像信号処理部１１０より出力されるＨＤ信号はディスプレイ部１１１に供給され、このディスプレイ部１１１の画面上にはそのＨＤ信号による画像が表示される。
【００２６】
ユーザは、リモコン送信機２００の操作によって、上述したようにディスプレイ部１１１の画面上に表示される画像の空間方向および時間方向の解像度を調整できる。画像信号処理部１１０では、後述するように、ＨＤ画素データが推定式によって算出されるが、この推定式の係数データとして、ユーザのリモコン送信機２００の操作によって調整された、空間方向、時間方向の解像度を定めるパラメータｓ，ｚに対応したものが、これらパラメータｓ，ｚを含む生成式によって生成されて使用される。これにより、画像信号処理部１１０より出力されるＨＤ信号による画像の空間方向、時間方向の解像度は、調整されたパラメータｓ，ｚに対応したものとなる。
【００２７】
図３は、パラメータｓ，ｚを調整するためのユーザインタフェースの一例を示している。調整時には、ディスプレイ部１１１に、パラメータｓ，ｚの調整位置を☆印のアイコン１１５ａで示した調整画面１１５が、ＯＳＤ表示される。また、リモコン送信機２００は、ユーザ操作手段としてのジョイスティック２００ａを備えている。
【００２８】
ユーザは、ジョイスティック２００ａを操作することで、調整画面１１５上でアイコン１１５ａの位置を動かすことができ、空間方向、時間方向の解像度を決定するパラメータｓ，ｚの値を調整できる。図４は、調整画面１１５の部分を拡大して示している。アイコン１１５ａが左右に動かされることで時間方向の解像度（時間解像度）を決定するパラメータｚの値が調整され、一方アイコン１１５ａが上下に動かされることで空間方向の解像度（空間解像度）を決定するパラメータｓの値が調整される。ユーザは、ディスプレイ部１１１に表示される調整画面１１５を参照してパラメータｓ，ｚの値を調整でき、その調整を容易に行うことができる。
【００２９】
なお、リモコン送信機２００は、ジョイスティック２００ａの代わりに、マウスやトラックボール等のその他のポインティングデバイスを備えていてもよい。さらに、ユーザによって調整されたパラメータｓ，ｚの値を、調整画面１１５上に数値表示してもよい。
【００３０】
次に、画像信号処理部１１０の詳細を説明する。
【００３１】
画像信号処理部１１０は、バッファメモリ１０９に記憶されているＳＤ信号（５２５ｉ信号）より、ＨＤ信号（１０５０ｉ信号）における注目位置の周辺に位置する複数のＳＤ画素のデータを選択的に取り出して出力する第１〜第３のタップ選択回路１２１〜１２３を有している。
【００３２】
第１のタップ選択回路１２１は、予測に使用するＳＤ画素（「予測タップ」と称する）のデータを選択的に取り出すものである。第２のタップ選択回路１２２は、ＳＤ画素データのレベル分布パターンに対応するクラス分類に使用するＳＤ画素（「空間クラスタップ」と称する）のデータを選択的に取り出すものである。第３のタップ選択回路１２３は、動きに対応するクラス分類に使用するＳＤ画素（「動きクラスタップ」と称する）のデータを選択的に取り出するものである。なお、空間クラスを複数フィールドに属するＳＤ画素データを使用して決定する場合には、この空間クラスにも動き情報が含まれることになる。
【００３３】
また、画像信号処理部１１０は、第２のタップ選択回路１２２で選択的に取り出される空間クラスタップのデータ（ＳＤ画素データ）のレベル分布パターンを検出し、このレベル分布パターンに基づいて空間クラスを検出し、そのクラス情報を出力する空間クラス検出回路１２４を有している。
【００３４】
空間クラス検出回路１２４では、例えば、各ＳＤ画素データを、８ビットデータから２ビットデータに圧縮するような演算が行われる。そして、空間クラス検出回路１２４からは、各ＳＤ画素データに対応した圧縮データが空間クラスのクラス情報として出力される。本実施の形態においては、ＡＤＲＣ（Adaptive Dynamic Range Coding）によって、データ圧縮が行われる。なお、情報圧縮手段としては、ＡＤＲＣ以外にＤＰＣＭ（予測符号化）、ＶＱ（ベクトル量子化）等を用いてもよい。
【００３５】
本来、ＡＤＲＣは、ＶＴＲ（Video Tape Recorder）向け高性能符号化用に開発された適応再量子化法であるが、信号レベルの局所的なパターンを短い語長で効率的に表現できるので、上述したデータ圧縮に使用して好適なものである。ＡＤＲＣを使用する場合、空間クラスタップのデータ（ＳＤ画素データ）の最大値をＭＡＸ、その最小値をＭＩＮ、空間クラスタップのデータのダイナミックレンジをＤＲ（＝ＭＡＸ−ＭＩＮ＋１）、再量子化ビット数をＰとすると、空間クラスタップのデータとしての各ＳＤ画素データｋｉに対して、（１）式の演算により、圧縮データとしての再量子化コードｑｉが得られる。ただし、（１）式において、[  ]は切り捨て処理を意味している。空間クラスタップのデータとして、Ｎａ個のＳＤ画素データがあるとき、ｉ＝１〜Ｎａである。
【００３６】
ｑｉ＝［（ｋｉ−ＭＩＮ＋０．５）．２P／ＤＲ］      ・・・（１）
また、画像信号処理部１１０は、第３のタップ選択回路１２３で選択的に取り出される動きクラスタップのデータ（ＳＤ画素データ）より、主に動きの程度を表すための動きクラスを検出し、そのクラス情報を出力する動きクラス検出回路１２５を有している。
【００３７】
この動きクラス検出回路１２５では、第３のタップ選択回路１２３で選択的に取り出される動きクラスタップのデータ（ＳＤ画素データ）ｍｉ，ｎｉからフレーム間差分が算出され、さらにその差分の絶対値の平均値に対してしきい値処理が行われて動きの指標である動きクラスが検出される。すなわち、動きクラス検出回路１２５では、（２）式によって、差分の絶対値の平均値ＡＶが算出される。第３のタップ選択回路１２３で、例えば上述したように１２個のＳＤ画素データｍ１〜ｍ６，ｎ１〜ｎ６が取り出されるとき、（２）式におけるＮｂは６である。
【００３８】
【数１】
0004462244.tif 000002
【００３９】
そして、動きクラス検出回路１２５では、上述したように算出された平均値ＡＶが１個または複数個のしきい値と比較されて動きクラスのクラス情報ＭＶが得られる。例えば、３個のしきい値ｔｈ１，ｔｈ２，ｔｈ３（ｔｈ１＜ｔｈ２＜ｔｈ３）が用意され、４つの動きクラスを検出する場合、ＡＶ≦ｔｈ１のときはＭＶ＝０、ｔｈ１＜ＡＶ≦ｔｈ２のときはＭＶ＝１、ｔｈ２＜ＡＶ≦ｔｈ３のときはＭＶ＝２、ｔｈ３＜ＡＶのときはＭＶ＝３とされる。
【００４０】
また、画像信号処理部１１０は、空間クラス検出回路１２４より出力される空間クラスのクラス情報としての再量子化コードｑｉと、動きクラス検出回路１２５より出力される動きクラスのクラス情報ＭＶに基づき、作成すべきＨＤ信号（１０５０ｉ信号）の画素データ（注目位置の画素データ）が属するクラスを示すクラスコードＣＬを得るためのクラス合成回路１２６を有している。
【００４１】
このクラス合成回路１２６では、（３）式によって、クラスコードＣＬの演算が行われる。なお、（３）式において、Ｎａは空間クラスタップのデータ（ＳＤ画素データ）の個数、ＰはＡＤＲＣにおける再量子化ビット数を示している。
【００４２】
【数２】
0004462244.tif 000003
【００４３】
また、画像信号処理部１１０は、係数メモリ１３４を有している。この係数メモリ１３４は、後述する推定予測演算回路１２７で使用される推定式で用いられる複数の係数データＷｉを、クラス毎に、格納するものである。この係数データＷｉは、ＳＤ信号（５２５ｉ信号）を、ＨＤ信号（１０５０ｉ信号）に変換するための情報である。係数メモリ１３４には上述したクラス合成回路１２６より出力されるクラスコードＣＬが読み出しアドレス情報として供給され、この係数メモリ１３４からはクラスコードＣＬに対応した推定式の係数データＷｉ（ｉ＝１〜ｎ）が読み出され、推定予測演算回路１２７に供給される。
【００４４】
また、画像信号処理部１１０は、情報メモリバンク１３５を有している。後述する推定予測演算回路１２７では、予測タップのデータ（ＳＤ画素データ）ｘｉと、係数メモリ１３４より読み出される係数データＷｉとから、（４）式の推定式によって、作成すべきＨＤ画素データｙが演算される。（４）式のｎは、第１のタップ選択回路１２１で選択される予測タップの数を表している。
【００４５】
ここで、タップ選択回路１２１で選択的に取り出される予測タップのｎ個の画素データの位置は、ＨＤ信号における注目位置に対して、空間方向（水平、垂直の方向）および時間方向に亘っている。
【００４６】
【数３】
0004462244.tif 000004
【００４７】
そして、推定式の係数データＷｉ（ｉ＝１〜ｎ）は、（５）式に示すように、パラメータｓ，ｚを含む生成式によって生成される。情報メモリバンク１３５には、この生成式における係数データである係数種データｗ10〜ｗn9が、クラス毎に、格納されている。この係数種データの生成方法については後述する。
【００４８】
【数４】
0004462244.tif 000005
【００４９】
上述したように、５２５ｉ信号を１０５０ｉ信号に変換する場合、奇数、偶数のそれぞれのフィールドにおいて、５２５ｉ信号の１画素に対応して１０５０ｉ信号の４画素を得る必要がある。この場合、奇数、偶数のそれぞれのフィールドにおける１０５０ｉ信号を構成する２×２の単位画素ブロック内の４画素は、それぞれ中心予測タップに対して異なる位相ずれを持っている。
【００５０】
図５は、奇数フィールドにおける１０５０ｉ信号を構成する２×２の単位画素ブロック内の４画素ＨＤ1〜ＨＤ4における中心予測タップＳＤ0からの位相ずれを示している。ここで、ＨＤ1〜ＨＤ4の位置は、それぞれ、ＳＤ0の位置から水平方向にｋ1〜ｋ4、垂直方向にｍ1〜ｍ4だけずれている。
【００５１】
図６は、偶数フィールドにおける１０５０ｉ信号を構成する２×２の単位画素ブロック内の４画素ＨＤ1′〜ＨＤ4′における中心予測タップＳＤ0′からの位相ずれを示している。ここで、ＨＤ1′〜ＨＤ4′の位置は、それぞれ、ＳＤ0′の位置から水平方向にｋ1′〜ｋ4′、垂直方向にｍ1′〜ｍ4′だけずれている。
【００５２】
したがって、上述した情報メモリバンク１３５には、クラスおよび出力画素（ＨＤ1〜ＨＤ4，ＨＤ1′〜ＨＤ4′）の組み合わせ毎に、係数種データｗ10〜ｗn9が格納されている。
【００５３】
また、画像信号処理部１１０は、各クラスの係数種データおよびパラメータｓ，ｚの値とを用い、（５）式によって、クラス毎に、パラメータｓ，ｚの値に対応した推定式の係数データＷｉ（ｉ＝１〜ｎ）を生成する係数生成回路１３６を有している。この係数生成回路１３６には、情報メモリバンク１３５より、上述した各クラスの係数種データがロードされる。また、この係数生成回路１３６には、システムコントローラ１０１より、パラメータｓ，ｚの値が供給される。
【００５４】
この係数生成回路１３６で生成される各クラスの係数データＷｉ（ｉ＝１〜ｎ）は、上述した係数メモリ１３４に格納される。この係数生成回路１３６における各クラスの係数データＷｉの生成は、例えば各垂直ブランキング期間で行われる。これにより、ユーザのリモコン送信機２００の操作によってパラメータｓ，ｚの値が変更されても、係数メモリ１３４に格納される各クラスの係数データＷｉを、そのパラメータｓ，ｚの値に対応したものに即座に変更でき、ユーザによる解像度の調整がスムーズに行われる。
【００５５】
また、画像信号処理部１１０は、係数生成回路１３６で求められる係数データＷｉ（ｉ＝１〜ｎ）に対応した正規化係数Ｓを、（６）式によって、演算する正規化係数演算部１３７と、この正規化係数Ｓを格納する正規化係数メモリ１３８とを有している。正規化係数メモリ１３８には上述したクラス合成回路１２６より出力されるクラスコードＣＬが読み出しアドレス情報として供給され、この正規化係数メモリ１３８からはクラスコードＣＬに対応した正規化係数Ｓが読み出され、後述する正規化演算回路１２８に供給される。
【００５６】
【数５】
0004462244.tif 000006
【００５７】
また、画像信号処理部１１０は、第１のタップ選択回路１２１で選択的に取り出される予測タップのデータ（ＳＤ画素データ）ｘｉと、係数メモリ１３４より読み出される係数データＷｉとから、（４）式の推定式によって、作成すべきＨＤ信号の画素データ（注目位置の画素データ）を演算する推定予測演算回路１２７を有している。
【００５８】
上述したように、ＳＤ信号（５２５ｉ信号）をＨＤ信号（１０５０ｉ信号）に変換する際には、ＳＤ信号の１画素に対してＨＤ信号の４画素（図５のＨＤ1〜ＨＤ4、図６のＨＤ1′〜ＨＤ4′参照）を得る必要があることから、この推定予測演算回路１２７では、ＨＤ信号を構成する２×２の単位画素ブロック毎に、画素データが生成される。すなわち、この推定予測演算回路１２７には、第１のタップ選択回路１２１より単位画素ブロック内の４画素（注目画素）に対応した予測タップのデータｘｉと、係数メモリ１３４よりその単位画素ブロックを構成する４画素に対応した係数データＷｉとが供給され、単位画素ブロックを構成する４画素のデータｙ1〜ｙ4は、それぞれ個別に上述した（４）式の推定式で演算される。
【００５９】
また、画像信号処理部１１０は、推定予測演算回路１２７より順次出力される４画素のデータｙ1〜ｙ4を、正規化係数メモリ１３８より読み出される、それぞれの演算に使用された係数データＷｉ（ｉ＝１〜ｎ）に対応した正規化係数Ｓで除算して正規化する正規化演算回路１２８を有している。上述したように、係数生成回路１３６で推定式の係数データＷｉを求めるものであるが、求められる係数データは丸め誤差を含み、係数データＷｉ（ｉ＝１〜ｎ）の総和が１．０になることは保証されない。そのため、推定予測演算回路１２７で演算される各画素のデータｙ1〜ｙ4は、丸め誤差によってレベル変動したものとなる。上述したように、正規化演算回路１２８で正規化することで、そのレベル変動を除去できる。
【００６０】
また、画像信号処理部１１０は、正規化演算回路１２８で正規化されて順次供給される単位画素ブロック内の４画素のデータｙ1′〜ｙ4′を線順次化して１０５０ｉ信号のフォーマットで出力する後処理回路１２９を有している。
【００６１】
また、画像信号処理部１１０は、システムコントローラ１０１から係数生成回路１３６に入力されるパラメータｓ，ｚの値の履歴情報を格納する履歴情報記憶部１３０を有している。
【００６２】
図７は、履歴情報記憶部１３０の構成を示している。この履歴情報記憶部１３０は、システムコントローラ１０１から係数生成回路１３６に入力されるパラメータｓ，ｚの値のそれぞれの度数分布の情報を格納する度数分布メモリ１３０ａを備えている。この度数分布メモリ１３０ａには、パラメータｓ，ｚの各値における度数が平均化されて格納される。この度数分布メモリ１３０ａは例えば不揮発性のメモリで構成され、テレビ受信機１００の電源がオフの状態でもその記憶内容が保持されるようになされている。
【００６３】
そのために、履歴情報記憶部１３０は、さらに、パラメータｓ，ｚの値の係数生成回路１３６への入力回数をカウントするカウンタ１３０ｂと、このカウンタ１３０ｂのカウント値に基づいて、パラメータｓ，ｚの値における度数を平均化する平均化部１３０ｃとを備えている。
【００６４】
カウンタ１３０ｂのカウントアップは、システムコントローラ１０１の制御によって行われる。上述したように、ユーザは調整画面１１５上でパラメータｓ，ｚの値を調整し得るが、カウンタ１３０ｂはその調整が終了した時点でカウントアップされる。
【００６５】
平均化部１３０ｃは、入力されたパラメータｓ，ｚの値、カウンタ１３０ｂのカウント値および度数分布メモリ１３０ｃに格納されている前回までのパラメータｓ，ｚの各値における度数の平均値とを用いて、パラメータｓ，ｚの各値における新たな度数の平均値を求める。
【００６６】
この場合、入力回数がＭ、つまりカウンタ１３０ｂのカウント値がＭとなるとき、入力されるパラメータの値における度数に関しては、前回までのそのパラメータにおける度数の平均値をｎM-1とするとき、新たな度数の平均値ｎMは、ｎM＝（（ｎM-1×（Ｍ−１））＋１）／Ｍの演算により求められる。一方、入力回数がＭであるとき、入力されるパラメータの値とは異なるパラメータの値における度数に関しては、前回までのそのパラメータにおける度数の平均値をｎM-1とするとき、新たな度数の平均値ｎMは、ｎM＝（ｎM-1×（Ｍ−１））／Ｍの演算により求められる。
【００６７】
このように、度数分布メモリ１３０に格納するパラメータｓ，ｚの値の度数分布の情報として、パラメータｓ，ｚの各値における度数の平均値を用いることで、オーバーフローを防止できる。
【００６８】
なお、パラメータｓ，ｚの各値における度数の平均値を用いる変わりに、パラメータｓ，ｚの各値における度数を、最大度数によって正規化した値を用いるようにしても、同様にオーバーフローを防止できる。
【００６９】
また、履歴情報記憶部１３０は、システムコントローラ１０１から係数生成回路１３６に入力されるパラメータｓ，ｚの値のうち、所定数、例えば１０個の最新のパラメータｓ，ｚの値を格納する経時変化メモリ１３０ｄを有している。この経時変化メモリ１３０ｄは例えば不揮発性のメモリで構成され、テレビ受信機１００の電源がオフの状態でもその記憶内容が保持されるようになされている。
【００７０】
経時変化メモリ１３０ｄへの書き込み動作は、システムコントローラ１０１の制御によって行われる。上述したように、ユーザは調整画面１１５上でパラメータｓ，ｚの値を調整し得るが、経時変化メモリ１３０ｄには、その調整が終了した時点で、新たなパラメータｓ，ｚの値が書き込まれる。この書き込みに伴って、格納されているパラメータｓ，ｚの値の個数が所定数を越えるときは、最も古いパラメータｓ，ｚの値が削除される。
【００７１】
また、テレビ受信機１００において、画像信号処理部１１０を含む基板は装脱可能に構成され、機能のバージョンアップ等が可能になっている。これにより、履歴情報記憶部１３０は基板と共に装脱されることとなる。なお、この履歴情報記憶部１３０、あるいは度数分布メモリ１３０ａ、経時変化メモリ１３０ｄのみが装脱可能に構成されていてもよい。
【００７２】
次に、画像信号処理部１１０の動作を説明する。
【００７３】
バッファメモリ１０９に記憶されているＳＤ信号（５２５ｉ信号）より、第２のタップ選択回路１２２で、作成すべきＨＤ信号（１０５０ｉ信号）を構成する単位画素ブロック内の４画素（注目位置の画素）の周辺に位置する空間クラスタップのデータ（ＳＤ画素データ）が選択的に取り出される。この第２のタップ選択回路１２２で選択的に取り出される空間クラスタップのデータ（ＳＤ画素データ）は空間クラス検出回路１２４に供給される。この空間クラス検出回路１２４では、空間クラスタップのデータとしての各ＳＤ画素データに対してＡＤＲＣ処理が施されて空間クラス（主に空間内の波形表現のためのクラス分類）のクラス情報としての再量子化コードｑｉが得られる（（１）式参照）。
【００７４】
また、バッファメモリ１０９に記憶されているＳＤ信号（５２５ｉ信号）より、第３のタップ選択回路１２３で、作成すべきＨＤ信号（１０５０ｉ信号）を構成する単位画素ブロック内の４画素（注目位置の画素）の周辺に位置する動きクラスタップのデータ（ＳＤ画素データ）が選択的に取り出される。この第３のタップ選択回路１２３で選択的に取り出される動きクラスタップのデータ（ＳＤ画素データ）は動きクラス検出回路１２５に供給される。この動きクラス検出回路１２５では、動きクラスタップのデータとしての各ＳＤ画素データより動きクラス（主に動きの程度を表すためのクラス分類）のクラス情報ＭＶが得られる。
【００７５】
この動き情報ＭＶと上述した再量子化コードｑｉはクラス合成回路１２６に供給される。このクラス合成回路１２６では、これら動き情報ＭＶと再量子化コードｑｉとから、作成すべきＨＤ信号（１０５０ｉ信号）を構成する単位画素ブロック毎にその単位画素ブロック内の４画素（注目画素）が属するクラスを示すクラスコードＣＬが得られる（（３）式参照）。そして、このクラスコードＣＬは、係数メモリ１３４および正規化係数メモリ１３８に読み出しアドレス情報として供給される。
【００７６】
係数メモリ１３４には、例えば各垂直ブランキング期間に、係数生成回路１３６で、ユーザによって調整されたパラメータｓ，ｚの値に対応して、クラスおよび出力画素（ＨＤ1〜ＨＤ4，ＨＤ1′〜ＨＤ4′）の組み合わせ毎に、係数種データｗ10〜ｗn9を用いて推定式の係数データＷｉ（ｉ＝１〜ｎ）が求められて格納される（（５）式参照）。また、正規化係数メモリ１３８には、上述したように係数生成回路１３６で求められた推定式の係数データＷｉ（ｉ＝１〜ｎ）に対応した正規化係数Ｓが正規化係数演算部１３７で生成されて格納される（（６）式参照）。
【００７７】
係数メモリ１３４に上述したようにクラスコードＣＬが読み出しアドレス情報として供給されることで、この係数メモリ１３４からクラスコードＣＬに対応した４出力画素（奇数フィールドではＨＤ1〜ＨＤ4、偶数フィールドではＨＤ1′〜ＨＤ4′）分の推定式の係数データＷｉが読み出されて推定予測演算回路１２７に供給される。また、バッファメモリ１０９に記憶されているＳＤ信号（５２５ｉ信号）より、第１のタップ選択回路１２１で、作成すべきＨＤ信号（１０５０ｉ信号）を構成する単位画素ブロック内の４画素（注目位置の画素）の周辺に位置する予測タップのデータ（ＳＤ画素データ）が選択的に取り出される。
【００７８】
推定予測演算回路１２７では、予測タップのデータ（ＳＤ画素データ）ｘｉと、係数メモリ１３４より読み出される４出力画素分の係数データＷｉとから、作成すべきＨＤ信号を構成する単位画素ブロック内の４画素（注目位置の画素）のデータｙ1〜ｙ4が演算される（（４）式参照）。そして、この推定予測演算回路１２７より順次出力されるＨＤ信号を構成する単位画素ブロック内の４画素のデータｙ1〜ｙ4は正規化演算回路１２８に供給される。
【００７９】
正規化係数メモリ１３８には上述したようにクラスコードＣＬが読み出しアドレス情報として供給され、この正規化係数メモリ１３８からはクラスコードＣＬに対応した正規化係数Ｓ、つまり推定予測演算回路１２７より出力されるＨＤ画素データｙ1〜ｙ4の演算に使用された係数データＷｉに対応した正規化係数Ｓが読み出されて正規化演算回路１２８に供給される。この正規化演算回路１２８では、推定予測演算回路１２７より出力されるＨＤ画素データｙ1〜ｙ4がそれぞれ対応する正規化係数Ｓで除算されて正規化される。これにより、係数生成回路１３６で係数データＷｉを求める際の丸め誤差によるデータｙ1〜ｙ4のレベル変動が除去される。
【００８０】
このように正規化演算回路１２８で正規化されて順次出力される単位画素ブロック内の４画素のデータｙ1′〜ｙ4′は後処理回路１２９に供給される。この後処理回路１２９では、正規化演算回路１２８より順次供給される単位画素ブロック内の４画素のデータｙ1′〜ｙ4′が線順次化され、１０５０ｉ信号のフォーマットで出力される。つまり、後処理回路１２９からは、ＨＤ信号としての１０５０ｉ信号が出力される。
【００８１】
このように、画像信号処理部１１０では、調整されたパラメータｓ，ｚの値に対応した推定式の係数データＷｉ（ｉ＝１〜ｎ）が使用されて、ＨＤ画素データｙが演算される。したがって、ユーザは、パラメータｓ，ｚの値を調整することで、ＨＤ信号による画像の空間方向および時間方向の解像度を自由に調整できる。また、調整されたパラメータｓ，ｚの値に対応した各クラスの係数データをその都度係数生成回路１３６で生成して使用するものであり、大量の係数データを格納しておくメモリは必要なくなり、メモリの節約を図ることができる。
【００８２】
また、上述したように、ユーザは調整画面１１５上でパラメータｓ，ｚの値を調整できる。履歴情報記憶部１３０の度数分布メモリ１３０ａ（図７参照）には、システムコントローラ１０１から係数生成回路１３６に入力されるパラメータｓ，ｚの値のそれぞれの度数分布の情報が格納される。また、履歴情報記憶部１３０の経時変化メモリ１３０ｄ（図７参照）には、システムコントローラ１０１から係数生成回路１３６に入力されるパラメータｓ，ｚの値のうち、所定数、例えば１０個の最新のパラメータｓ，ｚの値が格納される。
【００８３】
このように、履歴情報記録部１３０の度数分布メモリ１３０ａ、経時変化メモリ１３０ｄに格納される履歴情報は、例えばテレビ受信機１００のバージョンアップ時に画像信号処理部１１０が含まれる基板を取り換える場合において、その情報メモリバンク１３５に格納される係数種データｗ10〜ｗn9を生成する際などに利用される。
【００８４】
次に、係数種データｗ10〜ｗn9の生成方法の一例について説明する。この例においては、上述した（５）式の生成式における係数データである係数種データｗ10〜ｗn9を求める例を示すものとする。
【００８５】
ここで、以下の説明のため、（７）式のように、ｔｉ（ｉ＝０〜９）を定義する。
【００８６】
ｔ0＝１，ｔ1＝ｓ，ｔ2＝ｚ，ｔ3＝ｓ2，ｔ4＝ｓｚ，ｔ5＝ｚ2，
ｔ6＝ｓ3，ｔ7＝ｓ2ｚ，ｔ8＝ｓｚ2，ｔ9＝ｚ3
・・・（７）
この（７）式を用いると、（５）式は、（８）式のように書き換えられる。
【００８７】
【数６】
0004462244.tif 000007
【００８８】
最終的に、学習によって未定係数ｗijを求める。すなわち、クラスおよび出力画素の組み合わせ毎に、複数のＳＤ画素データとＨＤ画素データを用いて、二乗誤差を最小にする係数値を決定する。いわゆる最小二乗法による解法である。学習数をｍ、ｋ（１≦ｋ≦ｍ）番目の学習データにおける残差をｅk、二乗誤差の総和をＥとすると、（４）式および（５）式を用いて、Ｅは（９）式で表される。ここで、ｘikはＳＤ画像のｉ番目の予測タップ位置におけるｋ番目の画素データ、ｙkはそれに対応するｋ番目のＨＤ画像の画素データを表している。
【００８９】
【数７】
0004462244.tif 000008
【００９０】
最小二乗法による解法では、（９）式のｗijによる偏微分が０になるようなｗijを求める。これは、（１０）式で示される。
【００９１】
【数８】
0004462244.tif 000009
【００９２】
以下、（１１）式、（１２）式のように、Ｘipjq、Ｙipを定義すると、（１０）式は、（１３）式のように行列を用いて書き換えられる。
【００９３】
【数９】
0004462244.tif 000010
【００９４】
【数１０】
0004462244.tif 000011
【００９５】
この方程式は一般に正規方程式と呼ばれている。この正規方程式は、掃き出し法（Gauss-Jordanの消去法）等を用いて、ｗijについて解かれ、係数種データが算出される。
【００９６】
図８は、上述した係数種データの生成方法の一例の概念を示している。ＨＤ信号から複数のＳＤ信号を生成する。例えば、ＨＤ信号からＳＤ信号を生成する際に使用するフィルタの空間方向（垂直方向および水平方向）の帯域と時間方向（フレーム方向）の帯域を可変するパラメータｓ，ｚをそれぞれ９段階に可変して、合計８１種類のＳＤ信号を生成している。このようにして生成された複数のＳＤ信号とＨＤ信号との間で学習を行って係数種データを生成する。
【００９７】
図９は、上述したテレビ受信機１００の情報メモリバンク１３５に格納される係数種データｗ10〜ｗn9を生成するための係数種データ生成装置１５０の構成を示している。
【００９８】
この係数種データ生成装置１５０は、教師信号としてのＨＤ信号（１０５０ｉ信号）が入力される入力端子１５１と、このＨＤ信号に対して水平および垂直の間引き処理を行って、生徒信号としてのＳＤ信号を得るＳＤ信号生成回路１５２とを有している。
【００９９】
このＳＤ信号生成回路１５２には、上述したテレビ受信機１００（図１参照）におけるパラメータｓ，ｚの値と対応した、パラメータｓ，ｚの値が入力される。ＳＤ信号生成回路１５２では、このパラメータｓ，ｚに基づいて、ＨＤ信号からＳＤ信号を生成する際に用いられる帯域制限フィルタの、空間方向および時間方向の帯域が可変される。
【０１００】
また、このＳＤ信号生成回路１５２には、上述したテレビ受信機１００の履歴情報記憶部１３０の度数分布メモリ１３０ａ、経時変化メモリ１３０ｄに格納されている、入力されたパラメータｓ，ｚの値の履歴情報が入力される。
【０１０１】
なお、使用開始前のテレビ受信機１００の情報メモリバンク１３５に格納される係数種データｗ10〜ｗn9を生成する際には、いまだ履歴情報記憶部１３０の度数分布メモリ１３０ａ、経時変化メモリ１３０ｄに履歴情報が格納されていないので、ＳＤ信号生成回路１５２に履歴情報は入力されない。
【０１０２】
つまり、ＳＤ信号生成回路１５２に履歴情報が入力されるのは、例えばテレビ受信機１００のバージョンアップ時に画像信号処理部１１０が含まれる基板を取り換える場合であって、その情報メモリバンク１３５に格納される係数種データｗ10〜ｗn9を生成する際などである。
【０１０３】
ＳＤ信号生成回路１５２では、履歴情報に基づいて、入力されたパラメータｓ，ｚの値が調整され、この調整されたパラメータｓ，ｚの値に応じて、上述したように空間方向および時間方向の帯域が可変される。履歴情報の入力がないときは、入力されたパラメータｓ，ｚの値そのものに応じて、上述したように空間方向および時間方向の帯域が可変される。
【０１０４】
ここで、上述のテレビ受信機１００では、ユーザの操作によってパラメータｓ，ｚの値が、例えばそれぞれ０〜８の範囲内で、所定のステップをもって調整され、空間方向および時間方向の解像度の調整が行われる。
【０１０５】
この場合、ＳＤ信号生成回路１５２において入力されるパラメータｓ，ｚの値そのものに応じて空間方向および時間方向の帯域が可変される場合、テレビ受信機１００では図１０に実線枠ＢＦで示す範囲（空間解像度はｙ1〜ｙ2、時間解像度はｘ1〜ｘ2）内で解像度の調整を行い得るように、係数種データｗ10〜ｗn9が生成される。
【０１０６】
履歴情報が入力される場合、ＳＤ信号生成回路１５２では、パラメータｓ，ｚの値のそれぞれにおける度数分布の情報が用いられて重心位置が求められる。この場合、所定数の最新のパラメータｓ，ｚの値に対応する値で新しいほど大きな重み付けがされる。そして、ＳＤ信号生成回路１５２では、この重心位置に基づいて、入力されるパラメータｓ，ｚの値が調整される。この場合、パラメータｓ，ｚの値が大きくなるほど帯域が狭くなるようにされる。これにより、テレビ受信機１００（図１参照）では、パラメータｓ，ｚの値が大きくされるほど解像度が上がるように調整されるようになる。
【０１０７】
ここでは、テレビ受信機１００側で調整されるパラメータｓ，ｚの値の変化範囲の中心が、求められた重心位置に移動するように、入力されるパラメータｓ，ｚの値が線形変換される。例えば、テレビ受信機１００側で調整されるパラメータｓ，ｚの値の変化範囲の中心値がｓ0，ｚ0、求められる重心位置がｓm，ｚm、入力されるパラメータｓ，ｚの値がｓ1，ｚ1であるとき、調整後のパラメータｓ，ｚの値ｓ2，ｚ2は、ｓ2＝ｓ1＋（ｓm−ｓ0）、ｚ2＝ｚ1＋（ｚm−ｚ0）の変換式で求められる。
【０１０８】
このように調整されたパラメータｓ，ｚの値に応じて空間方向および時間方向の帯域が可変される場合、テレビ受信機１００では、図１０に実線枠ＢＦで示す範囲内の解像度調整位置（「×」印で図示）の重心位置を中心とする、図１０の一点鎖線枠ＡＦで示す範囲（空間解像度はｙ1′〜ｙ2′、時間解像度はｘ1′〜ｘ2′）内で解像度の調整を行い得るように、係数種データｗ10〜ｗn9が生成される。
【０１０９】
なお、上述ではパラメータｓ，ｚの値のそれぞれにおける度数分布の情報を用いて重心位置を求める際に、所定数の最新のパラメータｓ，ｚの値に対応する値で新しいほど大きな重み付けがされるものであったが、この重み付けがされずに求められる重心位置を使用してもよい。また、度数分布の情報は用いずに、所定数の最新のパラメータｓ，ｚの値を用い、新しいほど大きな重み付けがされて求められた重心位置を使用してもよい。さらには、パラメータｓ，ｚの値のそれぞれにおける度数分布の情報から最も度数の大きなパラメータｓ，ｚの値を求め、その値を重心位置の代わりに使用してもよい。また、所定数の最新のパラメータｓ，ｚの値のうち、最も新しいパラメータｓ，ｚの値を、重心位置の代わりに使用してもよい。
【０１１０】
図９に戻って、また、係数種データ生成装置１５０は、ＳＤ信号生成回路１５２より出力されるＳＤ信号（５２５ｉ信号）より、ＨＤ信号（１０５０ｉ信号）における注目位置の周辺に位置する複数のＳＤ画素のデータを選択的に取り出して出力する第１〜第３のタップ選択回路１５３〜１５５を有している。これら第１〜第３のタップ選択回路１５３〜１５５は、上述した画像信号処理部１１０の第１〜第３のタップ選択回路１２１〜１２３と同様に構成される。
【０１１１】
また、係数種データ生成装置１５０は、第２のタップ選択回路１５４で選択的に取り出される空間クラスタップのデータ（ＳＤ画素データ）のレベル分布パターンを検出し、このレベル分布パターンに基づいて空間クラスを検出し、そのクラス情報を出力する空間クラス検出回路１５７を有している。この空間クラス検出回路１５７は、上述した画像信号処理部１１０の空間クラス検出回路１２４と同様に構成される。この空間クラス検出回路１５７からは、空間クラスタップのデータとしての各ＳＤ画素データ毎の再量子化コードｑｉが空間クラスを示すクラス情報として出力される。
【０１１２】
また、係数種データ生成装置１５０は、第３のタップ選択回路１５５で選択的に取り出される動きクラスタップのデータ（ＳＤ画素データ）より、主に動きの程度を表すための動きクラスを検出し、そのクラス情報ＭＶを出力する動きクラス検出回路１５８を有している。この動きクラス検出回路１５８は、上述した画像信号処理部１１０の動きクラス検出回路１２５と同様に構成される。この動きクラス検出回路１５８では、第３のタップ選択回路１５５で選択的に取り出される動きクラスタップのデータ（ＳＤ画素データ）からフレーム間差分が算出され、さらにその差分の絶対値の平均値に対してしきい値処理が行われて動きの指標である動きクラスが検出される。
【０１１３】
また、係数種データ生成装置１５０は、空間クラス検出回路１５７より出力される空間クラスのクラス情報としての再量子化コードｑｉと、動きクラス検出回路１５８より出力される動きクラスのクラス情報ＭＶに基づき、ＨＤ信号（１０５０ｉ信号）に係る注目画素が属するクラスを示すクラスコードＣＬを得るためのクラス合成回路１５９を有している。このクラス合成回路１５９も、上述した画像信号処理部１１０のクラス合成回路１２６と同様に構成される。
【０１１４】
また、係数種データ生成装置１５０は、入力端子１５１に供給されるＨＤ信号から得られる注目位置の画素データとしての各ＨＤ画素データｙと、この各ＨＤ画素データｙにそれぞれ対応して第１のタップ選択回路１５３で選択的に取り出される予測タップのデータ（ＳＤ画素データ）ｘｉと、パラメータｓ，ｚの値と、各ＨＤ画素データｙにそれぞれ対応してクラス合成回路１５９より出力されるクラスコードＣＬとから、クラス毎に、係数種データｗ10〜ｗn9を得るための正規方程式（（１３）式参照）を生成する正規方程式生成部１６０を有している。
【０１１５】
この場合、１個のＨＤ画素データｙとそれに対応するｎ個の予測タップのデータ（ＳＤ画素データ）ｘｉとの組み合わせで学習データが生成されるが、調整後のパラメータｓ，ｚの値の変化に対応してＳＤ信号生成回路１５２における空間方向および時間方向の帯域が可変され、複数のＳＤ信号が順次生成されていき、ＨＤ信号と各ＳＤ信号との間でそれぞれ学習データの生成が行われる。これにより、正規方程式生成部１６０では、パラメータｓ，ｚの値が異なる多くの学習データが登録された正規方程式が生成され、係数種データｗ10〜ｗn9を求めることが可能となる。
【０１１６】
またこの場合、１個のＨＤ画素データｙとそれに対応するｎ個の予測タップのデータ（ＳＤ画素データ）ｘｉとの組み合わせで学習データが生成されるが、正規方程式生成部１６０では、出力画素（図５のＨＤ1〜ＨＤ4、図６のＨＤ１′〜ＨＤ4′参照）毎に、正規方程式が生成される。例えば、ＨＤ1に対応した正規方程式は、中心予測タップに対するずれ値がＨＤ1と同じ関係にあるＨＤ画素データｙから構成される学習データから生成される。
【０１１７】
また、係数種データ生成装置１５０は、正規方程式生成部１６０で、クラスおよび出力画素の組み合わせ毎に生成された正規方程式のデータが供給され、当該正規方程式を解いて、クラスおよび出力画素の組み合わせ毎に、係数種データｗ10〜ｗn9を求める係数種データ決定部１６１と、この求められた係数種データを格納する係数種メモリ１６２とを有している。係数種データ決定部１６１では、正規方程式が例えば掃き出し法などによって解かれて、係数種データが求められる。
【０１１８】
図９に示す係数種データ生成装置１５０の動作を説明する。
【０１１９】
入力端子１５１には教師信号としてのＨＤ信号（１０５０ｉ信号）が供給され、そしてこのＨＤ信号に対してＳＤ信号生成回路１５２で水平および垂直の間引き処理が行われて生徒信号としてのＳＤ信号（５２５ｉ信号）が生成される。
【０１２０】
この場合、ＳＤ信号生成回路１５２には、ＨＤ信号からＳＤ信号を生成する際に用いられる帯域制限フィルタの空間方向および時間方向の帯域を定める、つまり生成されるＳＤ信号の空間方向および時間方向の解像度を定めるパラメータｓ，ｚの値が入力される。
【０１２１】
また、ＳＤ信号生成回路１５２には、例えばテレビ受信機１００のバージョンアップ時に画像信号処理部１１０が含まれる基板を取り換える場合であって、その情報メモリバンク１３５に格納される係数種データｗ10〜ｗn9を生成する際には、取り換え前の基板における履歴情報記憶部１３０の度数分布メモリ１３０ａ、経時変化メモリ１３０ｄに格納されている、ユーザ操作によって過去に入力されたパラメータｓ，ｚの履歴情報が入力される。
【０１２２】
ＳＤ信号生成回路１５２では、履歴情報が入力されるときは、この履歴情報に基づいて入力されたパラメータｓ，ｚの値が調整される。例えば、履歴情報によってパラメータｓ，ｚの重心位置が求められ、テレビ受信機１００側で調整されるパラメータｓ，ｚの値の変化範囲の中心が、求められた重心位置に移動するように、入力されるパラメータｓ，ｚの値が線形変換される。そして、ＳＤ信号生成回路１５２では、調整されたパラメータｓ，ｚの値に応じて、上述したようにＨＤ信号からＳＤ信号を生成する際に用いられる帯域制限フィルタの空間方向および時間方向の帯域が可変される。
【０１２３】
なお、使用開始前のテレビ受信機１００の情報メモリバンク１３５に格納される係数種データｗ10〜ｗn9を生成する際には、履歴情報の入力がないので、入力されたパラメータｓ，ｚの値そのものに応じて、上述したようにＨＤ信号からＳＤ信号を生成する際に用いられる帯域制限フィルタの空間方向および時間方向の帯域が可変される。
【０１２４】
ＳＤ信号生成回路１５２に入力されるパラメータｓ，ｚの値が順次変更されることで、上述したようにＨＤ信号からＳＤ信号を生成する際に用いられる帯域制限フィルタの空間方向および時間方向の帯域が変更されることから、空間方向および時間方向の帯域が段階的に変化した複数のＳＤ信号が生成されていく。
【０１２５】
また、ＳＤ信号生成回路１５２で生成されたＳＤ信号（５２５ｉ信号）より、第２のタップ選択回路１５４で、ＨＤ信号（１０５０ｉ信号）における注目位置の周辺に位置する空間クラスタップのデータ（ＳＤ画素データ）が選択的に取り出される。この第２のタップ選択回路１５４で選択的に取り出される空間クラスタップのデータ（ＳＤ画素データ）は空間クラス検出回路１５７に供給される。この空間クラス検出回路１５７では、空間クラスタップのデータとしての各ＳＤ画素データに対してＡＤＲＣ処理が施されて空間クラス（主に空間内の波形表現のためのクラス分類）のクラス情報としての再量子化コードｑｉが得られる（（１）式参照）。
【０１２６】
また、ＳＤ信号生成回路１５２で生成されたＳＤ信号より、第３のタップ選択回路１５５で、ＨＤ信号に係る注目画素の周辺に位置する動きクラスタップのデータ（ＳＤ画素データ）が選択的に取り出される。この第３のタップ選択回路１５５で選択的に取り出される動きクラスタップのデータ（ＳＤ画素データ）は動きクラス検出回路１５８に供給される。この動きクラス検出回路１５８では、動きクラスタップのデータとしての各ＳＤ画素データより動きクラス（主に動きの程度を表すためのクラス分類）のクラス情報ＭＶが得られる。
【０１２７】
このクラス情報ＭＶと上述した再量子化コードｑｉはクラス合成回路１５９に供給される。このクラス合成回路１５９では、これらクラス情報ＭＶと再量子化コードｑｉとから、ＨＤ信号（１０５０ｉ信号）における注目位置の画素データが属するクラスを示すクラスコードＣＬが得られる（（３）式参照）。
【０１２８】
また、ＳＤ信号生成回路１５２で生成されるＳＤ信号より、第１のタップ選択回路１５３で、ＨＤ信号における注目位置の周辺に位置する予測タップのデータ（ＳＤ画素データ）が選択的に取り出される。
【０１２９】
そして、入力端子１５１に供給されるＨＤ信号より得られる注目位置の画素データとしての各ＨＤ画素データｙと、この各ＨＤ画素データｙにそれぞれ対応して第１のタップ選択回路１５３で選択的に取り出される予測タップのデータ（ＳＤ画素データ）ｘｉと、パラメータｓ，ｚの値と、各ＨＤ画素データｙにそれぞれ対応してクラス合成回路１５９より出力されるクラスコードＣＬとから、正規方程式生成部１６０では、クラスおよび出力画素の組み合わせ毎に、係数種データｗ10〜ｗn9を得るための正規方程式（（１３）式参照）が個別に生成される。
【０１３０】
そして、係数種データ決定部１６１で各正規方程式が解かれ、クラスおよび出力画素の組み合わせ毎の係数種データｗ10〜ｗn9が求められ、それらの係数種データｗ10〜ｗn9は係数種メモリ１６２に格納される。
【０１３１】
このように、図９に示す係数種データ生成装置１５０においては、図１の画像信号処理部１１０の情報メモリバンク１３５に格納される、クラスおよび出力画素（ＨＤ1〜ＨＤ4，ＨＤ1′〜ＨＤ4′）の組み合わせ毎の、推定式で用いられる係数データＷｉを求めるための生成式（（５）式参照）における係数データである係数種データｗ10〜ｗn9を生成することができる。
【０１３２】
また、この係数種データ生成装置１５０において、例えばテレビ受信機１００（図１参照）のバージョンアップ時に画像信号処理部１１０が含まれる基板を取り換える場合であって、その情報メモリバンク１３５に格納される係数種データｗ10〜ｗn9を生成する際には、ＳＤ信号生成回路１５２に、テレビ受信機１００の履歴情報記憶部１３０の度数分布メモリ１３０ａ、経時変化メモリ１３０ｄに格納されている、ユーザ操作によって過去に入力されたパラメータｓ，ｚの履歴情報が入力される。
【０１３３】
ＳＤ信号生成回路１５２では、この履歴情報に基づいて、入力されるパラメータｓ，ｚの値が調整され、この調整されたパラメータｓ，ｚによって、ＨＤ信号からＳＤ信号を得る際に用いられる帯域制限フィルタの空間方向および時間方向の帯域が可変される。
【０１３４】
このようにして求められた係数種データｗ10〜ｗn9を、テレビ受信機１００のバージョンアップ時に新たに装着される画像信号処理部１１０が含まれる基板の情報メモリバンク１３５に格納して使用することで、ユーザは、パラメータｓ，ｚの値の調整により、過去の解像度調整の重心位置を中心とする範囲（図１０の一点鎖線枠ＡＦ参照）内で解像度の調整を行うことが可能となる。すなわち、ユーザの好みに合わせた解像度調整範囲が自動的に設定され、ユーザはその範囲内で解像度の調整を行うことができる。
【０１３５】
次に、係数種データの生成方法の他の例について説明する。この例においても、上述した（５）式の生成式における係数データである係数種データｗ10〜ｗn9を求める例を示すものとする。
【０１３６】
図１１は、この例の概念を示している。ＨＤ信号から複数のＳＤ信号を生成する。例えば、ＨＤ信号からＳＤ信号を生成する際に使用するフィルタの空間方向（垂直方向および水平方向）の帯域と時間方向（フレーム方向）の帯域を可変するパラメータｓ，ｚをそれぞれ９段階に可変して、合計８１種類のＳＤ信号を生成する。このようにして生成された各ＳＤ信号とＨＤ信号との間で学習を行って、（４）式の推定式の係数データＷｉを生成する。そして、各ＳＤ信号に対応して生成された係数データＷｉを使用して係数種データを生成する。
【０１３７】
まず、推定式の係数データの求め方を説明する。ここでは、（４）式の推定式の係数データＷｉ（ｉ＝１〜ｎ）を最小二乗法により求める例を示すものとする。一般化した例として、Ｘを入力データ、Ｗを係数データ、Ｙを予測値として、（１４）式の観測方程式を考える。この（１４）式において、ｍは学習データの数を示し、ｎは予測タップの数を示している。
【０１３８】
【数１１】
0004462244.tif 000012
【０１３９】
（１４）式の観測方程式により収集されたデータに最小二乗法を適用する。この（１４）式の観測方程式をもとに、（１５）式の残差方程式を考える。
【０１４０】
【数１２】
0004462244.tif 000013
【０１４１】
（１５）式の残差方程式から、各Ｗiの最確値は、（１６）式のｅ2を最小にする条件が成り立つ場合と考えられる。すなわち、（１７）式の条件を考慮すればよいわけである。
【０１４２】
【数１３】
0004462244.tif 000014
【０１４３】
つまり、（１７）式のｉに基づくｎ個の条件を考え、これを満たす、Ｗ1，Ｗ2，・・・，Ｗnを算出すればよい。そこで、（１５）式の残差方程式から、（１８）式が得られる。さらに、（１８）式と（１４）式とから、（１９）式が得られる。
【０１４４】
【数１４】
0004462244.tif 000015
【０１４５】
そして、（１５）式と（１９）式とから、（２０）式の正規方程式が得られる。
【０１４６】
【数１５】
0004462244.tif 000016
【０１４７】
（２０）式の正規方程式は、未知数の数ｎと同じ数の方程式を立てることが可能であるので、各Ｗiの最確値を求めることができる。この場合、掃き出し法等を用いて連立方程式を解くことになる。
【０１４８】
次に、各ＳＤ信号に対応して生成された係数データＷｉを使用した、係数種データの求め方を説明する。
【０１４９】
パラメータｓ，ｚに対応したＳＤ信号を用いた学習による、あるクラスの係数データが、ｋsziとなったとする。ここで、ｉは予測タップの番号である。このｋsziから、このクラスの係数種データを求める。
【０１５０】
係数データＷｉ（ｉ＝１〜ｎ）は、係数種データｗ10〜ｗn9を使って、上述した（５）式で表現される。ここで、係数データＷｉに対して最小二乗法を使用することを考えると、残差は、（２１）式で表される。
【０１５１】
【数１６】
0004462244.tif 000017
【０１５２】
ここで、ｔjは、上述の（７）式に示されている。（２１）式に最小二乗法を作用させると、（２２）式が得られる。
【０１５３】
【数１７】
0004462244.tif 000018
【０１５４】
ここで、Ｘjk，Ｙjをそれぞれ（２３）式、（２４）式のように定義すると、（２２）式は（２５）式のように書き換えられる。この（２５）式も正規方程式であり、この式を掃き出し法等の一般解法で解くことにより、係数種データｗ10〜ｗn9を算出することができる。
【０１５５】
【数１８】
0004462244.tif 000019
【０１５６】
図１２は、図１１に示す概念に基づいて係数種データを生成する係数種データ生成装置１５０′の構成を示している。この図１２において、図９と対応する部分には同一符号を付し、その詳細説明は省略する。
【０１５７】
係数種データ生成装置１５０′は、入力端子１５１に供給されるＨＤ信号より得られる注目位置の画素データとしての各ＨＤ画素データｙと、この各ＨＤ画素データｙにそれぞれ対応して第１のタップ選択回路１５３で選択的に取り出される予測タップのデータ（ＳＤ画素データ）ｘｉと、各ＨＤ画素データｙにそれぞれ対応してクラス合成回路１５９より出力されるクラスコードＣＬとから、クラスおよび出力画素（図５のＨＤ1〜ＨＤ4、図６のＨＤ１′〜ＨＤ4′参照）の組み合わせ毎に、係数データＷｉ（ｉ＝１〜ｎ）を得るための正規方程式（（２０）式参照）を生成する正規方程式生成部１７１を有している。
【０１５８】
この場合、１個のＨＤ画素データｙとそれに対応するｎ個の予測タップのデータ（ＳＤ画素データ）ｘｉとの組み合わせで学習データが生成されるが、調整後のパラメータｓ，ｚの値の変化に対応してＳＤ信号生成回路１５２における空間方向および時間方向の帯域が可変され、複数のＳＤ信号が順次生成されていき、ＨＤ信号と各ＳＤ信号との間でそれぞれ学習データの生成が行われる。これにより、正規方程式生成部１７１では、各ＳＤ信号のそれぞれ対応して、クラスおよび出力画素の組み合わせ毎に、係数データＷｉ（ｉ＝１〜ｎ）を得るための正規方程式が生成される。
【０１５９】
また、係数種データ生成装置１５０′は、正規方程式生成部１７１で生成された正規方程式のデータが供給され、その正規方程式を解いて、各ＳＤ信号にそれぞれ対応した、クラスおよび出力画素の各組み合わせの係数データＷｉを求める係数データ決定部１７２と、パラメータｓ，ｚの値および各ＳＤ信号にそれぞれ対応した係数データＷｉとを使用して、クラスおよび出力画素の組み合わせ毎に、係数種データｗ10〜ｗn9を得るための正規方程式（（２５）式参照）を生成する正規方程式生成部１７３とを有している。
【０１６０】
また、係数種データ生成装置１５０′は、正規方程式生成部１７３でクラスおよび出力画素の組み合わせ毎に生成された正規方程式のデータが供給され、その組み合わせ毎に正規方程式を解いて、クラスおよび出力画素の各組み合わせの係数種データｗ10〜ｗn9を求める係数種データ決定部１７４と、この求められた係数種データｗ10〜ｗn9を格納する係数種メモリ１６２とを有している。
【０１６１】
図１２に示す係数種データ生成装置１５０′のその他は、図９に示す係数種データ生成装置１５０と同様に構成される。
【０１６２】
次に、図１２に示す係数種データ生成装置１５０′の動作を説明する。
【０１６３】
入力端子１５１には教師信号としてのＨＤ信号（１０５０ｉ信号）が供給され、そしてこのＨＤ信号に対してＳＤ信号生成回路１５２で水平および垂直の間引き処理が行われて生徒信号としてのＳＤ信号（５２５ｉ信号）が生成される。
【０１６４】
ＳＤ信号生成回路１５２に入力されるパラメータｓ，ｚの値が順次変更されることで、ＨＤ信号からＳＤ信号を生成する際に用いられる帯域制限フィルタの空間方向および時間方向の帯域が変更されることから、空間方向および時間方向の帯域が段階的に変化した複数のＳＤ信号が生成されていく。
【０１６５】
この場合、ＳＤ信号生成回路１５２では、履歴情報が入力されるときは、この履歴情報に基づいて入力されたパラメータｓ，ｚの値が調整され、調整されたパラメータｓ，ｚの値に応じて、上述したようにＨＤ信号からＳＤ信号を生成する際に用いられる帯域制限フィルタの空間方向および時間方向の帯域が可変される。
【０１６６】
また、ＳＤ信号生成回路１５２で生成されたＳＤ信号（５２５ｉ信号）より、第２のタップ選択回路１５４で、ＨＤ信号（１０５０ｉ信号）における注目位置の周辺に位置する空間クラスタップのデータ（ＳＤ画素データ）が選択的に取り出される。この第２のタップ選択回路１５４で選択的に取り出される空間クラスタップのデータ（ＳＤ画素データ）は空間クラス検出回路１５７に供給される。この空間クラス検出回路１５７では、空間クラスタップのデータとしての各ＳＤ画素データに対してＡＤＲＣ処理が施されて空間クラス（主に空間内の波形表現のためのクラス分類）のクラス情報としての再量子化コードｑｉが得られる（（１）式参照）。
【０１６７】
また、ＳＤ信号生成回路１５２で生成されたＳＤ信号より、第３のタップ選択回路１５５で、ＨＤ信号に係る注目画素の周辺に位置する動きクラスタップのデータ（ＳＤ画素データ）が選択的に取り出される。この第３のタップ選択回路１５５で選択的に取り出される動きクラスタップのデータ（ＳＤ画素データ）は動きクラス検出回路１５８に供給される。この動きクラス検出回路１５８では、動きクラスタップのデータとしての各ＳＤ画素データより動きクラス（主に動きの程度を表すためのクラス分類）のクラス情報ＭＶが得られる。
【０１６８】
このクラス情報ＭＶと上述した再量子化コードｑｉはクラス合成回路１５９に供給される。このクラス合成回路１５９では、これらクラス情報ＭＶと再量子化コードｑｉとから、ＨＤ信号（１０５０ｉ信号）における注目位置の画素データが属するクラスを示すクラスコードＣＬが得られる（（３）式参照）。
【０１６９】
また、ＳＤ信号生成回路１５２で生成されるＳＤ信号より、第１のタップ選択回路１５３で、ＨＤ信号における注目位置の周辺に位置する予測タップのデータ（ＳＤ画素データ）が選択的に取り出される。
【０１７０】
そして、入力端子１５１に供給されるＨＤ信号より得られる注目位置の画素データとしての各ＨＤ画素データｙと、この各ＨＤ画素データｙにそれぞれ対応して第１のタップ選択回路１５３で選択的に取り出される予測タップのデータ（ＳＤ画素データ）ｘｉと、各ＨＤ画素データｙにそれぞれ対応してクラス合成回路１５９より出力されるクラスコードＣＬとから、正規方程式生成部１７１では、ＳＤ信号生成回路１５２で生成される各ＳＤ信号のそれぞれ対応して、クラスおよび出力画素の組み合わせ毎に、係数データＷｉ（ｉ＝１〜ｎ）を得るための正規方程式（（２０）式参照）が生成される。
【０１７１】
そして、係数データ決定部１７２でその正規方程式が解かれ、各ＳＤ信号にそれぞれ対応した、クラスおよび出力画素の各組み合わせの係数データＷｉが求められる。正規方程式生成部１７３では、この各ＳＤ信号にそれぞれ対応した各クラスの係数データＷｉから、クラスおよび出力画素の組み合わせ毎に、係数種データｗ10〜ｗn9を得るための正規方程式（（２５）式参照）が生成される。
【０１７２】
そして、係数種データ決定部１７４でその正規方程式が解かれ、クラスおよび出力画素の各組み合わせの係数種データｗ10〜ｗn9が求められ、その係数種データｗ10〜ｗn9は係数種メモリ１６２に格納される。
【０１７３】
このように、図１２に示す係数種データ生成装置１５０′においても、図１の画像信号処理部１１０の情報メモリバンク１３５に格納される、クラスおよび出力画素（ＨＤ1〜ＨＤ4，ＨＤ1′〜ＨＤ4′）の組み合わせ毎の係数種データｗ10〜ｗn9を生成することができる。
【０１７４】
また、この係数種データ生成装置１５０′においても、ＳＤ信号生成回路１５２では、この履歴情報に基づいて、入力されるパラメータｓ，ｚの値が調整され、この調整されたパラメータｓ，ｚによって、ＨＤ信号からＳＤ信号を得る際に用いられる帯域制限フィルタの空間方向および時間方向の帯域が可変されるものである。したがって、このようにして求められた係数種データｗ10〜ｗn9を、テレビ受信機１００のバージョンアップ時に新たに装着される画像信号処理部１１０が含まれる基板の情報メモリバンク１３５に格納して使用することで、ユーザは、パラメータｓ，ｚの値の調整により、過去の解像度調整の重心位置を中心とする範囲（図１０の一点鎖線枠ＡＦ参照）内で解像度の調整を行うことが可能となる。
【０１７５】
なお、図１の画像信号処理部１１０では、係数データＷｉ（ｉ＝１〜ｎ）を生成するために（５）式の生成式を使用したが、次数の異なった多項式や、他の関数で表現される式でも実現可能である。
【０１７６】
また、図１の画像信号処理部１１０では、空間方向（垂直方向および水平方向）の解像度を定めるパラメータｓと時間方向（フレーム方向）の解像度を定めるパラメータｚとを設定し、これらパラメータｓ，ｚの値を調整することで画像の空間方向および時間方向の解像度を調整し得るものを示したが、その他の画像の質を定めるパラメータを設けるものも同様に構成することができる。例えば、パラメータとしては、垂直方向の解像度を定めるパラメータ、水平方向の解像度を定めるパラメータ、ノイズ除去度を定めるパラメータなど種々考えられる。
【０１７７】
また、図１の画像信号処理部１１０では、パラメータｓ，ｚの２つのパラメータを調整し得るものを示したが、１個または３個以上のパラメータを取り扱うものも同様に構成することができる。その場合も、履歴情報記憶部１３０には、それぞれのパラメータの履歴情報が格納されることとなる。そして、図９に示す係数種データ生成部１５０、あるいは図１２に示す係数種データ生成装置１５０′では、それぞれのパラメータの履歴情報を使用して、上述したと同様の生成処理を行うことができる。
【０１７８】
なお、図１の画像信号処理部１１０における処理を、例えば図１３に示すような画像信号処理装置３００によって、ソフトウェアで実現することも可能である。
【０１７９】
まず、図１３に示す画像信号処理装置３００について説明する。この画像信号処理装置３００は、装置全体の動作を制御するＣＰＵ３０１と、このＣＰＵ３０１の動作プログラムや係数種データ等が格納されたＲＯＭ（read only memory）３０２と、ＣＰＵ３０１の作業領域を構成するＲＡＭ（random access memory）３０３とを有している。これらＣＰＵ３０１、ＲＯＭ３０２およびＲＡＭ３０３は、それぞれバス３０４に接続されている。
【０１８０】
また、画像信号処理装置３００は、外部記憶装置としてのハードディスクドライブ（ＨＤＤ）３０５と、フロッピー（登録商標）ディスク３０６をドライブするドライブ（ＦＤＤ）３０７とを有している。これらドライブ３０５，３０７は、それぞれバス３０４に接続されている。
【０１８１】
また、画像信号処理装置３００は、インターネット等の通信網４００に有線または無線で接続する通信部３０８を有している。この通信部３０８は、インタフェース３０９を介してバス３０４に接続されている。
【０１８２】
また、画像信号処理装置３００は、ユーザインタフェース部を備えている。このユーザインタフェース部は、リモコン送信機２００からのリモコン信号ＲＭを受信するリモコン信号受信回路３１０と、ＬＣＤ（liquid crystal display）等からなるディスプレイ３１１とを有している。受信回路３１０はインタフェース３１２を介してバス３０４に接続され、同様にディスプレイ３１１はインタフェース３１３を介してバス３０４に接続されている。
【０１８３】
また、画像信号処理装置３００は、ＳＤ信号を入力するための入力端子３１４と、ＨＤ信号を出力するための出力端子３１５とを有している。入力端子３１４はインタフェース３１６を介してバス３０４に接続され、同様に出力端子３１５はインタフェース３１７を介してバス３０４に接続される。
【０１８４】
ここで、上述したようにＲＯＭ３０２に処理プログラムや係数種データ等を予め格納しておく代わりに、例えばインターネットなどの通信網４００より通信部３０８を介してダウンロードし、ハードディスクやＲＡＭ３０３に蓄積して使用することもできる。また、これら処理プログラムや係数種データ等をフロッピー（登録商標）ディスク３０６で提供するようにしてもよい。
【０１８５】
また、処理すべきＳＤ信号を入力端子３１４より入力する代わりに、予めハードディスクに記録しておき、あるいはインターネットなどの通信網４００より通信部３０８を介してダウンロードしてもよい。また、処理後のＨＤ信号を出力端子３１５に出力する代わり、あるいはそれと並行してディスプレイ３１１に供給して画像表示をしたり、さらにはハードディスクに格納したり、通信部３０８を介してインターネットなどの通信網４００に送出するようにしてもよい。
【０１８６】
図１４のフローチャートを参照して、図１３に示す画像信号処理装置３００における、ＳＤ信号よりＨＤ信号を得るため処理手順を説明する。
【０１８７】
まず、ステップＳＴ１で、処理を開始し、ステップＳＴ２で、ＳＤ画素データをフレーム単位またはフィールド単位で入力する。このＳＤ画素データが入力端子３１４より入力される場合には、このＳＤ画素データをＲＡＭ３０３に一時的に格納する。また、このＳＤ画素データがハードディスクに記録されている場合には、ハードディスクドライブ３０５でこのＳＤ画素データを読み出し、ＲＡＭ３０３に一時的に格納する。そして、ステップＳＴ３で、入力ＳＤ画素データの全フレームまたは全フィールドの処理が終わっているか否かを判定する。処理が終わっているときは、ステップＳＴ４で、処理を終了する。一方、処理が終わっていないときは、ステップＳＴ５に進む。
【０１８８】
このステップＳＴ５では、ユーザのリモコン送信機２００の操作によって入力された画質指定値（例えばパラメータｓ，ｚ）を、例えばＲＡＭ３０３より読み込む。新たな画質指定値が入力されているときは、ステップＳＴ６で、例えばハードディスクに格納される履歴情報（図１のテレビ受信機１００の履歴情報記憶部１３０における度数分布メモリ１３０ａ、経時変化メモリ１３０ｄの記憶内容に相当）を更新する。
【０１８９】
そして、ステップＳＴ７で、読み込んだ画質指定値、クラスおよび出力画素（図５のＨＤ1〜ＨＤ4、図６のＨＤ１′〜ＨＤ4′参照）の各組み合わせの係数種データを使用して、生成式（例えば（５）式）によって、各組み合わせの推定式（（４）式参照）の係数データＷｉを生成する。
【０１９０】
次に、ステップＳＴ８で、ステップＳＴ２で入力されたＳＤ画素データより、生成すべき各ＨＤ画素データに対応して、クラスタップおよび予測タップの画素データを取得する。そして、ステップＳＴ９で、入力されたＳＤ画素データの全領域においてＨＤ画素データを得る処理が終了したか否かを判定する。終了しているときは、ステップＳＴ２に戻り、次のフレームまたはフィールドのＳＤ画素データの入力処理に移る。一方、処理が終了していないときは、ステップＳＴ１０に進む。
【０１９１】
このステップＳＴ１０では、ステップＳＴ７で取得されたクラスタップのＳＤ画素データからクラスコードＣＬを生成する。そして、ステップＳＴ１１で、そのクラスコードＣＬに対応した係数データＷｉと予測タップのＳＤ画素データを使用して、推定式により、ＨＤ画素データを生成し、その後にステップＳＴ８に戻って、上述したと同様の処理を繰り返す。
【０１９２】
このように、図１４に示すフローチャートに沿って処理をすることで、入力されたＳＤ信号を構成するＳＤ画素データを処理して、ＨＤ信号を構成するＨＤ画素データを得ることができる。上述したように、このように処理して得られたＨＤ信号は出力端子３１５に出力されたり、ディスプレイ３１１に供給されてそれによる画像が表示されたり、さらにはハードディスクドライブ３０５に供給されてハードディスクに記録されたりする。
【０１９３】
上述したように例えばハードディスクに格納される履歴情報は、ステップＳＴ７で使用する新たな係数種データを生成する際に利用される。このように新たに生成される係数種データを利用することで、ユーザの好みに合わせた調整範囲での画質調整が可能となる。なお、上述の履歴情報をハードディスクではなく、メモリカードなどの装脱可能なメモリに格納するようにしてもよい。
【０１９４】
また、処理装置の図示は省略するが、図９の係数種データ生成装置１５０における処理を、ソフトウェアで実現することも可能である。
【０１９５】
図１５のフローチャートを参照して、係数種データを生成するための処理手順を説明する。
【０１９６】
まず、ステップＳＴ２１で、処理を開始し、ステップＳＴ２２で、学習に使われる、画質パターン（例えば、パラメータｓ，ｚで特定される）を選択すると共に、その画質パターンを履歴情報に基づいて調整する。そして、ステップＳＴ２３で、全ての画質パターンに対して学習が終わったか否かを判定する。全ての画質パターンに対して学習が終わっていないときは、ステップＳＴ２４に進む。
【０１９７】
このステップＳＴ２４では、既知のＨＤ画素データをフレーム単位またはフィールド単位で入力する。そして、ステップＳＴ２５で、全てのＨＤ画素データについて処理が終了したか否かを判定する。終了したときは、ステップＳＴ２２に戻って、次の画質パターンの選択、調整を行って、上述したと同様の処理を繰り返す。一方、終了していないときは、ステップＳＴ２６に進む。
【０１９８】
このステップＳＴ２６では、ステップＳＴ２４で入力されたＨＤ画素データより、ステップＳＴ２２で調整された画質パターンに基づいて、ＳＤ画素データを生成する。そして、ステップＳＴ２７で、ステップＳＴ２６で生成されたＳＤ画素データより、ステップＳＴ２４で入力された各ＨＤ画素データに対応して、クラスタップおよび予測タップの画素データを取得する。そして、ステップＳＴ２８で、生成されたＳＤ画素データの全領域において学習処理を終了しているか否かを判定する。学習処理を終了しているときは、ステップＳＴ２４に戻って、次のＨＤ画素データの入力を行って、上述したと同様の処理を繰り返し、一方、学習処理を終了していないときは、ステップＳＴ２９に進む。
【０１９９】
このステップＳＴ２９では、ステップＳＴ２７で取得されたクラスタップのＳＤ画素データからクラスコードＣＬを生成する。そして、ステップＳＴ３０で、正規方程式（（１３）式参照）を生成する。その後に、ステップＳＴ２７に戻る。
【０２００】
また、ステップＳＴ２３で、全ての画質パターンに対して学習が終わったときは、ステップＳＴ３１に進む。このステップＳＴ３１では、正規方程式を掃き出し法等で解くことによって、クラスおよび出力画素（図５のＨＤ1〜ＨＤ4、図６のＨＤ１′〜ＨＤ4′参照）の各組み合わせの係数種データを算出し、ステップＳＴ３２で、その係数種データをメモリに保存し、その後にステップＳＴ３３で、処理を終了する。
【０２０１】
このように、図１５に示すフローチャートに沿って処理をすることで、図９に示す係数種データ生成装置１５０と同様の手法によって、係数種データを得ることができる。
【０２０２】
また、処理装置の図示は省略するが、図１２の係数種データ生成装置１５０′における処理も、ソフトウェアで実現可能である。
【０２０３】
図１６のフローチャートを参照して、係数種データを生成するための処理手順を説明する。
【０２０４】
まず、ステップＳＴ４１で、処理を開始し、ステップＳＴ４２で、学習に使われる、画質パターン（例えば、パラメータｓ，ｚで特定される）を選択すると共に、その画質パターンを履歴情報に基づいて調整する。そして、ステップＳＴ４３で、全ての画質パターンに対する係数データの算出処理が終了したか否かを判定する。終了していないときは、ステップＳＴ４４に進む。
【０２０５】
このステップＳＴ４４では、既知のＨＤ画素データをフレーム単位またはフィールド単位で入力する。そして、ステップＳＴ４５で、全てのＨＤ画素データについて処理が終了したか否かを判定する。終了していないときは、ステップＳＴ４６で、ステップＳＴ４４で入力されたＨＤ画素データより、ステップＳＴ４２で調整された画質パターンに基づいて、ＳＤ画素データを生成する。
【０２０６】
そして、ステップＳＴ４７で、ステップＳＴ４６で生成されたＳＤ画素データより、ステップＳＴ４４で入力された各ＨＤ画素データに対応して、クラスタップおよび予測タップの画素データを取得する。そして、ステップＳＴ４８で、生成されたＳＤ画素データの全領域において学習処理を終了しているか否かを判定する。学習処理を終了しているときは、ステップＳＴ４４に戻って、次のＨＤ画素データの入力を行って、上述したと同様の処理を繰り返し、一方、学習処理を終了していないときは、ステップＳＴ４９に進む。
【０２０７】
このステップＳＴ４９では、ステップＳＴ４７で取得されたクラスタップのＳＤ画素データからクラスコードＣＬを生成する。そして、ステップＳＴ５０で、係数データを得るための正規方程式（（２０）式参照）を生成する。その後に、ステップＳＴ４７に戻る。
【０２０８】
上述したステップＳＴ４５で、全てのＨＤ画素データについて処理が終了したときは、ステップＳＴ５１で、ステップＳＴ５０で生成された正規方程式を掃き出し法などで解いて、クラスおよび出力画素（図５のＨＤ1〜ＨＤ4、図６のＨＤ１′〜ＨＤ4′参照）の各組み合わせの係数データを算出する。その後に、ステップＳＴ４２に戻って、次の画質パターンの選択、調整を行って、上述したと同様の処理を繰り返し、次の画質パターンに対応した、各組み合わせの係数データを求める。
【０２０９】
また、上述のステップＳＴ４３で、全ての画質パターンに対する係数データの算出処理が終了したときは、ステップＳＴ５２に進む。このステップＳＴ５２では、全ての画質パターンに対する係数データから、係数種データを求めるための正規方程式（（２５）式参照）を生成する。
【０２１０】
そして、ステップＳＴ５３で、ステップＳＴ５２で生成された正規方程式を掃き出し法等で解くことによって、クラスおよび出力画素の各組み合わせの係数種データを算出し、ステップＳＴ５４で、その係数種データをメモリに保存し、その後にステップＳＴ５５で、処理を終了する。
【０２１１】
このように、図１６に示すフローチャートに沿って処理をすることで、図１２に示す係数種データ生成装置１５０′と同様の手法によって、係数種データを得ることができる。
【０２１２】
次に、この発明の他の実施の形態について説明する。
【０２１３】
図１７は、他の実施の形態としてのテレビ受信機１００Ａの構成を示している。このテレビ受信機１００Ａも、放送信号よりＳＤ信号としての５２５ｉ信号を得、この５２５ｉ信号をＨＤ信号としての１０５０ｉ信号に変換し、その１０５０ｉ信号による画像を表示するものである。この図１７において、図１と対応する部分には同一符号を付して示している。
【０２１４】
テレビ受信機１００Ａは、図１に示すテレビ受信機１００の画像信号処理部１１０が画像信号処理部１１０Ａに置き換えられたものであって、テレビ受信機１００と同様の動作をする。
【０２１５】
画像信号処理部１１０Ａの詳細を説明する。この画像信号処理部１１０Ａにおいて、図１に示す画像信号処理部１１０と対応する部分には同一符号を付し、その詳細説明は省略する。
【０２１６】
この画像信号処理部１１０Ａは、情報メモリバンク１３５Ａを有している。この情報メモリバンク１３５Ａには、クラス、出力画素（図５のＨＤ1〜ＨＤ4、図６のＨＤ１′〜ＨＤ4′参照）およびパラメータｓ，ｚの値の組み合わせ毎に、係数データＷｉ（ｉ＝１〜ｎ）が予め格納されている。この係数データＷｉの生成方法については後述する。
【０２１７】
この画像信号処理部１１０Ａの動作を説明する。
【０２１８】
バッファメモリ１０９に記憶されているＳＤ信号（５２５ｉ信号）より、第２のタップ選択回路１２２で、作成すべきＨＤ信号（１０５０ｉ信号）を構成する単位画素ブロック内の４画素（注目位置の画素）の周辺に位置する空間クラスタップのデータ（ＳＤ画素データ）が選択的に取り出される。この第２のタップ選択回路１２２で選択的に取り出される空間クラスタップのデータ（ＳＤ画素データ）は空間クラス検出回路１２４に供給される。この空間クラス検出回路１２４では、空間クラスタップのデータとしての各ＳＤ画素データに対してＡＤＲＣ処理が施されて空間クラス（主に空間内の波形表現のためのクラス分類）のクラス情報としての再量子化コードｑｉが得られる（（１）式参照）。
【０２１９】
また、バッファメモリ１０９に記憶されているＳＤ信号（５２５ｉ信号）より、第３のタップ選択回路１２３で、作成すべきＨＤ信号（１０５０ｉ信号）を構成する単位画素ブロック内の４画素（注目位置の画素）の周辺に位置する動きクラスタップのデータ（ＳＤ画素データ）が選択的に取り出される。この第３のタップ選択回路１２３で選択的に取り出される動きクラスタップのデータ（ＳＤ画素データ）は動きクラス検出回路１２５に供給される。この動きクラス検出回路１２５では、動きクラスタップのデータとしての各ＳＤ画素データより動きクラス（主に動きの程度を表すためのクラス分類）のクラス情報ＭＶが得られる。
【０２２０】
この動き情報ＭＶと上述した再量子化コードｑｉはクラス合成回路１２６に供給される。このクラス合成回路１２６では、これら動き情報ＭＶと再量子化コードｑｉとから、作成すべきＨＤ信号（１０５０ｉ信号）を構成する単位画素ブロック毎にその単位画素ブロック内の４画素（注目画素）が属するクラスを示すクラスコードＣＬが得られる（（３）式参照）。そして、このクラスコードＣＬは、係数メモリ１３４に読み出しアドレス情報として供給される。
【０２２１】
係数メモリ１３４には、例えば垂直ブランキング期間に、ユーザによって調整されたパラメータｓ，ｚの値に対応した、クラスおよび出力画素の各組み合わせの係数データＷｉが、システムコントローラ１０１の制御によって、情報メモリバンク１３５Ａよりロードされて格納される。
【０２２２】
なお、情報メモリバンク１３５Ａに、調整されたパラメータｓ，ｚの値に対応した係数データが蓄えられていない場合には、その調整されたパラメータｓ，ｚの値の前後の値に対応した係数データＷｉを情報メモリバンク１３５Ａより読み出し、それらを用いた補間演算処理によって、調整されたパラメータｓ，ｚの値に対応した係数データを得るようにしてもよい。
【０２２３】
上述したように係数メモリ１３４にクラスコードＣＬが読み出しアドレス情報として供給されることで、この係数メモリ１３４からクラスコードＣＬに対応した４出力画素（奇数フィールドではＨＤ1〜ＨＤ4、偶数フィールドではＨＤ1′〜ＨＤ4′）分の推定式の係数データＷｉが読み出されて推定予測演算回路１２７に供給される。
【０２２４】
また、バッファメモリ１０９に記憶されているＳＤ信号（５２５ｉ信号）より、第１のタップ選択回路１２１で、作成すべきＨＤ信号（１０５０ｉ信号）を構成する単位画素ブロック内の４画素（注目位置の画素）の周辺に位置する予測タップのデータ（ＳＤ画素データ）が選択的に取り出される。
【０２２５】
推定予測演算回路１２７では、予測タップのデータ（ＳＤ画素データ）ｘｉと、係数メモリ１３４より読み出される４出力画素分の係数データＷｉとから、作成すべきＨＤ信号を構成する単位画素ブロック内の４画素（注目位置の画素）のデータｙ1〜ｙ4が演算される（（４）式参照）。そして、この推定予測演算回路１２７より順次出力されるＨＤ信号を構成する単位画素ブロック内の４画素のデータｙ1〜ｙ4は後処理回路１２９に供給される。
【０２２６】
この後処理回路１２９では、推定予測演算回路１２７より順次供給される単位画素ブロック内の４画素のデータｙ1〜ｙ4が線順次化され、１０５０ｉ信号のフォーマットで出力される。つまり、後処理回路１２９からは、ＨＤ信号としての１０５０ｉ信号が出力される。
【０２２７】
このように、画像信号処理部１１０Ａでは、調整されたパラメータｓ，ｚの値に対応した推定式の係数データＷｉ（ｉ＝１〜ｎ）が使用されて、ＨＤ画素データｙが演算されるしたがって、ユーザは、パラメータｓ，ｚの値を調整することで、ＨＤ信号による画像の空間方向および時間方向の解像度を自由に調整できる。
【０２２８】
また、履歴情報記憶部１３０には、システムコントローラ１０１から情報メモリバンク１３５Ａに入力されるパラメータｓ，ｚの値が入力される。そして、履歴情報記憶部１３０の度数分布メモリ１３０ａおよび経時変化メモリ１３０ｄ（図７参照）には、システムコントローラ１０１の制御により、図１に示すテレビ受信機１００におけると同様に、パラメータｓ，ｚの値の履歴情報が格納される。
【０２２９】
このように、履歴情報記録部１３０の度数分布メモリ１３０ａ、経時変化メモリ１３０ｄに格納される履歴情報は、例えばテレビ受信機１００Ａのバージョンアップ時に画像信号処理部１１０Ａが含まれる基板を取り換える場合において、その情報メモリバンク１３５Ａに格納される係数データＷｉを生成する際などに利用される。
【０２３０】
次に、係数データＷｉ（ｉ＝１〜ｎ）の生成方法について説明する。
【０２３１】
上述では、係数種データの生成方法の他の例として、まずパラメータｓ，ｚの値を段階的に可変して得られるＳＤ信号毎に、それを用いた学習によってクラスおよび出力画素の各組み合わせの係数データＷｉを生成し、次にＳＤ信号毎の各組み合わせの係数データＷｉを使用して、クラスおよび出力画素の各組み合わせの係数種データｗ10〜ｗn9を求めるものを説明した。情報メモリバンク１３５Ａに予め蓄えられる、クラス、出力画素およびパラメータｓ，ｚの値の組み合わせ毎の係数データＷｉは、この係数種データの生成方法における、前半部分と同様の方法で生成することができる。
【０２３２】
図１８は、係数データ生成装置１８０を示している。この係数データ生成装置１８０において、図１２に示す係数種データ生成装置１５０′と対応する部分には同一符号を付し、その詳細説明は省略する。
【０２３３】
この係数データ生成装置１８０では、係数メモリ１６３を有している。この係数メモリ１６３には、係数データ決定部１７２で決定された、パラメータｓ，ｚの各値に対応した、クラスおよび出力画素の各組み合わせの係数データＷｉが記憶される。この係数データ生成装置１８０のその他は、図１２に示す係数種データ生成装置１５０′と同様に構成される。
【０２３４】
図１８に示す係数データ生成装置１８０の動作を説明する。
【０２３５】
入力端子１５１には教師信号としてのＨＤ信号（１０５０ｉ信号）が供給され、そしてこのＨＤ信号に対してＳＤ信号生成回路１５２で水平および垂直の間引き処理が行われて生徒信号としてのＳＤ信号（５２５ｉ信号）が生成される。
【０２３６】
ＳＤ信号生成回路１５２に入力されるパラメータｓ，ｚの値が順次変更されることで、ＨＤ信号からＳＤ信号を生成する際に用いられる帯域制限フィルタの空間方向および時間方向の帯域が変更されることから、空間方向および時間方向の帯域が段階的に変化した複数のＳＤ信号が生成されていく。
【０２３７】
この場合、ＳＤ信号生成回路１５２では、履歴情報が入力されるときは、この履歴情報に基づいて入力されたパラメータｓ，ｚの値が調整され、調整されたパラメータｓ，ｚの値に応じて、上述したようにＨＤ信号からＳＤ信号を生成する際に用いられる帯域制限フィルタの空間方向および時間方向の帯域が可変される。
【０２３８】
また、ＳＤ信号生成回路１５２で生成されたＳＤ信号（５２５ｉ信号）より、第２のタップ選択回路１５４で、ＨＤ信号（１０５０ｉ信号）における注目位置の周辺に位置する空間クラスタップのデータ（ＳＤ画素データ）が選択的に取り出される。この第２のタップ選択回路１５４で選択的に取り出される空間クラスタップのデータ（ＳＤ画素データ）は空間クラス検出回路１５７に供給される。この空間クラス検出回路１５７では、空間クラスタップのデータとしての各ＳＤ画素データに対してＡＤＲＣ処理が施されて空間クラス（主に空間内の波形表現のためのクラス分類）のクラス情報としての再量子化コードｑｉが得られる（（１）式参照）。
【０２３９】
また、ＳＤ信号生成回路１５２で生成されたＳＤ信号より、第３のタップ選択回路１５５で、ＨＤ信号に係る注目画素の周辺に位置する動きクラスタップのデータ（ＳＤ画素データ）が選択的に取り出される。この第３のタップ選択回路１５５で選択的に取り出される動きクラスタップのデータ（ＳＤ画素データ）は動きクラス検出回路１５８に供給される。この動きクラス検出回路１５８では、動きクラスタップのデータとしての各ＳＤ画素データより動きクラス（主に動きの程度を表すためのクラス分類）のクラス情報ＭＶが得られる。
【０２４０】
このクラス情報ＭＶと上述した再量子化コードｑｉはクラス合成回路１５９に供給される。このクラス合成回路１５９では、これらクラス情報ＭＶと再量子化コードｑｉとから、ＨＤ信号（１０５０ｉ信号）における注目位置の画素データが属するクラスを示すクラスコードＣＬが得られる（（３）式参照）。
【０２４１】
また、ＳＤ信号生成回路１５２で生成されるＳＤ信号より、第１のタップ選択回路１５３で、ＨＤ信号における注目位置の周辺に位置する予測タップのデータ（ＳＤ画素データ）が選択的に取り出される。
【０２４２】
そして、入力端子１５１に供給されるＨＤ信号より得られる注目位置の画素データとしての各ＨＤ画素データｙと、この各ＨＤ画素データｙにそれぞれ対応して第１のタップ選択回路１５３で選択的に取り出される予測タップのデータ（ＳＤ画素データ）ｘｉと、各ＨＤ画素データｙにそれぞれ対応してクラス合成回路１５９より出力されるクラスコードＣＬとから、正規方程式生成部１７１では、ＳＤ信号生成回路１５２で生成される各ＳＤ信号のそれぞれ対応して、クラスおよび出力画素の組み合わせ毎に、係数データＷｉ（ｉ＝１〜ｎ）を得るための正規方程式（（２０）式参照）が生成される。
【０２４３】
そして、係数データ決定部１７２でその正規方程式が解かれ、各ＳＤ信号にそれぞれ対応した、クラスおよび出力画素の各組み合わせの係数データＷｉが求められる。すなわち、係数データ決定部１７２からは、クラス、出力画素およびパラメータｓ，ｚの値の組み合わせ毎の係数データＷｉが得られる。この係数データＷｉは係数メモリ１６３に格納される。
【０２４４】
このように、図１８に示す係数データ生成装置１８０においては、図１７の画像信号処理部１１０Ａの情報メモリバンク１３５Ａに格納される、クラス、出力画素（ＨＤ1〜ＨＤ4，ＨＤ1′〜ＨＤ4′）およびパラメータｓ，ｚの値の組み合わせ毎の係数データＷｉを生成することができる。
【０２４５】
また、この係数データ生成装置１８０においては、ＳＤ信号生成回路１５２では、履歴情報に基づいて、入力されるパラメータｓ，ｚの値が調整され、この調整されたパラメータｓ，ｚによって、ＨＤ信号からＳＤ信号を得る際に用いられる帯域制限フィルタの空間方向および時間方向の帯域が可変されるものである。したがって、このようにして求められた係数データＷｉを、テレビ受信機１００Ａのバージョンアップ時に新たに装着される、画像信号処理部１１０Ａが含まれる基板の情報メモリバンク１３５Ａに格納して使用することで、ユーザは、パラメータｓ，ｚの値の調整により、過去の解像度調整の重心位置を中心とする範囲（図１０の一点鎖線枠ＡＦ参照）内で解像度の調整を行うことが可能となる。
【０２４６】
なお、図１７の画像信号処理部１１０Ａでは、空間方向（垂直方向および水平方向）の解像度を定めるパラメータｓと時間方向（フレーム方向）の解像度を定めるパラメータｚとを設定し、これらパラメータｓ，ｚの値を調整することで画像の空間方向および時間方向の解像度を調整し得るものを示したが、その他の画像の質を定めるパラメータを設けるものも同様に構成することができる。例えば、パラメータとしては、垂直方向の解像度を定めるパラメータ、水平方向の解像度を定めるパラメータ、ノイズ除去度を定めるパラメータなど種々考えられる。
【０２４７】
また、図１７の画像信号処理部１１０Ａでは、パラメータｓ，ｚの２つのパラメータを調整し得るものを示したが、１個または３個以上のパラメータを取り扱うものも同様に構成することができる。その場合も、履歴情報記憶部１３０には、それぞれのパラメータの履歴情報が格納されることとなる。そして、図１８に示す係数種データ生成部１８０では、それぞれのパラメータの履歴情報を使用して、上述したと同様の生成処理を行うことができる。
【０２４８】
また、図１７の画像信号処理部１１０Ａにおける処理を、図１の画像信号処理部１１０における処理と同様に、例えば図１３に示す画像信号処理装置３００によって、ソフトウェアで実現することも可能である。この場合、ＲＯＭ３０２等に、係数データが予め格納されて使用される。
【０２４９】
図１９のフローチャートを参照して、図１３に示す画像信号処理装置３００における、ＳＤ信号よりＨＤ信号を得るための処理手順を説明する。
【０２５０】
まず、ステップＳＴ６１で、処理を開始し、ステップＳ６２で、ＳＤ画素データをフレーム単位またはフィールド単位で入力する。このＳＤ画素データが入力端子３１４より入力される場合には、このＳＤ画素データをＲＡＭ３０３に一時的に格納する。また、このＳＤ画素データがハードディスクに記録されている場合には、ハードディスクドライブ３０５でこのＳＤ画素データを読み出し、ＲＡＭ３０３に一時的に格納する。そして、ステップＳＴ６３で、入力ＳＤ画素データの全フレームまたは全フィールドの処理が終わっているか否かを判定する。処理が終わっているときは、ステップＳＴ６４で、処理を終了する。一方、処理が終わっていないときは、ステップＳＴ６５に進む。
【０２５１】
このステップＳＴ６５では、ユーザがリモコン送信機２００を操作して入力した画質指定値（例えばパラメータｓ，ｚの値など）を例えばＲＡＭ３０３より読み込む。新たな画質指定値が入力されているときは、ステップＳＴ６６で、例えばハードディスクに格納される履歴情報（図１７のテレビ受信機１００Ａの履歴情報記憶部１３０における度数分布メモリ１３０ａ、経時変化メモリ１３０ｄの記憶内容に相当）を更新する。そして、ステップＳＴ６７で、読み込んだ画質指定値に基づいて、ＲＯＭ３０２等からその画質指定値に対応した、クラスおよび出力画素（図５のＨＤ1〜ＨＤ4、図６のＨＤ１′〜ＨＤ4′参照）の各組み合わせの係数データＷｉを読み出し、ＲＡＭ３０３に一時的に格納する。
【０２５２】
次に、ステップＳＴ６８で、ステップＳＴ６２で入力されたＳＤ画素データより、生成すべき各ＨＤ画素データに対応して、クラスタップおよび予測タップの画素データを取得する。そして、ステップＳＴ６９で、入力されたＳＤ画素データの全領域においてＨＤ画素データを得る処理が終了したか否かを判定する。終了しているときは、ステップＳＴ６２に戻り、次のフレームまたはフィールドのＳＤ画素データの入力処理に移る。一方、処理が終了していないときは、ステップＳＴ７０に進む。
【０２５３】
このステップＳＴ７０では、ステップＳＴ６８で取得されたクラスタップのＳＤ画素データからクラスコードＣＬを生成する。そして、ステップＳＴ７１で、そのクラスコードＣＬに対応した係数データと予測タップのＳＤ画素データを使用して、推定式により、ＨＤ画素データを生成し、その後にステップＳＴ６８に戻って、上述したと同様の処理を繰り返す。
【０２５４】
このように、図１９に示すフローチャートに沿って処理をすることで、入力されたＳＤ信号を構成するＳＤ画素データを処理して、ＨＤ信号を構成するＨＤ画素データを得ることができる。上述したように、このように処理して得られたＨＤ信号は出力端子３１５に出力されたり、ディスプレイ３１１に供給されてそれによる画像が表示されたり、さらにはハードディスクドライブ３０５に供給されてハードディスクに記録されたりする。
【０２５５】
上述したように例えばハードディスクに格納される履歴情報は、ステップＳＴ６７で使用する新たな係数データを生成する際に利用される。このように新たに生成される係数データを利用することで、ユーザの好みに合わせた調整範囲での画質調整が可能となる。なお、上述の履歴情報をメモリカードなどの装脱可能なメモリに格納するようにしてもよい。
【０２５６】
また、処理装置の図示は省略するが、図１８の係数データ生成装置１８０における処理も、ソフトウェアで実現可能である。
【０２５７】
図２０のフローチャートを参照して、係数データを生成するための処理手順を説明する。
【０２５８】
まず、ステップＳＴ８１で、処理を開始し、ステップＳＴ８２で、学習に使われる、画質パターン（例えば、パラメータｓ，ｚで特定される）を選択すると共に、その画質パターンを履歴情報に基づいて調整する。そして、ステップＳＴ８３で、全ての画質パターンに対する係数データの算出処理が終了したか否かを判定する。終了していないときは、ステップＳＴ８４に進む。
【０２５９】
このステップＳＴ８４では、既知のＨＤ画素データをフレーム単位またはフィールド単位で入力する。そして、ステップＳＴ８５で、全てのＨＤ画素データについて処理が終了したか否かを判定する。終了していないときは、ステップＳＴ８６で、ステップＳＴ８４で入力されたＨＤ画素データより、ステップＳＴ８２で調整された画質パターンに基づいて、ＳＤ画素データを生成する。
【０２６０】
そして、ステップＳＴ８７で、ステップＳＴ８６で生成されたＳＤ画素データより、ステップＳＴ８４で入力された各ＨＤ画素データに対応して、クラスタップおよび予測タップの画素データを取得する。そして、ステップＳＴ８８で、生成されたＳＤ画素データの全領域において学習処理を終了しているか否かを判定する。学習処理を終了しているときは、ステップＳＴ８４に戻って、次のＨＤ画素データの入力を行って、上述したと同様の処理を繰り返し、一方、学習処理を終了していないときは、ステップＳＴ８９に進む。
【０２６１】
このステップＳＴ８９では、ステップＳＴ８７で取得されたクラスタップのＳＤ画素データからクラスコードＣＬを生成する。そして、ステップＳＴ９０で、係数データを得るための正規方程式（（２０）式参照）を生成する。その後に、ステップＳＴ８７に戻る。
【０２６２】
上述したステップＳＴ８５で、全てのＨＤ画素データについて処理が終了したときは、ステップＳＴ９１で、ステップＳＴ９０で生成された正規方程式を掃き出し法などで解いて、クラスおよび出力画素（図５のＨＤ1〜ＨＤ4、図６のＨＤ１′〜ＨＤ4′参照）の各組み合わせの係数データを算出する。その後に、ステップＳＴ８２に戻って、次の画質パターンを選択、調整を行って、上述したと同様の処理を繰り返し、次の画質パターンに対応した、各組み合わせの係数データを求める。
【０２６３】
また、上述のステップＳＴ８３で、全ての画質パターンに対する係数データの算出処理が終了したときは、ステップＳＴ９２で、全ての画質パターンに対する各クラスの係数データをメモリに保存し、その後にステップＳＴ９３で、処理を終了する。
【０２６４】
このように、図２０に示すフローチャートに沿って処理をすることで、図１８に示す係数データ生成装置１８０と同様の手法によって、係数データを得ることができる。
【０２６５】
次に、この発明のさらに他の実施の形態について説明する。
【０２６６】
図２１は、他の実施の形態としてのテレビ受信機１００Ｂの構成を示している。このテレビ受信機１００Ｂも、放送信号よりＳＤ信号としての５２５ｉ信号を得、この５２５ｉ信号をＨＤ信号としての１０５０ｉ信号に変換し、その１０５０ｉ信号による画像を表示するものである。この図２１において、図１と対応する部分には同一符号を付して示している。
【０２６７】
テレビ受信機１００Ｂは、図１に示すテレビ受信機１００の画像信号処理部１１０が画像信号処理部１１０Ｂに置き換えられたものであって、テレビ受信機１００と同様の動作をする。
【０２６８】
画像信号処理部１１０Ｂの詳細を説明する。この画像信号処理部１１０Ｂにおいて、図１に示す画像信号処理部１１０と対応する部分には同一符号を付し、その詳細説明は省略する。
【０２６９】
この画像信号処理部１１０Ｂは、情報メモリバンク１３５Ｂを有している。この情報メモリバンク１３５Ｂには、クラスおよび出力画素（図５のＨＤ1〜ＨＤ4、図６のＨＤ１′〜ＨＤ4′参照）の組み合わせ毎に、推定式（（４）式参照）で用いられる係数データＷｉ（ｉ＝１〜ｎ）を生成するための生成式（（５）式参照）における係数データである係数種データｗ10〜ｗn9が、格納されている。この係数種データｗ10〜ｗn9の生成方法については後述する。
【０２７０】
また、この情報メモリバンク１３５Ｂには、格納されている係数種データｗ10〜ｗn9に関連して、第１のタップ選択回路１２１で選択される予測タップのタップ位置情報が格納されている。このタップ位置情報は、係数種データｗ10〜ｗn9を生成した際の生成装置における予測タップの位置情報である。システムコントローラ１０１は、このように、情報メモリバンク１３５Ｂに格納されているタップ位置情報に基づいて、第１のタップ選択回路１２１で選択される予測タップの位置を、係数種データｗ10〜ｗn9を生成した際の生成装置における予測タップの位置と等しくなるように切り換える。
【０２７１】
ここで、第１のタップ選択回路１２１で選択される予測タップの位置は、水平方向、垂直方向、時間方向に亘っている。本実施の形態においては、情報メモリバンク１３５Ｂに格納されるタップ位置情報に基づいて、Ａタイプ、Ｂタイプ、Ｃタイプのいずれかに、予測タップの位置が切り換えられる。
【０２７２】
図２２Ａ〜Ｃは、それぞれＡ〜Ｃタイプの予測タップ位置を示している。ここで、「○」は選択される予測タップの位置を示している。また、Ｆ0は、作成すべきＨＤ信号の画素データ（注目位置の画素データ）が存在するフィールドであり、このフィールドＦ0に中心予測タップＴＰが存在する。また、Ｆ-1は、フィールドＦ0より前のフィールドであり、Ｆ+1は、フィールドＦ0より後のフィールドである。
【０２７３】
図２２Ａに示すＡタイプの予測タップ位置は、空間方向（垂直方向および水平方向）の予測タップの個数を多くしたものである。これにより、パラメータｚの値で定められる時間方向の解像度に比べて、パラメータｓの値で定められる空間方向の解像度が精度よく創造されるものとなる。図２２Ｃに示すＣタイプの予測タップ位置は、時間方向の予測タップの個数を多くしたものである。これにより、パラメータｓの値で定められる空間方向の解像度に比べて、パラメータｚの値で定められる時間方向の解像度が精度よく創造されるものとなる。図２２Ｂに示すＢタイプの予測タップ位置は、ＡタイプとＣタイプの中間である。なお、Ａ〜Ｃタイプのそれぞれにおいて予測タップの個数は等しくされている。
【０２７４】
図２１に戻って、画像信号処理部１１０Ｂのその他の構成は、図１の画像信号処理部１１０の構成と同様である。
【０２７５】
詳細説明は省略するが、このように構成される画像信号処理部１１０Ｂの動作は、図１の画像信号処理部１１０の動作と全く同様である。
【０２７６】
すなわち、ＳＤ信号（５２５ｉ信号）をＨＤ信号（１０５０ｉ信号）に変換することができる。また、ユーザは、パラメータｓ，ｚの値を調整することで、ＨＤ信号による画像の空間方向および時間方向の解像度を自由に調整できる。
【０２７７】
また、履歴情報記憶部１３０の度数分布メモリ１３０ａ（図７参照）には、システムコントローラ１０１から係数生成回路１３６に入力されるパラメータｓ，ｚの値のそれぞれの度数分布の情報が格納される。また、履歴情報記憶部１３０の経時変化メモリ１３０ｄ（図７参照）には、システムコントローラ１０１から係数生成回路１３６に入力されるパラメータｓ，ｚの値のうち、所定数、例えば１０個の最新のパラメータｓ，ｚの値が格納される。
【０２７８】
このように、履歴情報記録部１３０の度数分布メモリ１３０ａ、経時変化メモリ１３０ｄに格納される履歴情報は、例えばテレビ受信機１００Ｂのバージョンアップ時に画像信号処理部１１０Ｂが含まれる基板を取り換える場合において、その情報メモリバンク１３５Ｂに格納される係数種データｗ10〜ｗn9を生成する際などに利用される。
【０２７９】
情報メモリバンク１３５Ｂに格納される係数種データｗ10〜ｗn9は、図１の画像信号処理部１１０の情報メモリバンク１３５に格納される係数種データｗ10〜ｗn9と同様の方法で生成される。
【０２８０】
図２３は、上述したテレビ受信機１００Ｂの情報メモリバンク１３５Ｂに格納される係数種データｗ10〜ｗn9を生成するための係数種データ生成装置１５０Ｂの構成を示している。この図２３において、図９と対応する部分には同一符号を付し、その詳細説明は省略する。
【０２８１】
この係数種データ生成装置１５０Ｂは、入力端子１５１に入力されるＨＤ信号に対して水平および垂直の間引き処理を行って、生徒信号としてのＳＤ信号を得るＳＤ信号生成回路１５２Ｂを有している。このＳＤ信号生成回路１５２Ｂには、上述したテレビ受信機１００Ｂ（図２１参照）におけるパラメータｓ，ｚの値と対応した、パラメータｓ，ｚの値が入力される。しかし、図９の係数種データ生成装置１５０におけるＳＤ信号生成回路１５２とは異なり、履歴情報は入力されない。
【０２８２】
したがって、このＳＤ信号生成回路１５２Ｂでは、入力されたパラメータｓ，ｚの値が調整されることはなく、入力されたパラメータｓ，ｚの値そのものに応じて、ＨＤ信号からＳＤ信号を生成する際に用いられる帯域制限フィルタの、空間方向および時間方向の帯域が可変される。
【０２８３】
また、係数種データ生成装置１５０Ｂは、ＳＤ信号生成回路１５２より出力されるＳＤ信号（５２５ｉ信号）より、ＨＤ信号（１０５０ｉ信号）における注目位置の周辺に位置する予測タップのデータ（ＳＤ画素データ）ｘｉを選択的に取り出す第１のタップ選択回路１５３Ｂを有している。
【０２８４】
この第１のタップ選択回路１５３Ｂには、図９の係数種データ生成装置１５０における第１のタップ選択回路１５３とは異なり、上述したテレビ受信機１００Ｂの履歴情報記憶部１３０の度数分布メモリ１３０ａ、経時変化メモリ１３０ｄ（図７参照）に格納されている、入力されたパラメータｓ，ｚの値の履歴情報が供給される。
【０２８５】
なお、使用開始前のテレビ受信機１００Ｂの情報メモリバンク１３５Ｂに格納される係数種データｗ10〜ｗn9を生成する際には、いまだ履歴情報記憶部１３０の度数分布メモリ１３０ａ、経時変化メモリ１３０ｄに履歴情報が格納されていないので、第１のタップ選択回路１５３Ｂに履歴情報は入力されない。つまり、第１のタップ選択回路１５３Ｂに履歴情報が入力されるのは、例えばテレビ受信機１００Ｂのバージョンアップ時に、画像信号処理部１１０Ｂが含まれる基板を取り換える場合であって、その情報メモリバンク１３５Ｂに格納される係数種データｗ10〜ｗn9を生成する際などである。
【０２８６】
第１のタップ選択回路１５３Ｂでは、履歴情報に基づいて、予測タップ位置は、図２２Ａ〜Ｃに示すＡ〜Ｃタイプのいずれかに切り換えられる。
【０２８７】
履歴情報の入力がないときは、図２２Ｂに示すＢタイプとされる。この場合、パラメータｓの値で定められる空間方向の解像度と、パラメータｚの値で定められる時間方向の解像度とが、それぞれ一定の精度で創造されるように、係数種データｗ10〜ｗn9が生成される。
【０２８８】
履歴情報が入力される場合、第１のタップ選択回路１５３Ｂでは、パラメータｓ，ｚの値のそれぞれにおける度数分布の情報が用いられて重心位置が求められる。この場合、所定数の最新のパラメータｓ，ｚの値に対応する値で新しいほど大きな重み付けがされる。そして、第１のタップ選択回路１５２Ｂでは、この重心位置に応じて、予測タップ位置のタイプが選択される。
【０２８９】
上述のテレビ受信機１００Ｂでは、ユーザの操作によってパラメータｓ，ｚの値が、例えばそれぞれ０〜８の範囲内で、所定のステップをもって調整され、空間方向および時間方向の解像度の調整が行われる。
【０２９０】
上述の重心位置が図２４のＡＲａの範囲に存在し、ユーザが空間方向の解像度に重きを置いた調整を行っていると想定されるときは、図２２Ａに示すＡタイプが選択される。この場合、空間方向（垂直方向および水平方向）の予測タップの個数が多くなるため、パラメータｚの値で定められる時間方向の解像度に比べて、パラメータｓの値で定められる空間方向の解像度が精度よく創造されるように、係数種データｗ10〜ｗn9が生成される。
【０２９１】
また、この重心位置が図２４のＡＲｂの範囲に存在し、ユーザが空間方向および時間方向の解像度の一方にのみ重きを置いた調整を行っているとは想定されないときは、図２２Ｂに示すＢタイプが選択される。この場合、上述の履歴情報の入力がない場合と同様に、パラメータｓの値で定められる空間方向の解像度と、パラメータｚの値で定められる時間方向の解像度とが、それぞれ一定の精度で創造されるように、係数種データｗ10〜ｗn9が生成される。
【０２９２】
さらに、この重心位置が図２４のＡＲｃの範囲に存在し、ユーザが空間方向の解像度に重きを置いた調整を行っていると想定されるときは、図２２Ｃに示すＣタイプが選択される。例えば、テレビ受信機１００Ｂにおけるパラメータｓ，ｚの調整位置が、図２４に「×」印で示す位置にある場合には、重心位置はＡＲｃの範囲に存在するため、図２２Ｃに示すＣタイプが選択されることとなる。
【０２９３】
この場合、時間方向の予測タップの個数が多くなるため、パラメータｓの値で定められる空間方向の解像度に比べて、パラメータｚの値で定められる時間方向の解像度が精度よく創造されるように、係数種データｗ10〜ｗn9が生成される。
【０２９４】
係数種データ生成装置１５０Ｂのその他の構成は、図９の係数種データ生成装置１５０と同様である。詳細説明は省略するが、このように構成される係数種データ１５０Ｂの動作は、図９の係数種データ生成装置１５０と同様であり、図２１に示すテレビ受信機１００Ｂの情報メモリバンク１３５Ｂに格納される係数種データｗ10〜ｗn9を良好に生成することができる。なお、上述したテレビ受信機１００Ｂの情報メモリバンク１３５Ｂに格納されるタップ位置情報は、このように係数種データ生成装置１５０Ｂで係数種データｗ10〜ｗn9を生成した際におけるタップ位置の情報である。
【０２９５】
このようにして求められた係数種データｗ10〜ｗn9を、テレビ受信機１００Ｂのバージョンアップ時に新たに装着される画像信号処理部１１０Ｂが含まれる基板の情報メモリバンク１３５Ｂに格納して使用することで、ユーザが過去に空間方向の解像度に重きを置いている場合には空間方向の解像度が精度よく創造されるようになり、一方ユーザが過去に時間方向の解像度に重きを置いている場合には時間方向の解像度が精度よく創造される。すなわち、ユーザの好みに合わせた解像度創造を行うことができる。
【０２９６】
なお、図２３に示す係数種データ生成装置１５０Ｂは、図９に示す係数種データ生成装置１５０に対応したものであったが、図１２に示す係数種データ生成装置１５０′に対応する係数種データ生成装置によっても、テレビ受信機１００Ｂの情報メモリバンク１３５Ｂに格納される係数種データｗ10〜ｗn9を生成することができる。この場合、係数種データ生成装置１５０′におけるＳＤ信号生成回路１５２および第１のタップ選択回路１５３の部分を、図２３に示す係数種データ生成装置１５０ＢにおけるＳＤ信号生成回路１５２Ｂおよび第１のタップ選択回路１５３Ｂに置き換えればよい。
【０２９７】
また、図２１の画像信号処理部１１０Ｂでは、空間方向（垂直方向および水平方向）の解像度を定めるパラメータｓと時間方向（フレーム方向）の解像度を定めるパラメータｚとを設定し、これらパラメータｓ，ｚの値を調整することで画像の空間方向および時間方向の解像度を調整し得るものを示したが、その他の２以上の方向の解像度を調整し得るものも同様に構成することができる。例えば、垂直方向および水平方向の解像度を調整するもの、あるいは垂直方向、水平方向および時間方向の解像度を調整するものである。
【０２９８】
また、図２１の画像信号処理部１１０Ｂでは、第１のタップ選択回路１２１で選択できる予測タップのタップ位置のタイプは図２２Ａ〜Ｃの３タイプであったが、選択し得るタップ位置のタイプの個数はこれに限定されるものではない。
【０２９９】
また、図２１の画像信号処理部１１０Ｂにおける処理を、例えば図１３に示すような画像信号処理装置３００によって、ソフトウェアで実現することも可能である。この場合の画像信号処理は、基本的には、図１４に示すフローチャートに沿って行われるが、ステップＳＴ８で予測タップの画素データを取得する際に、予測タップの画素位置は、ステップＳＴ７で使用される係数種データｗ10〜ｗn9が生成された際の生成装置における予測タップの位置と等しくされる。
【０３００】
また、処理装置の図示は省略するが、図２３の係数種データ生成装置１５０Ｂにおける処理も、ソフトウェアで実現可能である。この場合の係数種データ生成処理は、基本的には、図１５に示すフローチャートに沿って行われるが、ステップＳＴ２２では、画質パターン（パラメータｓ，ｚで特定される）の選択のみ行われ、履歴情報による調整は行われない。また、ステップＳＴ２７で予測タップの画素データを取得する際、その予測タップの画素位置は履歴情報に基づいて選択される。
【０３０１】
次に、この発明の他の実施の形態について説明する。
【０３０２】
図２５は、他の実施の形態としてのテレビ受信機１００Ｃの構成を示している。このテレビ受信機１００Ｃも、放送信号よりＳＤ信号としての５２５ｉ信号を得、この５２５ｉ信号をＨＤ信号としての１０５０ｉ信号に変換し、その１０５０ｉ信号による画像を表示するものである。この図２５において、図１７と対応する部分には同一符号を付して示している。
【０３０３】
テレビ受信機１００Ｃは、図１７に示すテレビ受信機１００Ａの画像信号処理部１１０Ａが画像信号処理部１１０Ｃに置き換えられたものであって、テレビ受信機１００Ａと同様の動作をする。
【０３０４】
画像信号処理部１１０Ｃの詳細を説明する。この画像信号処理部１１０Ｃにおいて、図１７に示す画像信号処理部１１０Ａと対応する部分には同一符号を付し、その詳細説明は省略する。
【０３０５】
この画像信号処理部１１０Ｃは、情報メモリバンク１３５Ｃを有している。この情報メモリバンク１３５Ｃには、クラス、出力画素（図５のＨＤ1〜ＨＤ4、図６のＨＤ１′〜ＨＤ4′参照）およびパラメータｓ，ｚの値の組み合わせ毎に、係数データＷｉ（ｉ＝１〜ｎ）が予め格納されている。この係数データＷｉの生成方法については後述する。
【０３０６】
また、この情報メモリバンク１３５Ｃには、格納されている係数データＷｉ（ｉ＝１〜ｎ）に関連して、第１のタップ選択回路１２１で選択される予測タップのタップ位置情報が格納されている。このタップ位置情報は、係数データＷｉを生成した際の生成装置における予測タップの位置情報である。システムコントローラ１０１は、このように、情報メモリバンク１３５Ｃに格納されているタップ位置情報に基づいて、第１のタップ選択回路１２１で選択される予測タップの位置を、係数データＷｉを生成した際の生成装置における予測タップの位置と等しくなるように切り換える。
【０３０７】
ここで、第１のタップ選択回路１２１で選択される予測タップの位置は、水平方向、垂直方向、時間方向に亘っている。この予測タップの位置は、図２１の画像信号処理部１１０Ｂにおけると同様に、情報メモリバンク１３５Ｃに格納されるタップ位置情報に基づいて、Ａタイプ、Ｂタイプ、Ｃタイプのいずれかに切り換えられる。
【０３０８】
画像信号処理部１１０Ｃのその他の構成は、図１７の画像信号処理部１１０Ａの構成と同様である。
【０３０９】
詳細説明は省略するが、このように構成される画像信号処理部１１０Ｃの動作は、図１７の画像信号処理部１１０Ａの動作と全く同様である。
【０３１０】
すなわち、ＳＤ信号（５２５ｉ信号）をＨＤ信号（１０５０ｉ信号）に変換することができる。また、ユーザは、パラメータｓ，ｚの値を調整することで、ＨＤ信号による画像の空間方向および時間方向の解像度を自由に調整できる。
【０３１１】
また、履歴情報記憶部１３０の度数分布メモリ１３０ａ（図７参照）には、システムコントローラ１０１から情報メモリバンク１３５Ｃに入力されるパラメータｓ，ｚの値のそれぞれの度数分布の情報が格納される。また、履歴情報記憶部１３０の経時変化メモリ１３０ｄ（図７参照）には、システムコントローラ１０１から情報メモリバンク１３５Ｃに入力されるパラメータｓ，ｚの値のうち、所定数、例えば１０個の最新のパラメータｓ，ｚの値が格納される。
【０３１２】
このように、履歴情報記録部１３０の度数分布メモリ１３０ａ、経時変化メモリ１３０ｄに格納される履歴情報は、例えばテレビ受信機１００Ｃのバージョンアップ時に画像信号処理部１１０Ｃが含まれる基板を取り換える場合において、その情報メモリバンク１３５Ｃに格納される係数データＷｉを生成する際などに利用される。
【０３１３】
情報メモリバンク１３５Ｃに格納される係数データＷｉ（ｉ＝１〜ｎ）は、図１７の画像信号処理部１１０Ａの情報メモリバンク１３５Ａに格納される係数データＷｉと同様の方法で生成される。
【０３１４】
図２６は、上述したテレビ受信機１００Ｃの情報メモリバンク１３５Ｃに格納される係数データＷｉを生成するための係数データ生成装置１８０Ｃの構成を示している。この図２６において、図１８と対応する部分には同一符号を付し、その詳細説明は省略する。
【０３１５】
この係数種データ生成装置１８０Ｃは、入力端子１５１に入力されるＨＤ信号に対して水平および垂直の間引き処理を行って、生徒信号としてのＳＤ信号を得るＳＤ信号生成回路１５２Ｃを有している。このＳＤ信号生成回路１５２Ｃには、上述したテレビ受信機１００Ｃ（図２５参照）におけるパラメータｓ，ｚの値と対応した、パラメータｓ，ｚの値が入力される。しかし、図１８の係数データ生成装置１８０におけるＳＤ信号生成回路１５２とは異なり、履歴情報は入力されない。
【０３１６】
したがって、このＳＤ信号生成回路１５２Ｃでは、入力されたパラメータｓ，ｚの値が調整されることはなく、入力されたパラメータｓ，ｚの値そのものに応じて、ＨＤ信号からＳＤ信号を生成する際に用いられる帯域制限フィルタの、空間方向および時間方向の帯域が可変される。
【０３１７】
また、係数データ生成装置１８０Ｃは、ＳＤ信号生成回路１５２Ｃより出力されるＳＤ信号（５２５ｉ信号）より、ＨＤ信号（１０５０ｉ信号）における注目位置の周辺に位置する予測タップのデータ（ＳＤ画素データ）ｘｉを選択的に取り出す第１のタップ選択回路１５３Ｃを有している。
【０３１８】
この第１のタップ選択回路１５３Ｃには、図１８の係数データ生成装置１８０における第１のタップ選択回路１５３とは異なり、上述したテレビ受信機１００Ｃの履歴情報記憶部１３０の度数分布メモリ１３０ａ、経時変化メモリ１３０ｄ（図７参照）に格納されている、入力されたパラメータｓ，ｚの値の履歴情報が供給される。
【０３１９】
なお、使用開始前のテレビ受信機１００Ｃの情報メモリバンク１３５Ｃに格納される係数データＷｉを生成する際には、いまだ履歴情報記憶部１３０の度数分布メモリ１３０ａ、経時変化メモリ１３０ｄに履歴情報が格納されていないので、第１のタップ選択回路１５３Ｃに履歴情報は入力されない。つまり、第１のタップ選択回路１５３Ｃに履歴情報が入力されるのは、例えばテレビ受信機１００Ｃのバージョンアップ時に、画像信号処理部１１０Ｃが含まれる基板を取り換える場合であって、その情報メモリバンク１３５Ｃに格納される係数データＷｉを生成する際などである。
【０３２０】
第１タップ選択回路１５３Ｃでは、履歴情報に基づいて、予測タップ位置は、図２２Ａ〜Ｃに示すＡ〜Ｃタイプのいずれかに切り換えられる。
【０３２１】
履歴情報の入力がないときは、図２２Ｃに示すＢタイプとされる。この場合、パラメータｓの値で定められる空間方向の解像度と、パラメータｚの値で定められる時間方向の解像度とが、それぞれ一定の精度で創造されるように、係数データＷｉが生成される。
【０３２２】
履歴情報が入力される場合、第１のタップ選択回路１５３Ｃでは、パラメータｓ，ｚの値のそれぞれにおける度数分布の情報が用いられて重心位置が求められる。この場合、所定数の最新のパラメータｓ，ｚの値に対応する値で新しいほど大きな重み付けがされる。そして、第１のタップ選択回路１５２Ｃでは、この重心位置に応じて、予測タップ位置のタイプが選択される。
【０３２３】
上述のテレビ受信機１００Ｃでは、ユーザの操作によってパラメータｓ，ｚの値が、例えばそれぞれ０〜８の範囲内で、所定のステップをもって調整され、空間方向および時間方向の解像度の調整が行われる。
【０３２４】
上述の重心位置が図２４のＡＲａの範囲に存在し、ユーザが空間方向の解像度に重きを置いた調整を行っていると想定されるときは、図２２Ａに示すＡタイプが選択される。この場合、空間方向（垂直方向および水平方向）の予測タップの個数が多くなるため、パラメータｚの値で定められる時間方向の解像度に比べて、パラメータｓの値で定められる空間方向の解像度が精度よく創造されるように、係数データＷｉが生成される。
【０３２５】
また、この重心位置が図２４のＡＲｂの範囲に存在し、ユーザが空間方向および時間方向の解像度の一方にのみ重きを置いた調整を行っているとは想定されないときは、図２２Ｂに示すＢタイプが選択される。この場合、上述の履歴情報の入力がない場合と同様に、パラメータｓの値で定められる空間方向の解像度と、パラメータｚの値で定められる時間方向の解像度とが、それぞれ一定の精度で創造されるように、係数データＷｉが生成される。
【０３２６】
さらに、この重心位置が図２４のＡＲｃの範囲に存在し、ユーザが空間方向の解像度に重きを置いた調整を行っていると想定されるときは、図２２Ｃに示すＣタイプが選択される。この場合、時間方向の予測タップの個数が多くなるため、パラメータｓの値で定められる空間方向の解像度に比べて、パラメータｚの値で定められる時間方向の解像度が精度よく創造されるように、係数データＷｉが生成される。
【０３２７】
係数データ生成装置１８０Ｃのその他の構成は、図１８の係数データ生成装置１８０と同様である。詳細説明は省略するが、このように構成される係数データ生成装置１８０Ｃの動作は、図１８の係数データ生成装置１８０と同様であり、図２５に示すテレビ受信機１００Ｃの情報メモリバンク１３５Ｃに格納される係数データＷｉを良好に生成することができる。なお、上述したテレビ受信機１００Ｃの情報メモリバンク１３５Ｃに格納されるタップ位置情報は、このように係数データ生成装置１８０Ｃで係数データＷｉを生成した際におけるタップ位置の情報である。
【０３２８】
このようにして求められた係数データＷｉを、テレビ受信機１００Ｃのバージョンアップ時に新たに装着される、画像信号処理部１１０Ｃが含まれる基板の情報メモリバンク１３５Ｃに格納して使用することで、ユーザが過去に空間方向の解像度に重きを置いている場合には空間方向の解像度が精度よく創造されるようになり、一方ユーザが過去に時間方向の解像度に重きを置いている場合には時間方向の解像度が精度よく創造される。すなわち、ユーザの好みに合わせた解像度創造を行うことができる。
【０３２９】
なお、図２５の画像信号処理部１１０Ｃでは、空間方向（垂直方向および水平方向）の解像度を定めるパラメータｓと時間方向（フレーム方向）の解像度を定めるパラメータｚとを設定し、これらパラメータｓ，ｚの値を調整することで画像の空間方向および時間方向の解像度を調整し得るものを示したが、その他の２以上の方向の解像度を調整し得るものも同様に構成することができる。例えば、垂直方向および水平方向の解像度を調整するもの、あるいは垂直方向、水平方向および時間方向を調整するものである。
【０３３０】
また、図２５の画像信号処理部１１０Ｃでは、第１のタップ選択回路１２１で選択できる予測タップのタップ位置のタイプはＡ〜Ｃの３タイプであったが、選択し得るタップ位置のタイプの個数はこれに限定されるものではない。
【０３３１】
また、図２５の画像信号処理部１１０Ｃにおける処理を、例えば図１３に示すような画像信号処理装置３００によって、ソフトウェアで実現することも可能である。この場合の画像信号処理は、基本的には、図１９に示すフローチャートに沿って行われるが、ステップＳＴ６８で予測タップの画素データを取得する際に、予測タップの画素位置は、ステップＳＴ６７で読み出される係数データＷｉが生成された際の生成装置における予測タップの位置と等しくされる。
【０３３２】
また、処理装置の図示は省略するが、図２６の係数データ生成装置１８０Ｃにおける処理も、ソフトウェアで実現可能である。この場合の係数データ生成処理は、基本的には、図２０に示すフローチャートに沿って行われるが、ステップＳＴ８２では、画質パターン（パラメータｓ，ｚで特定される）の選択のみ行われ、履歴情報による調整は行われない。また、ステップＳＴ８７で予測タップの画素データを取得する際、その予測タップの画素位置は履歴情報に基づいて選択される。
【０３３３】
なお、上述した図１、図１７、図２１および図２５に示す各実施の形態においては、ＨＤ信号を生成する際の推定式として線形一次方程式を使用したものを挙げたが、これに限定されるものではなく、例えば推定式として高次方程式を使用するものであってもよい。
【０３３４】
また、上述した図１、図１７、図２１および図２５に示す各実施の形態においては、ＳＤ信号（５２５ｉ信号）をＨＤ信号（１０５０ｉ信号）に変換する例を示したが、この発明はそれに限定されるものでなく、推定式を使用して第１の画像信号を第２の画像信号に変換するその他の場合にも同様に適用できることは勿論である。
【０３３５】
また、上述した図１、図１７、図２１および図２５に示す各実地の形態においては、情報信号が画像信号である場合を示したが、この発明はこれに限定されない。例えば、情報信号が音声信号である場合にも、この発明を同様に適用することができる。
【０３３６】
次に、この発明の別の実施の形態について説明する。図２７は、実施の形態としての受信装置５００の構成を示している。
【０３３７】
この受信装置５００は、図示しないＣＰＵ(Central Processing Unit)を備え、装置全体の動作を制御するための制御部５０１を有している。なお、この制御部５０１は制御手段の一例として機能し、タイマ部５０２を持っている。また、この制御部５０１には、ユーザが選局操作、録画操作、録画予約操作、再生操作等の種々の操作を行うための操作部５０３が接続されている。
【０３３８】
また、受信装置５００は、アナログ放送信号およびデジタル放送信号を受信する受信アンテナ５０４と、このアンテナ５０４で受信される放送信号を後述するアナログチューナ部５０６およびデジタルチューナ部５２１に選択的に入力するためのセレクタ５０５とを有している。この場合、セレクタ５０５は、受信アンテナ５０４で受信された放送信号を、アナログ放送信号に含まれる番組を受信する際にはアナログチューナ部５０６に入力し、一方、デジタル放送信号に含まれる番組を受信する際にはデジタルチューナ部５２１に入力する。
【０３３９】
また、受信装置５００は、入力されるアナログ放送信号に対して選局処理を行って所定番組の中間周波信号を得るアナログチューナ部５０６と、このアナログチューナ部５０６で得られる中間周波信号に対して復調処理（映像検波処理）を行って、放送データとしての所定番組の映像信号を得る復調部５０７とを有している。なお、このように復調回路５０７で得られる映像信号の例えば垂直ブランキング期間には、この所定番組に対応した付加情報ＡＩ１が多重されている。この付加情報ＡＩ１には、この所定番組のタイトル、出演者の人名およびジャンル等の情報が含まれている。
【０３４０】
また、受信装置５００は、復調部５０７で得られる映像信号を、後述する記録制御部５１０、ＹＣ分離制御部５１２に入力するためのセレクタ５０８を有している。この場合、セレクタ５０８は、復調部５０７で得られる映像信号を、記録する際には記録制御部５１０に入力し、この映像信号による画像を、ＣＲＴ(Cathode-Ray Tube)やＬＣＤ(Liquid Crystal Display)等の表示素子（図示せず）に表示する場合には、ＹＣ分離制御部５１２に入力する。
【０３４１】
また、受信装置５００は、アナログ記録部としてのＶＴＲ(Video Tape Recorder)５０９と、このＶＴＲ５０９への映像信号の記録を制御する記録制御部５１０と、このＶＴＲ５０９からの映像信号の再生を制御する再生制御部５１１と、映像情報より輝度信号Ｙおよび搬送色信号Ｃをそれぞれ分離し、その後に搬送色信号Ｃに対して復調処理を行って赤色差信号Ｒ−Ｙ、青色差信号Ｂ−Ｙを得、さらにその後にこれらの信号Ｙ，Ｒ−Ｙ，Ｂ−Ｙを用いたマトリックス処理を行って、画像データとしての赤、緑、青の色信号Ｒ，Ｇ，Ｂを得るＹＣ分離制御部５１２を有している。
【０３４２】
この場合、ＶＴＲ５０９への映像信号の記録時において、このＶＴＲ５０９への映像信号の供給は、記録制御部５１０を介して行われる。また、ＶＴＲ５０９からの映像信号の再生時において、再生された映像信号は、再生制御部５１１を介して、ＹＣ分離制御部５１２に入力される。
【０３４３】
図２８は、ＹＣ分離制御部５１２の構成を示している。すなわち、復調部５０７からセレクタ５０８を介して入力される映像信号ＳＶａは、付加情報検出部６０１およびＹ／Ｃ分離部６０２に供給される。同様に、ＶＴＲ５０９で再生されて再生制御部５１１を介して入力される映像信号ＳＶｂは、付加情報検出部６０１およびＹ／Ｃ分離部６０２に供給される。
【０３４４】
付加情報検出部６０１は、供給される映像信号ＳＶａまたは映像信号ＳＶｂの垂直ブランキング期間に多重されている付加情報ＡＩ１を検出し、検出した付加情報ＡＩ１を後述するログ記録制御部５４２に供給する。Ｙ／Ｃ分離部６０２は、供給される映像信号ＳＶａまたは映像信号ＳＶｂを輝度信号Ｙと搬送色信号Ｃとに分離し、搬送色信号Ｃを色復調部６０３に入力すると共に、輝度信号Ｙをマトリックス部６０４に入力する。
【０３４５】
色復調部６０３は、入力される搬送色信号Ｃを復調して赤色差信号Ｒ−Ｙおよび青色差信号Ｂ−Ｙを取り出し、これらの色差信号Ｒ−Ｙ，Ｂ−Ｙをマトリックス部６０４に入力する。マトリックス部６０４は、入力される輝度信号Ｙおよび色差信号Ｒ−Ｙ，Ｂ−Ｙを用いてマトリックス演算を行って赤、緑、青の色信号Ｒ，Ｇ，Ｂを生成し、これら色信号Ｒ，Ｇ，Ｂを出力する。
【０３４６】
また、図２７に戻って、受信装置５００は、ＹＣ分離制御部５１２より出力される赤、緑、青の色信号Ｒ，Ｇ，Ｂに対して、ＯＳＤ(On Screen Display)機能のために、文字図形などの表示を行う表示信号ＳＣＨを合成する合成部５１３を有している。この合成部５１３より出力される赤、緑、青の色信号Ｒ，Ｇ，ＢがＣＲＴやＬＣＤ等の表示素子（図示せず）に供給されることで、この表示素子に映像信号ＳＶａまたは映像信号ＳＶｂによる画像が表示されることとなる。
【０３４７】
また、受信装置５００は、入力されるデジタル放送信号に対して選局処理を行って所定番組のデジタル変調データを得るデジタルチューナ部５２１と、このデジタルチューナ部５２１で得られるデジタル変調データに対して復調処理を行って放送データとしてのＭＰＥＧ(Moving Picture Experts Group)データを得るチャネルデコーダ５２２とを有している。なお、このようにチャネルデコーダ５２２で得られるＭＰＥＧデータには、この所定番組に対応した付加情報ＡＩ２が多重されている。この付加情報ＡＩ２には、この所定番組のタイトル、出演者の人名およびジャンル等の情報が含まれている。
【０３４８】
また、受信装置５００は、チャネルデコーダ５２２で得られるＭＰＥＧデータを、後述するＭＰＥＧデコーダ５２７、記録制御部５２５に入力するためのセレクタ５２３を有している。この場合、セレクタ５２３は、チャネルデコーダ５２２で得られるＭＰＥＧデータを記録する際には記録制御部５２５に入力し、ＭＰＥＧデータによる画像をＣＲＴやＬＣＤ等の表示素子（図示せず）に表示する場合には、ＭＰＥＧデコーダ５２７に入力する。
【０３４９】
また、受信装置５００は、デジタル記録部としてのＨＤＤ(Hard Disk Drive)５２４と、このＨＤＤ５２４へのＭＰＥＧデータの記録を制御する記録制御部５２５と、このＨＤＤ５２４からのＭＰＥＧデータの再生を制御する再生制御部５２６と、ＭＰＥＧデータに対して復号化処理を行って、画像データとしての赤、緑、青の色信号Ｒ，Ｇ，Ｂを得るＭＰＥＧデコーダ５２７とを有している。
【０３５０】
この場合、ＨＤＤ５２４へのＭＰＥＧデータの記録時において、このＨＤＤ５２４へのＭＰＥＧデータの供給は、記録制御部５２５を介して行われる。一方、ＨＤＤ５２４からのＭＰＥＧデータの再生時において、再生されたＭＰＥＧデータは、再生制御部５２６を介してＭＰＥＧデータ５２７に入力される。なお、セレクタ５２３はＭＰＥＧデータに付加されている付加情報ＡＩ２を抽出する機能を備えており、このセレクタ５２３で抽出される付加情報ＡＩ２は、記録制御部５２５を介して後述するログ記録制御部５４２に供給される。
【０３５１】
また、受信装置５００は、再生部としてのＤＶＤ(Digital Video Disc)再生部５３１と、このＤＶＤ再生部５３１からのコンテンツデータの再生を制御する再生制御部５３２とを有している。
【０３５２】
このＤＶＤ再生部５３１からは、ユーザの操作に応じて、所定のコンテンツのコンテンツデータが再生される。このコンテンツデータには付加情報ＡＩ３が含まれており、この所定のコンテンツのタイトル、出演者の人名、監督の人名、作曲家の人名、作詞家の人名およびジャンル等の情報が含まれている。
【０３５３】
この場合、ＤＶＤ再生部５３１からの所定のコンテンツデータの再生時において、このコンテンツデータに含まれるＭＰＥＧデータは、再生制御部５３２を介してＭＰＥＧデコーダ５２７に入力される。なお、再生制御部５３２は、さらに、コンテンツデータに付加されている付加情報ＡＩ３を抽出し、この付加情報ＡＩ３を後述するログ記録制御部５４２に供給する。
【０３５４】
図２９は、再生制御部５３２の構成を示している。すなわち、再生制御部５３２は信号読み出し部６１１を備えており、制御部５０１の制御のもと、この信号読み出し部６１１によって、ＤＶＤ再生部５３１が再生状態とされ、再生された所定のコンテンツデータは、この信号読み出し部６１１を介して分離部６１２に供給される。この分離部６１２は、供給されるコンテンツデータから、付加情報ＡＩ３と、ＭＰＥＧデータＭＰＤｃとを分離して出力する。
【０３５５】
また、図２７に戻って、受信装置５００は、ＭＰＥＧデコーダより出力される赤、緑、青の色信号Ｒ，Ｇ，Ｂに対して、ＯＳＤ機能のために、文字図形などの表示を行う表示信号ＳＣＨを合成する合成部５３３を有している。この合成部５３３より出力される赤、緑、青の色信号Ｒ，Ｇ，ＢがＣＲＴやＬＣＤ等の表示素子（図示せず）に供給されることで、ＭＰＥＧデコーダ５２７に、チャネルデコーダ５２２からセレクタを介して供給されるＭＰＥＧデータＭＰＤａ、ＨＤＤ５２４から再生制御部５２６を介して供給されるＭＰＥＧデータＭＰＤｂまたはＤＶＤ再生部５３１から再生制御部５３２を介して供給されるＭＰＥＧデータＭＰＤｃによる画像が表示されることとなる。
【０３５６】
ここで、合成部５１３，５３３に供給される表示信号ＳＣＨは、上述の制御部５０１で作成され、本実施の形態においては、再生制御部５２６を介して、供給される。なお、制御部５０１から合成部５１３，５３３に、表示信号ＳＣＨが直接供給されるようにしてもよい。なお、この表示信号ＳＣＨは、表示素子に選局される番組のチャネル番号を表示したり、予約設定時の表示をしたりする際の他、後述するように、ＨＤＤ５２４に記録されている番組表のデータに基づいて、表示素子に番組表を表示する際、あるいは後述するようにＨＤＤ５２４に記録されている番組表に存在する番組のうち、ユーザにレコメンド（推薦）すべき番組を表示する際等にも、合成部５１３，５３３に供給される。
【０３５７】
なお、上述では、ＨＤＤ５２４は、チャネルデコーダ５２２で得られる所定番組のＭＰＥＧデータを記録すると共に、記録された所定番組のＭＰＥＧデータを再生するように説明したが、このＨＤＤ５２４は、例えばデジタルチューナ部５２１で取得される、例えばデジタル放送信号に含まれる番組表のデータ、つまりＥＰＧ(Electronic Program Guide)の情報をも記録される。この番組表のデータには、数日分の番組のそれぞれにおける情報、例えば放送日時、チャネル、タイトル、出演者の人名、ジャンル、概要などの情報が含まれている。
【０３５８】
この場合、デジタルチューナ部５２１で取得された番組表のデータは、制御部５０１および記録制御部５２５を介してＨＤＤ５２４に供給されて記録される。なお、この番組表のデータは随時更新される。また、制御部５０１は、再生制御部５２６を介して、ＨＤＤ５２４に記録されている番組表のデータから所定番組の情報を検索して取得することができる。例えば、ユーザの操作により、ＨＤＤ５２４に記録される番組表のデータに基づいて録画予約が行われるとき、制御部５０１は録画予約された番組の情報を取得し、これをその番組の付加情報ＡＩ２として、記録制御部５２５を介して後述するログ記録制御部５４２に供給する。
【０３５９】
また、受信装置５００は、装脱可能な基板ベイメモリ５４１と、タイトル、人名、ジャンルの頻度分布の情報をそれぞれ作成し、この頻度分布の情報を基板ベイメモリ５４１に記録するログ記録制御部５４２とを有している。
【０３６０】
図３０は、ログ記録制御部５４２の構成を示している。すなわち、ＹＣ分離制御部５１２から供給される付加情報ＡＩ１、記録制御部５２５から供給される付加情報ＡＩ２および再生制御部５３２から供給される付加情報ＡＩ３は、それぞれ分離部６２１に供給される。分離部６２１は、供給される付加情報から、タイトル、人名、ジャンルの情報をそれぞれ分離する。
【０３６１】
分離部６２１で分離されたタイトルの情報は、頻度分布作成部６２２に供給される。この頻度分布作成部６２２には、記録再生部６２３により基板ベイメモリ５４１から読み出される、それまでのタイトルの頻度分布の情報が供給される。頻度分布作成部６２２は、基板ベイメモリ５４１から読み出されたタイトルの頻度分布の情報を、分離部６２１で分離されたタイトルの情報に対応したタイトルの頻度が増加するように修正する。このように頻度分布作成部６２２で修正されたタイトルの頻度分布の情報は、記録再生部６２３を介して基板ベイメモリ５４１に書き込まれる。これにより、基板ベイメモリ５４１内のタイトルの頻度分布の情報は修正されたタイトルの頻度分布の情報に更新される。
【０３６２】
また、分離部６２１で分離されたジャンルの情報は、頻度分布作成部６２４に供給される。この頻度分布作成部６２４には、記録再生部６２３により基板ベイメモリ５４１から読み出される、それまでのジャンルの頻度分布の情報が供給される。頻度分布作成部６２４は、基板ベイメモリ５４１から読み出されたジャンルの頻度分布の情報を、分離部６２１で分離されたジャンルの情報に対応したジャンルの頻度が増加するように修正する。このように頻度分布作成部６２４で修正されたジャンルの頻度分布の情報は、記録再生部６２３を介して基板ベイメモリ５４１に書き込まれる。これにより、基板ベイメモリ５４１内のジャンルの頻度分布の情報は、修正されたジャンルの頻度分布の情報に更新される。
【０３６３】
また、分離部６２１で分離された人名の情報は、人名切出部６２５に供給される。この人名の情報には、上述したタイトルやジャンルの情報と異なり、複数個の情報が含まれることが多い。人名切出部６２５は、分離部６２１で分離された人名の情報に含まれる個々の人名の情報を切り出して頻度分布作成部６２６に供給する。また、頻度分布作成部６２６には、記録再生部６２３により基板ベイメモリ５４１から読み出される、それまでの人名の頻度分布の情報が供給される。
【０３６４】
頻度分布作成部６２６は、基板ベイメモリ５４１から読み出された人名の頻度分布の情報を、人名切出部６２５で切り出された人名の情報に対応した人名の頻度が増加するように修正する。このように頻度分布作成部６２６で修正された人名の頻度分布の情報は、記録再生部６２３を介して基板ベイメモリ５４１に書き込まれる。これにより、基板ベイメモリ５４１内の人名の頻度分布の情報は、修正された頻度分布の情報に更新される。
【０３６５】
なお、図２７では、記録制御部５１０、再生制御部５１１、ＹＣ分離制御部５１２、合成部５１３、ＭＰＥＧデコーダ５２７および合成部５３３に対する制御ラインの図示を省略しているが、これらの動作も制御部５０１によって制御されている。
【０３６６】
次に、図２７に示す受信装置５００の動作を説明する。
【０３６７】
ユーザの操作部５０３による操作により、アナログ放送信号に含まれる所定番組を受信する場合、受信アンテナ５０４で受信される放送信号はセレクタ５０５を介してアナログチューナ部５０６に供給される。チューナ部５０６では、入力されるアナログ放送信号に対して選局処理が行われて、所定番組の中間周波信号が得られる。この所定番組の中間周波信号は復調部５０７に供給される。この復調部５０７では、中間周波信号の復調処理が行われ、所定番組の映像信号が得られる。
【０３６８】
そして、ユーザの操作部５０３による操作により、この所定番組の映像信号をＶＴＲ５０９に記録する場合、この映像信号はセレクタ５０８および記録制御部５１０を介してＶＴＲ５０９に供給されて記録される。
【０３６９】
また、ユーザの操作部５０３による操作により、この所定番組の映像信号による画像をＣＲＴやＬＣＤ等の表示素子に表示して視聴する場合、この映像信号ＳＶａはセレクタ５０８を介してＹＣ分離制御部５１２に供給される。そして、このＹＣ分離制御部５１２から出力される赤、緑、青の色信号Ｒ，Ｇ，Ｂは、合成部５１３を介して、図示しないＣＲＴやＬＣＤ等の表示素子に供給される。これにより、表示素子には受信された所定番組の映像信号ＳＶａによる画像が表示される。この場合、ＹＣ分離制御部５１２では映像信号ＳＶａから付加情報ＡＩ１が分離され、この付加情報ＡＩ１はログ記録制御部５４２に供給される。
【０３７０】
図３１のフローチャートは、この放送番組視聴時におけるＹＣ分離制御部５１２の動作を示している。ステップＳＴ１で、入力された映像信号から、付加情報ＡＩ１を分離し、この付加情報ＡＩ１をログ記録制御部５４２に供給する。そして、ステップＳＴ２で、この映像信号から輝度信号Ｙおよび搬送色信号Ｃを分離し、これらを処理して色信号Ｒ，Ｇ，Ｂを出力する。
【０３７１】
また、ユーザの操作部５０３の操作により、ＶＴＲ５０９に記録されている所定番組の映像信号を再生する場合に、ＶＴＲ５０９で再生された映像信号ＳＶｂは再生制御部５１１を介してＹＣ分離制御部５１２に供給される。これにより、表示素子には、ＶＴＲ５０９から再生された所定番組の映像信号ＳＶｂによる画像が表示される。この場合、ＹＣ分離制御部５１２では映像信号ＳＶｂから付加情報ＡＩ１が分離され、この付加情報ＡＩ１はログ記録制御部５４２に供給される。詳細説明は省略するが、このＶＴＲ再生時におけるＹＣ分離制御部５１２の動作も、上述した放送番組視聴時と同様である（図３１のフローチャート参照）。
【０３７２】
また、ユーザの操作部５０３による操作により、デジタル放送信号に含まれる所定番組を受信する場合、受信アンテナ５０４で受信される放送信号はセレクタ５０５を介してデジタルチューナ部５２１に供給される。チューナ部５２１では、入力されるデジタル放送信号に対して選局処理が行われて、所定番組のデジタル変調データが得られる。この所定番組のデジタル変調データはチャネルデコーダ５２２に供給される。このチャネルデコーダ５２２では、デジタル変調データの復調処理が行われ、所定番組のＭＰＥＧデータが得られる。
【０３７３】
このようにチャネルデコーダ５２２で得られる所定番組のＭＰＥＧデータはセレクタ５２３に供給される。このセレクタ５２３では、この所定番組のＭＰＥＧデータに付加されている付加情報ＡＩ２が分離され、この付加情報ＡＩ２は記録制御部５２５を介してログ記録制御部５４２に供給される。
【０３７４】
そして、ユーザの操作部５０３による操作により、この所定番組のＭＰＥＧデータをＨＤＤ５２４に記録する場合、このＭＰＥＧデータは、セレクタ５２３および記録制御部５２５を介してＨＤＤ５２４に供給されて記録される。
【０３７５】
また、ユーザの操作部５０３による操作により、この所定番組のＭＰＥＧデータによる画像をＣＲＴやＬＣＤ等の表示素子に表示して視聴する場合、このＭＰＥＧデータＭＰＤａはセレクタ５２３を介してＭＰＥＧデコーダ５２７に供給される。そして、このＭＰＥＧデコーダ５２７から出力される赤、緑、青の色信号Ｒ，Ｇ，Ｂは、合成部５１３を介して、図示しないＣＲＴやＬＣＤ等の表示素子に供給される。これにより、表示素子には受信された所定番組のＭＰＥＧデータＭＰＤａによる画像が表示される。
【０３７６】
また、ユーザの操作部５０３の操作により、ＨＤＤ５２４に記録されている所定番組のＭＰＥＧデータを再生する場合、ＨＤＤ５２４で再生されたＭＰＥＧデータＭＰＤｂは再生制御部５２６を介してＭＰＥＧデコーダ５２７に供給される。これにより、表示素子には、ＨＤＤ５２４から再生された所定番組のＭＰＥＧデータＭＰＤｂによる画像が表示される。
【０３７７】
また、ユーザの操作部５０３の操作により、ＨＤＤ５２４に記録されている番組表のデータに基づいて、番組表を表示素子に表示できる。この場合、制御部５０１は、例えばユーザの操作部５０３の操作によって特定されたジャンル、日時等の番組の情報を、ＨＤＤ５２４から再生制御部５２６を介して読み出し、この読み出された番組の情報を用いて、番組表を表示するための表示信号ＳＣＨを生成する。
【０３７８】
この表示信号ＳＣＨは、制御部５０１から、再生制御部５２６を介して合成部５１３，５３３に供給される。合成部５１３，５３３では、画像データとしての色信号Ｒ，Ｇ，Ｂに、この表示信号ＳＣＨが合成される。これにより、表示素子の画面上には、色信号Ｒ，Ｇ，Ｂによる画像に重ねて、番組表が表示される。ユーザは、このように表示素子に番組表が表示されている状態で、所定番組の録画予約を行うことができる。この場合、ユーザは、操作部５０３の操作によって、表示された番組表から録画予約すべき所定番組を選択することができる。
【０３７９】
制御部５０１は、このように番組表に基づいて録画予約が行われる場合、その所定番組の放送日時、チャネル、タイトル、出演者の人名、ジャンルなどの情報を、再生制御部５２６を介して、ＨＤＤ５２４から読み出し、内蔵メモリ（図示せず）に一時的に格納する。
【０３８０】
そして、制御部５０１は、チャネル、タイトル、出演者の人名、ジャンルの情報を、この所定番組の付加情報ＡＩ２として、記録制御部５２５を介してログ記録制御部５４２に供給する。また、制御部５０１は、放送日時およびチャネルの情報に基づいて、放送日時に、その所定番組が録画されるように制御する。すなわち、制御部５０１は、放送日時となるとき、アナログチューナ部５０６またはデジタルチューナ部５２１を制御してその所定番組に係るチャネルの受信状態とし、記録制御部５１０または記録制御部５２５を制御して、ＶＴＲ５０９またはＨＤＤ５２４でこの所定番組の映像信号またはＭＰＥＧデータが記録されるようにする。
【０３８１】
図３２のフローチャートは、上述した録画予約時における制御部５０１の動作を示している。ステップＳＴ１１で、番組表より所定番組の録画予約選択があったとき、ステップＳＴ１２で、再生制御部を介して、ＨＤＤ５２４から、録画予約された所定番組の放送日時、チャネル、タイトル、出演者の人名、ジャンルなどの情報を読み出し、内蔵メモリに一時的に格納する。そして、ステップＳＴ１３で、録画予約された所定番組のタイトル、出演者の人名、ジャンルなどの情報を、この所定番組の付加情報ＡＩ２として、記録制御部５２５を介して、ログ記録制御部５４２に供給する。
【０３８２】
なお、録画予約時に、上述したように録画予約すべき所定番組を、表示された番組表から選択して特定するのではなく、操作部５０３の操作で放送日時およびチャネルを直接入力することで、録画予約すべき所定番組を特定することもできる。この場合、制御部５０１は、入力された放送日時およびチャネルの情報を内蔵メモリに一時的に格納し、これらの情報を用いて、所定番組の放送日時に、その番組の録画が行われるように制御する。
【０３８３】
また、制御部５０１は、再生制御部５２６を通じて、放送日時およびチャネルの情報に基づき、当該録画予約された所定番組に対応するタイトル、出演者の人名、ジャンルの情報がＨＤＤ５２４に記録されているか否かを検索し、記録されているときには、その情報を読み出して内蔵メモリに一時的に格納する。そして、制御部５０１は、その情報を、録画予約された所定番組の付加情報ＡＩ２として、記録制御部５２５を介して、ログ記録制御部５４２に供給する。
【０３８４】
また、ユーザの操作部５０３の操作により、ＤＶＤ再生部５３１で、所定コンテンツを再生する場合、このＤＶＤ再生部５３１で再生されたＭＰＥＧデータＭＰＤｃは、再生制御部５３２を介してＭＰＥＧデコーダ５２７に供給される。これにより、表示素子には、ＤＶＤ再生部５３１で再生された所定コンテンツのＭＰＥＧデータＭＰＤｃによる画像が表示される。この場合、再生制御部５３２では、ＭＰＥＧデータに付加されている付加情報ＡＩ３が抽出され、この付加情報ＡＩ３はログ記録制御部５４２に供給される。
【０３８５】
図３３のフローチャートは、このＤＶＤ再生時における再生制御部５３２（図２９参照）の動作を示している。ステップＳＴ２１で、制御部５０１から再生を指示する制御信号が供給されるとき、ステップＳＴ２２で、信号読み出し部６１１により、ＤＶＤ再生部を５３１を再生状態として、指定されたコンテンツのデータを読み出す。
【０３８６】
そして、ステップＳＴ２３で、読み出されたデータを、分離部６１２で、ＭＰＥＧデータＭＰＤｃと付加情報ＡＩ３とに分離し、ステップＳＴ２４で、ＭＰＥＧデータＭＰＤｃをＭＰＥＧデコーダ５２７に供給し、付加情報ＡＩ３をログ記録制御部５４２に供給する。
【０３８７】
また、上述したように、ログ記録制御部５４２には、ＹＣ分離制御部５１２から付加情報ＡＩ１が供給され、記録制御部５２５から付加情報ＡＩ２が供給され、再生制御部５３２から付加情報ＡＩ３が供給される。ログ記録制御部５４２（図３０参照）は、付加情報ＡＩ１〜ＡＩ３がそれぞれ供給される毎に、タイトル、人名、ジャンルの頻度分布の情報を修正し、修正された新たな頻度分布の情報を基板ベイメモリ５４１に記憶する。
【０３８８】
図３４のフローチャートは、このログ記録制御部５４２の動作を示している。ステップＳＴ３１で、分離部６２１により、付加情報をタイトル、人名、ジャンルの情報に分離する。そして、ステップＳＴ３２で、分離された情報が人名の情報であるときは、ステップＳＴ３３で、分離された人名の情報に含まれる個々の人名の情報を切り出して、ステップＳＴ３４に進む。ステップＳＴ３２で、分離された情報が人名の情報でないときは、直ちにステップＳＴ３４に進む。
【０３８９】
ステップＳＴ３４では、タイトル、人名、ジャンルの頻度分布をそれぞれ作成する。この場合、記録再生部６２３により、基板ベイメモリ５４１から読み出された各頻度分布の情報を、分離部６２１で分離されたタイトル、人名、ジャンルの情報に対応したタイトル、人名、ジャンルの頻度が増加するように、それぞれ修正する。そして、ステップＳＴ３５で、このように修正されたそれぞれの頻度分布の情報を、記録再生部６２３により、基板ベイメモリ５４１に書き込む。これにより、基板ベイメモリ５４１内のそれぞれ頻度分布の情報は、修正された頻度分布の情報に更新される。
【０３９０】
なお、本実施の形態においては、上述したようにタイトル、人名、ジャンルの頻度分布を修正するにあたって、分離部６２１で分離されたタイトル、人名、ジャンルの情報に対応したタイトル、人名、ジャンルの増加頻度を単純に「１」とするのではなく、重み付けが行われる。この重み付けの情報は、供給ラインは図示せずも、制御部５０１からログ記録制御部５４２に供給される。
【０３９１】
まず、番組視聴時にログ記録制御部５４２に供給される付加情報に対応して、タイトル、人名、ジャンルの頻度分布を修正する際における、タイトル、人名、ジャンルの増加頻度に対する重み付けについて説明する。
【０３９２】
図３５のフローチャートは、制御部５０１における、この番組視聴時の重み付けを求める処理を示している。
【０３９３】
まず、ステップＳＴ４１で、カウント値ＮをＮ＝０に初期化する。そして、ステップＳＴ４２で、タイマをスタートし、さらにステップＳＴ４３で、フラグ＝１にする。
【０３９４】
次に、ステップＳＴ４４で、チャネル切り換えがあるか否かを判断する。チャネル切り換えがないときは、ステップＳＴ４５で、フラグ＝１で１０分以上経過したか否かを判断する。ステップＳＴ４４で、チャネルの切り換えがあるときは、ステップＳＴ４６で、タイマをストップし、ステップＳＴ４７で、カウント値Ｎをインクリメントし、その後にステップＳＴ４２に戻る。
【０３９５】
ステップＳＴ４５で、条件を満たすときは、ステップＳＴ４８で、視聴中の番組に係る付加情報によるタイトル、人名、ジャンルの増加頻度に、以下のような重み付けをする。Ｎ＝０であるときは、２．０倍の重み付けとする。一方、Ｎ≠０でないときは、（１．０＋０．５／Ｎ）倍の重み付けとする。
【０３９６】
次に、ステップＳＴ４９で、Ｎ＝０に初期化すると共に、フラグ＝０として、ステップＳＴ４４に戻り、以下上述したと同様の処理を繰り返す。
【０３９７】
このように、図３５のフローチャートで示す重み付けの処理では、チャネル切り換えがなく１０分を経過したとき、視聴中の番組に係る付加情報によるタイトル、人名、ジャンルの増加頻度に、その視聴中の番組に至るまでのチャネル切り換え回数（カウント値Ｎ）に応じた重み付けがなされる。この場合、チャネルの切り換え回数が少ないほど、大きな重み付けがなされる。これは、ユーザにとって、チャネル切り換え回数が小さいほど、重要度が高いであろうとの仮定に基づくものである。なお、重み付けの値は上述した値に限定されるものではなく、その他の算出式を用いて求めるようにしてもよい。
【０３９８】
また、録画予約時にログ記録制御部５４２に供給される付加情報に対応して、タイトル、人名、ジャンルの頻度分布を修正する際における、タイトル、人名、ジャンルの増加頻度に対する重み付けについて説明する。
【０３９９】
図３６のフローチャートは、制御部５０１における、この録画予約時の重み付けを求める動作を示している。
【０４００】
まず、ステップＳＴ５１で、現在日時と予約日時を比較する。当日予約であるときは、ステップＳＴ５２で、録画予約された番組に係る付加情報によるタイトル、人名、ジャンルの増加頻度に対する重み付けを１．２倍とする。また、当日より前の予約であるとき（週間予約を除く）は、ステップＳＴ５３で、その重み付けを１．５倍とする。また、週間予約であるときは、ステップＳＴ５４で、その重み付けを２．０倍とする。
【０４０１】
このように、図３６のフローチャートで示す重み付けの処理では、現在日時と予約日時との関係に応じた重み付けがなされる。この場合、当日より前の予約、あるいは週間予約の方が、当日予約より、大きな重み付けがなされる。これは、ユーザにとって、当日より前の予約、あるいは週間予約に係る番組の方が、当日予約の番組より重要度が高いであろうとの仮定に基づくものである。なお、重み付けの値は上述した値に限定されるものではなく、その他の値としてもよい。
【０４０２】
また、ＤＶＤ再生時にログ記録制御部５４２に供給される付加情報に対応して、タイトル、人名、ジャンルの頻度分布を修正する際における、タイトル、人名、ジャンルの増加頻度に対する重み付けについて説明する。
【０４０３】
図３７のフローチャートは、制御部５０１における、ＤＶＤ再生部５３１で所定コンテンツが再生される際（ＤＶＤ再生時）の重み付けを求める処理を示している。
【０４０４】
まず、ステップＳＴ６１で、早送りの状態にあるか否かを判断する。早送りの状態にあるときは、ステップＳＴ６２で、タイマをスタートし、早送りの状態にある時間の計測を開始する。そして、ステップＳＴ６３で、早送りの状態を終了して再生状態に戻ったか否かを判断する。再生状態に戻ったときは、ステップＳＴ６４で、タイマで計測された早送りの状態にある時間を、図示しない内蔵メモリに格納し、その後にステップＳＴ６５に進む。上述したステップＳＴ６１で、早送りの状態になく、再生状態にあるときは、直ちにステップＳＴ６５に進む。
【０４０５】
ステップＳＴ６５では、巻き戻しの状態にあるか否かを判断する。巻き戻しの状態にあるときは、ステップＳＴ６６で、タイマをスタートし、巻き戻しの状態にある時間の計測を開始する。そして、ステップＳＴ６７で、巻き戻しの状態を終了して再生状態に戻ったか否かを判断する。再生状態に戻ったときは、ステップＳＴ６８で、タイマで計測された巻き戻しの状態にある時間を、図示しない内蔵メモリに格納し、その後にステップＳＴ６９に進む。上述したステップＳＴ６５で、巻き戻しの状態になく、再生状態にあるときは、直ちにステップＳＴ６９に進む。
【０４０６】
ステップＳＴ６９では、再生停止であるか否かを判断する。再生停止でないときは、ステップＳＴ６１に戻り、上述したと同様の処理を繰り返す。一方、再生停止であるときは、ステップＳＴ７０で、再生されている所定コンテンツの再生停止位置（タイプスタンプ）を読み出し、ステップＳＴ７１で、以下のような重み付けをする。
【０４０７】
すなわち、再生されている所定コンテンツの記録時間と、タイプスタンプと、早送りの状態にあった総時間（早送り時間）と、巻き戻しの状態にあった総時間（巻き戻し時間）とを用いて、［１．０＋（タイプスタンプ／記録時間）−早送り時間／記録時間＋巻き戻し時間／記録時間］倍の重み付けとする。
【０４０８】
このように、図３７のフローチャートで示す重み付けの処理では、再生時における早送り時間や巻き戻し時間に応じた重み付けがなされる。この場合、早送り時間が短いほど、また巻き戻し時間が長いほど、大きな重み付けがなされる。これは、ユーザにとって、早送り時間が短いほど、また巻き戻し時間が長いほど、重要度が高いであろうとの仮定に基づくものである。なお、重み付けの値は上述した値に限定されるものではなく、その他の算出式を用いて求めるようにしてもよい。
【０４０９】
また、図２７に示す受信装置５００においては、上述したように基板ベイメモリ５４１に格納されたタイトル、人名、ジャンルの頻度分布の情報を利用して、ユーザの好みの番組を自動録画する機能を持っている。この自動録画機能は、自動録画設定の動作と、自動録画実行の動作とからなっている。
【０４１０】
図３８のフローチャートは、制御部５０１における、自動録画設定の動作を示している。この自動録画設定の動作は、ユーザの操作部５０３による操作によって開始させることができ、また終了させることができる。
【０４１１】
ステップＳＴ８１で、自動録画設定時刻になったか否かを判断する。この自動録画設定時刻は、例えばユーザによって、一日のうちの所定の時刻に予め設定される。そして、自動録画設定時刻となると、ステップＳＴ８２で、再生制御部５２６を介して、基板ベイメモリ５４１に格納されているタイトル、人名、ジャンルの頻度分布の情報から、タイトル、人名、ジャンルのそれぞれにおける最大頻度の項目内容を抽出する。
【０４１２】
次に、ステップＳＴ８３で、再生制御部５２６を介して、上述の抽出されたタイトル、人名、ジャンルの項目内容にマッチングした番組を、ＨＤＤ５２４に格納されている番組表のデータから検索する。ここで、マッチングした番組とは、タイトル、人名、ジャンルの項目内容の全てを満たす番組だけでなく、その一部のみを満たす番組も含めることができる。そして、ステップＳＴ８４で、タイマ部５０２のメモリに、検索された番組の情報を書き込む。
【０４１３】
なお、ステップＳＴ８３で、抽出されたタイトル、人名、ジャンルの項目内容にマッチングした番組を検索できなかったときは、ステップＳＴ８４で、タイマ部５０２のメモリに、番組の情報が書き込まれることはない。
【０４１４】
図３９は、基板ベイメモリ５４１に格納されているタイトル、人名、ジャンルの頻度分布の情報の一例を示したものである。この例の場合、ジャンルの最大頻度の項目内容は「音楽」であり、人名の最大頻度の項目内容は「うただ○○」であり、タイトルの最大頻度の項目内容は「△ミュージック」である。
【０４１５】
したがって、上述のステップＳＴ８２で抽出されるタイトル、人名、ジャンルの項目内容は、「△ミュージック」、「うただ○○」、「音楽」となる。そして、上述のステップＳＴ８３では、この抽出された項目内容にマッチングした番組が検索され、上述したステップＳＴ８４で、その検索された番組の情報がタイマ部に書き込まれる。図４０は、検索された番組の情報の一例を示しており、タイマ部５０２にはそのうち放送日時およびチャネルの情報のみ書き込まれる。
【０４１６】
なお、上述したステップＳＴ８２では、最大頻度の項目内容のみを抽出したものであるが、最大から所定順位までの頻度の項目内容を抽出するようにしてもよい。この場合、上述したステップＳＴ８３では、この最大から所定順位までの頻度の項目内容にマッチングした番組が検索されることとなる。例えば、タイトル、人名、ジャンルのそれぞれに関して、最大から所定順位までの頻度の項目内容のいずれかを含む番組をマッチングした番組とすることができる。
【０４１７】
次に、図４１のフローチャートは、制御部５０１における、自動録画実行の動作を示している。この自動録画実行の動作は、ユーザの操作部５０３による操作によって開始させることができ、また終了させることができる。
【０４１８】
ステップＳＴ９１で、タイマ部５０２に格納されている番組情報（放送日時およびチャネルの情報）に対応する番組の放送時刻となったか否かを判断する。その番組の放送時刻となったときは、ステップＳＴ９２で、アナログチューナ部５０６またはデジタルチューナ部５２１を制御してその所定番組に係るチャネルの受信状態とし、さらにステップＳＴ９３で、記録制御部５１０または記録制御部５２５を制御して、ＶＴＲ５０９またはＨＤＤ５２４でこの所定番組の映像信号またはＭＰＥＧデータを記録する。
【０４１９】
次に、ステップＳＴ９４で、ＶＴＲ５０９またはＨＤＤ５２４に、タイマ部５０２に格納されている、他の番組情報に対応する番組の内容（映像信号またはＭＰＥＧデータ）を記録し得る空き容量があるか否かを判断する。空き容量があるときは、ステップＳＴＳ９１に戻り、タイマ部５０２に格納されている他の番組情報に対応する処理に移る。一方、空き容量がないときは、自動録画実行の動作を強制的に終了する。
【０４２０】
また、図２７に示す受信装置５００においては、上述したように基板ベイメモリ５４１に格納されたタイトル、人名、ジャンルの頻度分布の情報を利用して、ユーザの好みの番組をレコメンド（推奨）する機能を持っている。
【０４２１】
図４２のフローチャートは、制御部５０１における、自動レコメンド実行の動作を示している。この自動レコメンド実行の動作は、ユーザの操作部５０３による操作によって開始させることができ、また終了させることができる。
【０４２２】
ステップＳＴ１０１で、自動レコメンド実行時刻になったか否かを判断する。この自動レコメンド実行時刻は、例えばユーザによって、一日のうちの所定の時刻に予め設定される。そして、レコメンド実行時刻になると、ステップＳＴ１０２で、再生制御部５２６を介して、基板ベイメモリ５４１に格納されているタイトル、人名、ジャンルの頻度分布の情報から、タイトル、人名、ジャンルのそれぞれにおける最大頻度の項目内容を抽出する。
【０４２３】
次に、ステップＳＴ１０３で、再生制御部５２６を介して、上述の抽出されたタイトル、人名、ジャンルの項目内容にマッチングした番組を、ＨＤＤ５２４に格納されている番組表のデータから検索し、その検索された番組の情報（図４０参照）を図示しない内蔵メモリに一時的に書き込む。ここで、マッチングした番組とは、タイトル、人名、ジャンルの項目内容の全てを満たす番組だけでなく、その一部のみを満たす番組も含めることができる。
【０４２４】
次に、ステップＳＴ１０４で、その検索された番組の情報を表示するための表示信号ＳＣＨを生成し、この表示信号ＳＣＨを再生制御部５２６を介して、合成部５１３，５３３に供給する。これにより、合成部５１３，５３３の出力が供給されるＣＲＴやＬＣＤ等の表示素子（図示せず）には、レコメンドすべき番組の情報が表示される。
【０４２５】
なお、ステップＳＴ１０３で、抽出されたタイトル、人名、ジャンルの項目内容にマッチングした番組を検索できなかったときは、ステップＳＴ１０４で、推奨すべき番組の情報を表示する表示信号ＳＣＨを生成して合成部５１３，５３３に供給することはなく、ＣＲＴやＬＣＤ等の表示素子には、レコメンドすべき番組の情報は表示されない。なおこの場合、レコメンドすべき番組がない旨を表示するための表示信号ＳＣＨを生成し、この表示信号ＳＣＨを合成部５１３，５３３に供給し、ＣＲＴやＬＣＤ等の表示素子にレコメンドすべき番組がない旨を表示するようにしてもよい。
【０４２６】
また、上述したステップＳＴ１０２では、最大頻度の項目内容のみを抽出したものであるが、最大から所定順位までの頻度の項目内容を抽出するようにしてもよい。この場合、上述したステップＳＴ１０３では、この最大から所定順位までの頻度の項目内容にマッチングした番組が検索されることとなる。例えば、タイトル、人名、ジャンルのそれぞれに関しては最大から所定順位までの頻度の項目内容のいずれかを含む番組をマッチングした番組とすることができる。
【０４２７】
また、図２７に示す受信装置５００における基板ベイメモリ５４１には、上述したようにログ記録制御部５４２により書き込まれる頻度分布の情報の他に、他の同様の受信装置における基板ベイメモリ（以下、「他基板ベイメモリ」という）に書き込まれた頻度分布の情報に基づく他の頻度分布の情報を格納することができる。
【０４２８】
図４３は、基板ベイメモリ５４１に、上述した他の頻度分布の情報を格納するために用いられる、基板ベイメモリのデータ収集装置７００を示している。
【０４２９】
このデータ収集装置７００は、基板ベイメモリ５４１からタイトル、人名、ジャンルの頻度分布の情報を読み出すデータ読み出し部７０１と、このデータ読み出し部７０１で読み出された頻度分布の情報を蓄積部７０３に書き込むデータ書き込み部７０２とを有している。この基板ベイメモリ５４１からの頻度分布の情報は、基板ベイメモリ５４１に係る基板の製造番号ｘによって管理される。
【０４３０】
基板ベイメモリ５４１は当該処理装置の記憶手段の一例を構成する。データ読み出し部７０１、データ書き込み部７０２、蓄積部７０３、データ読み出し部７０７、比較選択部７０８及びデータ書き込み部７０９は、収集手段の一例として機能する。
【０４３１】
また、データ収集装置７００は、他の基板ベイメモリ７０４ー1〜７０４ーnからタイトル、人名、ジャンルの頻度分布の情報をそれぞれ読み出すデータ読み出し部７０５-1〜７０５-nと、これらデータ読み出し部７０５-1〜７０５-nで読み出された頻度分布の情報をそれぞれ蓄積部７０３に書き込むデータ書き込み部７０６-1〜７０６-nとを有している。これら他の基板ベイメモリ７０４ー1〜７０４ーnからの頻度分布の情報は、これら他の基板ベイメモリ７０４ー1〜７０４ーnに係る基板の製造番号ｙ1〜ｙnによって管理される。
【０４３２】
また、データ収集装置７００は、蓄積部７０３に書き込まれている製造番号ｘの頻度分布の情報Ｄｘを繰り返し読み出し、後述する比較選択部７０８に供給すると共に、また各回の製造番号ｘの頻度分布の情報Ｄｘの読み出しに対応して、蓄積部７０３に書き込まれている製造番号ｙ1〜ｙnの頻度分布の情報Ｄｙ1〜Ｄｙnを順次読み出し、後述する比較選択部７０８に供給するデータ読み出し部７０７を有している。
【０４３３】
また、データ収集装置７００は、データ読み出し部７０７から供給される製造番号ｙ1〜ｙnの頻度分布の情報Ｄｙ1〜Ｄｙnのそれぞれに対して、データ読み出し部７０７から供給される製造番号ｘの頻度分布の情報Ｄｘとのマッチ度を演算し、製造番号ｙ1〜ｙnの頻度分布の情報Ｄｙ1〜Ｄｙnのうち最大のマッチ度が得られる頻度分布の情報を取得する比較選択部７０８と、この比較選択部７０８で取得された頻度分布の情報を、他の頻度分布の情報として、基板ベイメモリ５４１に書き込むデータ書き込み部７０９とを有している。
【０４３４】
図４４は、比較選択部７０８の構成を示している。この比較選択部７０８は、製造番号ｙ1〜ｙnの頻度分布の情報Ｄｙ1〜Ｄｙnのそれぞれに対して、それぞれ製造番号ｘの頻度分布の情報Ｄｘとのマッチ度を演算するマッチ度演算部７１１を有している。
【０４３５】
このマッチ度演算部７１１では、タイトル、人名、ジャンルのそれぞれ頻度分布の情報のマッチ度が個別に演算され、その後に加算されて最終的なマッチ度とされる。ここで、マッチ度は、マッチ度を演算すべき各々の頻度分布の情報をそれぞれ頻度の最大値と最小値で正規化し、その後に相関演算を行うことで求められる。
【０４３６】
例えばジャンルの頻度分布の情報のマッチ度を求める場合、項目内容Ｋ１，Ｋ２，Ｋ３，Ｋ４，Ｋ５における正規化後の頻度が、一方の頻度分布の情報ではａ1，ａ2，ａ3，ａ4，ａ5であり、他方の頻度分布の情報ではｂ1，ｂ2，ｂ3，ｂ4，ｂ5であるとすると、マッチ度ＭＣＨは、ＭＣＨ＝ａ1・ｂ1＋ａ2・ｂ2＋ａ3・ｂ3＋ａ4・ｂ4＋ａ5・ｂ5と求められる。タイトルや人名の頻度分布のマッチ度を求める場合も同様である。
【０４３７】
また、比較選択部７０８は、マッチ度演算部７１１で演算されるマッチ度が順次供給され、最大マッチ度を記憶しておく、マッチ度比較部７１２を有している。この場合、マッチ度比較部７１２には、製造番号ｙ1〜ｙnの頻度分布の情報Ｄｙ1〜Ｄｙnのそれぞれに対して演算されたマッチ度が順次供給される。マッチ度比較部７１２は、最初に供給されるマッチ度はそのまま最大マッチ度として記憶するが、その後に入力されるマッチ度に関しては、記憶されている最大マッチ度と比較し、最大マッチ度より大きいときのみ最大マッチ度として記憶する。
【０４３８】
これにより、マッチ度比較部７１２には、最終的に、製造番号ｙ1〜ｙnの頻度分布の情報Ｄｙ1〜Ｄｙnのそれぞれに対して演算されたマッチ度のうち、最大のマッチ度が記憶された状態となる。
【０４３９】
また、比較選択部７０８は、マッチ度比較部７１２が入力されたマッチ度を最大マッチ度として記憶する毎に、そのマッチ度に対応する頻度分布の情報を、記憶部７１４に上書きする更新部７１３を有している。これにより、記憶部７１４には、最終的に、製造番号ｙ1〜ｙnの頻度分布の情報Ｄｙ1〜Ｄｙnのうち、最大のマッチ度が得られる頻度分布の情報が記憶された状態となる。この記憶部７１４に最終的に記憶されている頻度分布の情報が、データ書き込み部７０９（図４３参照）により、他の頻度分布の情報として、基板ベイメモリ５４１に書き込まれることとなる。
【０４４０】
図４３に示すデータ収集装置７００の動作を説明する。
【０４４１】
基板ベイメモリ５４１からデータ読み出し部７０１により製造番号ｘの頻度分布の情報Ｄｘが読み出され、この情報Ｄｘはデータ書き込み部７０２により蓄積部７０３に書き込まれる。また、他の基板ベイメモリ７０４-1〜７０４-nからデータ読み出し部７０５-1〜７０５-nにより製造番号ｙ1〜ｙnの頻度分布の情報Ｄｙ1〜Ｄｙnが読み出され、この情報Ｄｙ1〜Ｄｙnはデータ書き込み部７０６-1〜７０６-nにより蓄積部７０３に書き込まれる。
【０４４２】
蓄積部７０３に書き込まれた製造番号ｘの頻度分布の情報Ｄｘは、データ読み出し部７０７により繰り返し読み出されて比較選択部７０８に供給される。また、蓄積部７０３に書き込まれた製造番号ｙ1〜ｙnの頻度分布の情報Ｄｙ1〜Ｄｙnは、各回の上述の製造番号ｘの情報Ｄｘの読み出しに対応して、データ読み出し部７０７により順次読み出されて比較選択部７０８に供給される。
【０４４３】
比較選択部７０８では、データ読み出し部７０７から供給される製造番号ｙ1〜ｙnの頻度分布の情報Ｄｙ1〜Ｄｙnのそれぞれに対して、データ読み出し部７０７から供給される製造番号ｘの頻度分布の情報Ｄｘとのマッチ度が演算され、製造番号ｙ1〜ｙnの頻度分布の情報Ｄｙ1〜Ｄｙnのうち最大のマッチ度が得られる頻度分布の情報（以下、「製造番号ｙの頻度分布の情報Ｄｙ」とする）が取得される。
【０４４４】
そして、比較選択部７０８で取得された製造番号ｙの頻度分布の情報Ｄｙは、データ書き込み部７０９により、基板ベイメモリ５４１に書き込まれる。したがって、基板ベイメモリ５４１には、製造番号ｘの頻度分布の情報Ｄｘと共に、製造番号ｙの頻度分布の情報Ｄｙが格納された状態となる。
【０４４５】
なお、データ収集装置７００では、上述したように既に製造番号ｘの頻度分布の情報Ｄｘが格納されている基板ベイメモリ５４１に、製造番号ｙの頻度分布の情報Ｄｙを書き込むものであったが、他の基板ベイメモリに、製造番号ｘ，ｙの頻度分布の情報Ｄｘ，Ｄｙを書き込み、これを基板ベイメモリ５４１として使用してもよい。
【０４４６】
また、図２７に示す受信装置５００においては、上述したように基板ベイメモリ５４１に、製造番号ｘの頻度分布の情報Ｄｘの他に、さらに製造番号ｙの頻度分布の情報Ｄｙが格納されている場合、上述した自動録画機能に係る自動録画設定および自動録画実行の動作は以下のようになる。
【０４４７】
図４５のフローチャートは、制御部５０１における、自動録画設定の動作を示している。この自動録画設定の動作は、ユーザの操作部５０３による操作によって開始させることができ、また終了させることができる。
【０４４８】
ステップＳＴ１１１で、自動録画設定時刻になったか否かを判断する。この自動録画設定時刻は、例えばユーザによって、一日のうちの所定の時刻に予め設定される。そして、自動録画設定時刻となると、ステップＳＴ１１２で、再生制御部５２６を介して、基板メモリ５４１に格納されている製造番号ｘのタイトル、人名、ジャンルの頻度分布の情報Ｄｘから、タイトル、人名、ジャンルのそれぞれにおける最大頻度の項目内容Ｔｘを抽出する。
【０４４９】
さらに、このステップＳＴ１１２で、基板メモリ５４１に格納されている製造番号ｙのタイトル、人名、ジャンルの頻度分布の情報Ｄｙから、上述の製造番号ｘのタイトル、人名、ジャンルの頻度分布の情報Ｄｘにない項目内容のうち、タイトル、人名、ジャンルのそれぞれにおける最大頻度の項目内容Ｔｙを抽出する。
【０４５０】
図４６は、項目内容Ｔｙの選択範囲を示す図である。すなわち、楕円Ｃｘは頻度分布の情報Ｄｘに含まれる項目内容の範囲を示しており、楕円Ｃｙは頻度分布Ｄｙに含まれる項目内容の範囲を示している。上述の項目内容Ｔｙは、頻度分布の情報Ｄｙのみに含まれる項目内容の範囲（クロスハッチングされた部分）から抽出される。
【０４５１】
次に、ステップＳＴ１１３で、再生制御部５２６を介して、上述の抽出されたタイトル、人名、ジャンルの項目内容Ｔｘ，Ｔｙにそれぞれマッチングした番組を、ＨＤＤ５２４に格納されている番組表のデータから検索する。ここで、マッチングした番組とは、タイトル、人名、ジャンルの項目内容の全てを満たす番組だけでなく、その一部のみを満たす番組も含めることができる。そして、ステップＳＴ１１４で、タイマ部５０２のメモリに、検索された番組の情報（放送日時、チャネルの情報）を書き込む。
【０４５２】
なお、ステップＳＴ１１３で、抽出されたタイトル、人名、ジャンルの項目内容にマッチングした番組を検索できなかったときは、ステップＳＴ１１４で、タイマ部５０２のメモリに、番組の情報が書き込まれることはない。また、上述したステップＳＴ１１２では、最大頻度の項目内容Ｔｘ，Ｔｙのみを抽出したものであるが、最大から所定順位までの頻度の項目内容を抽出するようにしてもよい。この場合、上述したステップＳＴ１１３では、この最大から所定順位までの頻度の項目内容にマッチングした番組が検索されることとなる。例えば、タイトル、人名、ジャンルのそれぞれに関して、最大から所定順位までの頻度の項目内容のいずれかを含む番組をマッチングした番組とすることができる。
【０４５３】
次に、図４７のフローチャートは、制御部５０１における、自動録画実行の動作を示している。この自動録画実行の動作は、ユーザの操作部５０３による操作によって開始させることができ、また終了させることができる。
【０４５４】
ステップＳＴ１２１で、タイマ部５０２に格納されている番組情報（放送日時およびチャネルの情報）に対応する番組の放送時刻となったか否かを判断する。その番組の放送時刻となったときは、ステップＳＴ１２２で、アナログチューナ部５０６またはデジタルチューナ部５２１を制御してその所定番組に係るチャネルの受信状態とし、さらにステップＳＴ１２３で、記録制御部５１０または記録制御部５２５を制御して、ＶＴＲ５０９またはＨＤＤ５２４でこの所定番組の映像信号またはＭＰＥＧデータを記録する。
【０４５５】
なお、ＶＴＲ５０９またはＨＤＤ５２４で所定番組の映像信号またはＭＰＥＧデータを記録する場合に、その所定番組の映像信号またはＭＰＥＧデータに関連づけて製造番号を同時に記録する。すなわち、所定番組が上述の項目内容Ｔｘにマッチングした番組である場合には製造番号ｘを記録し、一方所定番組が上述の項目内容Ｔｙにマッチングした番組である場合には製造番号ｙを記録する。この場合、ＶＴＲ５０９で所定番組の映像信号を記録する場合には、例えばＶＴＲ５０９本体に設けられたメモリあるいはテープカセットに設けられたメモリなどに、その所定番組の記録に関連づけて製造番号の情報を記録することが考えられる。一方、ＨＤＤ５２４で所定番組のＭＰＥＧデータを記録する場合には、そのＭＰＥＧデータに付加して製造番号の情報を記録することが考えられる。
【０４５６】
次に、ステップＳＴ１２４で、ＶＴＲ５０９またはＨＤＤ５２４に、タイマ部５０２に格納されている、他の番組情報に対応する番組の内容（映像信号またはＭＰＥＧデータ）を記録し得る空き容量があるか否かを判断する。空き容量があるときは、ステップＳＴＳ１２１に戻り、タイマ部５０２に格納されている他の番組情報に対応する処理に移る。一方、空き容量がないときは、自動録画実行の動作を強制的に終了する。
【０４５７】
また、図２７に示す受信装置５００においては、上述したようにＶＴＲ５０９またはＨＤＤ５２４から上述したように製造番号ｙが付されて記録された所定番組が再生される場合、基板ベイメモリ５４１に格納されている製造番号ｘの頻度分布の情報Ｄｘと製造番号ｙの頻度分布の情報Ｄｙとのマージ（合併）が行われる。
【０４５８】
図４８のフローチャートは、制御部５０１における、再生時のマージ制御動作を示している。
【０４５９】
ステップＳＴ１３１で、再生された番組が製造番号ｙが付されたものであるか否かを判断する。制御部５０１は、再生された番組に対応する製造番号の情報を、再生制御部５１１，５２６を介して得ることができる。再生された番組に製造番号ｙが付されていない場合は、マージをすることなく、マージ制御動作を終了する。
【０４６０】
一方、再生された番組に製造番号ｙが付されている場合は、ステップＳＴ１３２で、記録制御部５２５を介して基板ベイメモリ５４１を制御し、製造番号ｘの頻度分布の情報Ｄｘと製造番号ｙの頻度分布の情報Ｄｙのそれぞれの項目内容の度数を加算してマージ（合併）を行い、新たに得られた頻度分布の情報を製造番号ｘの頻度分布の情報Ｄｘとして基板ベイメモリ５４１に書き込む。このマージにより、基板ベイメモリ５４１には、頻度分布の情報として、製造番号ｘの頻度分布の情報Ｄｘのみが格納された状態となる。
【０４６１】
このように、製造番号ｙが付された番組の再生があるとき、製造番号ｘの頻度分布の情報Ｄｘと製造番号ｙの頻度分布の情報Ｄｙとのマージを行うのは、製造番号ｙが付されて記録された番組は、製造番号ｙの頻度分布の情報Ｄｙのうち、製造番号ｘの頻度分布の情報Ｄｘにない項目内容から抽出された項目内容Ｔｙにマッチングした番組であり、他の受信装置の作成に係る製造番号ｙの頻度分布の情報Ｄｙは有効であると考えるからである。
【０４６２】
このような再生時のマージにより、基板ベイメモリ５４１にユーザの好みに対応した頻度分布の情報が格納された状態をより早く実現することができ、上述した自動録画機能、自動レコメンド機能を良好に活用できるようになる。
【０４６３】
また、図２７に示す受信装置５００においては、上述したように基板ベイメモリ５４１に、製造番号ｘの頻度分布の情報Ｄｘの他に、さらに製造番号ｙの頻度分布の情報Ｄｙが格納されている場合、上述した自動レコメンド実行の動作は以下のようになる。
【０４６４】
図４９のフローチャートは、制御部５０１における、自動レコメンド実行の動作を示している。この自動レコメンド実行の動作は、ユーザの操作部５０３による操作によって開始させることができ、また終了させることができる。
【０４６５】
ステップＳＴ１４１で、自動レコメンド実行時刻になったか否かを判断する。この自動レコメンド実行時刻は、例えばユーザによって、一日のうちの所定の時刻に予め設定される。そして、レコメンド実行時刻になると、ステップＳＴ１４２で、再生制御部５２６を介して、基板メモリ５４１に格納されている製造番号ｘのタイトル、人名、ジャンルの頻度分布の情報Ｄｘから、タイトル、人名、ジャンルのそれぞれにおける最大頻度の項目内容Ｔｘを抽出する。
【０４６６】
さらに、このステップＳＴ１４２で、基板メモリ５４１に格納されている製造番号ｙのタイトル、人名、ジャンルの頻度分布の情報Ｄｙから、上述の製造番号ｘのタイトル、人名、ジャンルの頻度分布の情報Ｄｘにない項目内容のうち、タイトル、人名、ジャンルのそれぞれにおける最大頻度の項目内容Ｔｙを抽出する。
【０４６７】
次に、ステップＳＴ１４３で、再生制御部５２６を介して、上述の抽出されたタイトル、人名、ジャンルの項目内容Ｔｘ，Ｔｙにそれぞれマッチングした番組を、ＨＤＤ５２４に格納されている番組表のデータから検索し、その検索された番組の情報（図４０参照）を図示しない内蔵メモリに一時的に記憶する。ここで、マッチングした番組とは、タイトル、人名、ジャンルの項目内容の全てを満たす番組だけでなく、その一部のみを満たす番組も含めることができる。
【０４６８】
なお、内蔵メモリに番組の情報を記憶する場合に、その番組の情報に関連づけて製造番号を同時に記憶する。すなわち、番組が上述の項目内容Ｔｘにマッチングした番組である場合には製造番号ｘを記憶し、一方番組が上述の項目内容Ｔｙにマッチングした番組である場合には製造番号ｙを記憶する。
【０４６９】
次に、ステップＳＴ１４４で、その検索された番組の情報を表示するための表示信号ＳＣＨを生成し、この表示信号ＳＣＨを再生制御部５２６を介して、合成部５１３，５３３に供給する。これにより、合成部５１３，５３３の出力が供給されるＣＲＴやＬＣＤ等の表示素子（図示せず）には、レコメンドすべき番組の情報が表示される。
【０４７０】
なお、ステップＳＴ１４３で、抽出されたタイトル、人名、ジャンルの項目内容にマッチングした番組を検索できなかったときは、ステップＳＴ１４４で、推奨すべき番組の情報を表示する表示信号ＳＣＨを生成して合成部５１３，５３３に供給することはなく、ＣＲＴやＬＣＤ等の表示素子には、レコメンドすべき番組の情報は表示されない。なおこの場合、レコメンドすべき番組がない旨を表示するための表示信号ＳＣＨを生成し、この表示信号ＳＣＨを合成部５１３，５３３に供給し、ＣＲＴやＬＣＤ等の表示素子にレコメンドすべき番組がない旨を表示するようにしてもよい。
【０４７１】
また、上述したステップＳＴ１４２では、最大頻度の項目内容のみを抽出したものであるが、最大から所定順位までの頻度の項目内容を抽出するようにしてもよい。この場合、上述したステップＳＴ１４３では、この最大から所定順位までの頻度の項目内容にマッチングした番組が検索されることとなる。例えば、タイトル、人名、ジャンルのそれぞれに関しては最大から所定順位までの頻度の項目内容のいずれかを含む番組をマッチングした番組とすることができる。
【０４７２】
また、図２７に示す受信装置５００においては、上述したようにＣＲＴやＬＣＤ等の表示素子に表示されたレコメンドすべき番組のうち、製造番号ｙが付された番組が録画予約される場合、基板ベイメモリ５４１に格納されている製造番号ｘの頻度分布の情報Ｄｘと製造番号ｙの頻度分布の情報Ｄｙとのマージ（合併）が行われる。
【０４７３】
図５０のフローチャートは、制御部５０１における、録画予約時のマージ制御動作を示している。
【０４７４】
ステップＳＴ１５１で、録画予約された番組が製造番号ｙが付された番組か否かを判断する。制御部５０１は、上述した図４９のフローチャートのステップＳＴ１４３で、推奨すべき番組の情報に関連づけて内蔵メモリに記憶された製造番号の情報に基づいて判断する。録画予約された番組が製造番号ｙが付されたものでない場合は、マージをすることなく、マージ制御動作を終了する。
【０４７５】
一方、録画予約された番組が製造番号ｙが付されたものである場合は、ステップＳＴ１５２で、記録制御部５２５を介して基板ベイメモリ５４１を制御し、製造番号ｘの頻度分布の情報Ｄｘと製造番号ｙの頻度分布の情報Ｄｙのそれぞれの項目内容の度数を加算してマージ（合併）を行い、新たに得られた頻度分布の情報を製造番号ｘの頻度分布の情報Ｄｘとして基板ベイメモリ５４１に書き込む。このマージにより、基板ベイメモリ５４１には、頻度分布の情報として、製造番号ｘの頻度分布の情報Ｄｘのみが格納された状態となる。
【０４７６】
このように、製造番号ｙが付された番組の録画予約があるとき、製造番号ｘの頻度分布の情報Ｄｘと製造番号ｙの頻度分布の情報Ｄｙとのマージを行うのは、製造番号ｙが付された番組は、製造番号ｙの頻度分布の情報Ｄｙのうち、製造番号ｘの頻度分布の情報Ｄｘにない項目内容から抽出された項目内容Ｔｙにマッチングした番組であり、他の受信装置の作成に係る製造番号ｙの頻度分布の情報Ｄｙは有効であると考えるからである。
【０４７７】
このような録画予約時のマージにより、上述した再生時のマージと同様に、基板ベイメモリ５４１にユーザの好みに対応した頻度分布の情報が格納された状態をより早く実現することができ、上述した自動録画機能、自動レコメンド機能を良好に活用できるようになる。
【０４７８】
なお、上述では、ＣＲＴやＬＣＤ等の表示素子に表示されたレコメンドすべき番組が録画予約される場合のマージ制御動作について述べたが、ＣＲＴやＬＣＤ等の表示素子に表示されたレコメンドすべき番組が受信予約される場合も同様のマージ制御を行うことができ、同様の効果を得ることができる。
【０４７９】
なお、上述したデータ収集装置７００では、他の基板ベイメモリ６０４-1〜６０４-nに格納されている頻度分布の情報Ｄｙ1〜Ｄｙnのうち、基板ベイメモリ５４１に格納されている頻度分布の情報Ｄｘとのマッチ度が最大となる頻度分布の情報Ｄｙを取得し、基板ベイメモリ５４１に、この頻度分布の情報Ｄｙを、頻度分布の情報Ｄｘと共に格納するものを示したが、頻度分布の情報Ｄｙ1〜Ｄｙnのうち、基板ベイメモリ５４１に格納されている頻度分布の情報Ｄｘとのマッチ度が最小となる頻度分布の情報Ｄｙを取得し、基板ベイメモリ５４１に、この頻度分布の情報Ｄｙを、頻度分布の情報Ｄｘと共に格納することも考えられる。
【０４８０】
そしてこの場合、自動録画機能（図４５、図４７のフローチャート参照）によって録画された番組が再生される際にその番組が製造番号ｙの付された番組でないとき、また自動レコメンド機能（図４９のフローチャート参照）によってＣＲＴやＬＣＤに表示されている番組から受信予約された番組または録画予約された番組が製造番号ｙの付された番組でないとき、基板ベイメモリ５４１に格納されている製造番号ｘの頻度分布の情報Ｄｘの項目内容から、製造番号ｙの頻度分布の情報Ｄｙに含まれる項目内容を除去して新たな頻度分布の情報を得、この新たに得られた頻度分布の情報のみを、製造番号ｘの頻度分布の情報Ｄｘとして基板ベイメモリ５４１に書き込むことができる。
【０４８１】
このように、製造番号ｙが付された番組の再生でないとき、製造番号ｙが付された番組の録画予約あるいは受信予約でないとき、基板ベイメモリ５４１に格納されている製造番号ｘの頻度分布の情報Ｄｘの項目内容から、製造番号ｙの頻度分布の情報Ｄｙに含まれる項目内容を除去して新たな頻度分布の情報を得るのは、製造番号ｙが付された番組は、製造番号ｙの頻度分布の情報Ｄｙのうち、製造番号ｘの頻度分布の情報Ｄｘにない項目内容から抽出された項目内容Ｔｙにマッチングした番組であり、他の受信装置の作成に係る製造番号ｙの頻度分布の情報Ｄｙは有効でないと考えるからである。
【０４８２】
また、データ収集装置７００では、基板ベイメモリ５４１に格納されている頻度分布の情報Ｄｘおよび他の基板ベイメモリ７０４-1〜７０４-nに格納されている頻度分布の情報Ｄｙ1〜Ｄｙnを平均し、あるいは加算して新たな頻度分布を取得し、この新たな頻度分布の情報を、基板ベイメモリ５４１に、製造番号ｙの頻度分布の情報Ｄｙとして、製造番号ｘの頻度分布の情報Ｄｘと共に格納することも考えられる。
【０４８３】
そしてこの場合、自動録画機能（図４５、図４７のフローチャート参照）によって録画された番組が再生される際にその番組が製造番号ｙの付された番組であるとき、また自動レコメンド機能（図４９のフローチャート参照）によってＣＲＴやＬＣＤに表示されている番組から受信予約された番組または録画予約された番組が製造番号ｙの付された番組であるとき、基板ベイメモリ５４１に格納されている製造番号ｙの頻度分布の情報Ｄｙのみを、製造番号ｘの頻度分布の情報Ｄｘとして基板ベイメモリ５４１に書き込むことができる。
【０４８４】
このように、製造番号ｙが付された番組の再生であるとき、製造番号ｙが付された番組の録画予約あるいは受信予約であるとき、基板ベイメモリ５４１に格納されている製造番号ｙの頻度分布の情報Ｄｙを新たな製造番号ｘの頻度分布の情報Ｄｘとするのは、上述したように頻度分布の情報Ｄｘおよび頻度分布の情報Ｄｙ1〜Ｄｙnを平均し、あるいは加算して作成した製造番号ｙの頻度分布の情報Ｄｙは有効であると考えるからである。
【０４８５】
なお、上述したようにデータ収集装置７００で、基板ベイメモリ５４１に格納されている頻度分布の情報Ｄｘおよび他の基板ベイメモリ７０４-1〜７０４-nに格納されている頻度分布の情報Ｄｙ1〜Ｄｙnを平均し、あるいは加算して頻度分布の情報Ｄｙを得る場合に、これら情報Ｄｘ，Ｄｙ1〜Ｄｙnのそれぞれに対して、情報Ｄｘ，Ｄｙ1〜Ｄｙn情報Ｄｘとのマッチ度を演算し、この演算されたマッチ度に基づいて情報Ｄｘ，Ｄｙ1〜Ｄｙnのそれぞれに重み付けを行ってもよい。
【０４８６】
上述したように図２７に示す受信装置５００においては、ユーザの操作部５０３の操作によってアナログチューナ部５０６で受信された番組、あるいはＶＴＲ５０９で再生された番組に係る付加データＡＩ１が、ＹＣ分離制御部５１２からログ記録制御部５４２に供給される。また、ユーザの操作部５０３の操作によってデジタルチューナ部５２１で受信された番組に係る付加データＡＩ２が記録制御部５２５からログ記録制御部５４２に供給される。また、ユーザの操作部５０３の操作によって録画予約された番組に係る付加データＡＩ２が記録制御部５２５からログ記録制御部５４２に供給される。さらに、ユーザの操作部５０３の操作によってＤＶＤ再生部５３１で再生されるコンテンツに係る付加データＡＩ３が再生制御部５３２からログ記録制御部５４２に供給される。
【０４８７】
そして、ログ記録制御部５４２では、付加情報ＡＩ１〜ＡＩ３がそれぞれ供給される毎に、タイトル、人名、ジャンルの頻度分布の情報が修正され、修正された新たな頻度分布の情報が基板ベイメモリ５４１に記憶される。したがって、基板ベイメモリ５４１格納されるタイトル、人名、ジャンルの頻度分布の情報は、受信装置５００を使用するに従って、ユーザの好みを反映したものとなっていく。
【０４８８】
この場合、ユーザの操作部５０３の操作で番組を選択する際に、ユーザにとってチャネル切り換え回数が小さいほど重要度が高いであろうとの仮定に基づき、その番組の選択に至るまでのチャネルの切り換え回数が少ないほど、大きな重み付けがなされる。また、ユーザにとって当日より前の予約あるいは週間予約に係る番組の方が当日予約の番組より重要度が高いであろうとの仮定に基づき、当日より前の予約あるいは週間予約の方が当日予約より大きな重み付けがなされる。さらに、ユーザにとって早送り時間が短いほど、また巻き戻し時間が長いほど、重要度が高いであろうとの仮定に基づき、早送り時間が短いほど、また巻き戻し時間が長いほど、大きな重み付けがなされる。このように重み付けをすることで、基板ベイメモリ５４１に格納されるタイトル、人名、ジャンルの頻度分布の情報を、よりユーザの好みを反映させたものとすることができる。
【０４８９】
また、受信装置５００においては、自動録画機能を持っており、ユーザが操作部５０３の操作により自動録画機能の動作（自動録画設定の動作および自動録画実行の動作）を有効とすると、自動録画設定時刻毎に、基板ベイメモリ５４１に格納されているタイトル、人名、ジャンルの頻度分布の情報に基づいて、ＨＤＤ５２４に格納されている番組表から録画予約すべき所定番組が検索され、この所定番組の録画予約が行われ、この所定番組の放送日時に自動的に録画が行われる。
【０４９０】
この場合、録画予約すべき所定番組は、基板ベイメモリ５４１に格納されているタイトル、人名、ジャンルの頻度分布の情報に基づいて決定されるため、ユーザの好みに合ったものとなる。したがって、ユーザが操作部５０３からの放送日時、チャネル等の入力によるユーザの好みの所定番組の録画予約を忘れている場合であっても、その所定番組が自動録画される可能性がおおいにあり、ユーザにとって有効なものとなる。
【０４９１】
また、受信装置５００においては、自動レコメンド機能を持っており、ユーザが操作部５０３の操作により自動レコメンド機能の動作（自動レコメンド実行の動作）を有効とすると、自動レコメンド実行時刻毎に、基板ベイメモリ５４１に格納されているタイトル、人名、ジャンルの頻度分布の情報に基づいて、ＨＤＤ５２４に格納されている番組表からレコメンドすべき所定番組が検索され、この所定番組の情報を表示するための表示信号ＳＣＨが合成部５１３，５３３で色信号Ｒ，Ｇ，Ｂに合成される。これにより、ＣＲＴやＬＣＤ等の表示素子に、レコメンドすべき所定番組が表示される。
【０４９２】
この場合、レコメンドすべき所定番組は、基板ベイメモリ５４１に格納されているタイトル、人名、ジャンルの頻度分布の情報に基づいて決定されるため、ユーザの好みに合ったものとなる。したがって、ユーザが新聞等の番組表、あるいはＣＲＴやＬＣＤ等の表示素子に表示される番組表などで好みの所定番組をチェックできなかった場合、その所定番組をレコメンドしてくれる可能性がおおいにあり、ユーザにとって有効なものとなる。
【０４９３】
また、受信装置５００においては、基板ベイメモリ５４１に、ログ記録制御部５４２で作成された頻度分布の情報（製造番号ｘの頻度分布の情報Ｄｘ）の他に、例えば図４３に示すようなデータ収集装置７００により、他の受信装置の基板ベイメモリに格納されている頻度分布の情報を用いて作成された頻度分布の情報（製造番号ｙの頻度分布の情報Ｄｙ）を格納できる。
【０４９４】
このように格納された製造番号ｘ，ｙの頻度分布の情報Ｄｘ，Ｄｙに基づいて、自動録画予約や自動レコメンドが実行される。そして、自動録画された番組のうち再生された番組、自動レコメンドされた番組のうち録画予約や受信予約がされた番組に基づいて、情報Ｄｘ，Ｄｙが加算（パージ）されて新たな頻度分布が作成され、あるいは情報Ｄｘから情報Ｄｙに含まれる項目内容が削除されて新たな頻度分布の情報が作成され、また情報Ｄｘに代わって情報Ｄｙが新たな頻度分布として選択される。
【０４９５】
これにより、基板ベイメモリ５４１に、ユーザの好みに対応した頻度分布の情報が格納された状態をより早く実現でき、ユーザは上述した自動録画機能、自動レコメンド機能を良好に活用できるようになる。
【０４９６】
なお、図２７に示す受信装置５００においては，ＨＤＤ５２４でチャネルデコーダ５２２から出力されるＭＰＥＧデータを記録するものを示したが、この発明は、この放送データとしてのＭＰＥＧデータを復号して得られる画像データとしてのＲ，Ｇ，Ｂのデータを記録するものにも同様に適用できる。その場合、ＨＤＤ５２４からの再生データは、再生制御部５２６を介して直接合成部５３３に供給されることになる。
【０４９７】
また、図２７に示す受信装置５００においては、基板ベイメモリ５４１にタイトル、人名、ジャンルの全ての頻度分布の情報を格納しておき、それらを全て利用するものであったが、基板ベイメモリ５４１にタイトル、人名、ジャンルの一部の頻度分布の情報を格納しておき、それを利用するものであってもよい。また、基板ベイメモリ５４１に格納される頻度分布の情報は、タイトル、人名、ジャンルに係るものに限定されるものではなく、それ以外の情報、チャネル、放送日時などの頻度分布の情報を格納しておいて利用することもできる。
【０４９８】
このように、本発明によれば、少なくとも、他のコンテンツデータの受信装置の基板ベイメモリ７０４−１に格納されたパラメータに関連する情報に基づいて、コンテンツデータの処理を行うものである。従って、当該受信装置５００の基板ベイメモリ５４１にパラメータ関連情報が格納された状態をより早く実現することができ、例えば自動録画機能や自動レコメンド機能などを良好に活用できるようになる。これにより、ユーザの嗜好に合わせた処理を行えるようになる。
【産業上の利用可能性】
【０４９９】
この発明は、コンテンツデータを受信する受信装置等に適用して好適なものである。
【図面の簡単な説明】
【０５００】
【図１】実施の形態としてのテレビ受信機の構成を示すブロック図である。
【図２】５２５ｉ信号と１０５０ｉ信号の画素位置関係を示す図である。
【図３】画質を調整するためのユーザインタフェース例を示す図である。
【図４】調整画面を拡大して示した図である。
【図５】ＨＤ信号（１０５０ｉ信号）の単位画素ブロック内の４画素の中心予測タップからの位相ずれ（奇数フィールド）を示す図である。
【図６】ＨＤ信号（１０５０ｉ信号）の単位画素ブロック内の４画素の中心予測タップからの位相ずれ（偶数フィールド）を示す図である。
【図７】履歴情報記憶部の構成を示すブロック図である。
【図８】係数種データの生成方法の一例を示す図である。
【図９】係数種データ生成装置の構成例を示すブロック図である。
【図１０】解像度調整範囲の変化を説明するための図である。
【図１１】係数種データの生成方法の他の例を示す図である。
【図１２】係数種データ生成装置の他の構成例を示すブロック図である。
【図１３】ソフトウェアで実現するための画像信号処理装置の構成例を示すブロック図である。
【図１４】画像信号処理を示すフローチャートである。
【図１５】係数種データ生成処理（その１）を示すフローチャートである。
【図１６】係数種データ生成処理（その２）を示すフローチャートである。
【図１７】他の実施の形態としてのテレビ受信機の構成を示すブロック図である。
【図１８】係数データ生成装置の構成例を示すブロック図である。
【図１９】画像信号処理を示すフローチャートである。
【図２０】係数データ生成処理を示すフローチャートである。
【図２１】さらに他の実施の形態としてのテレビ受信機の構成を示すブロック図である。
【図２２】予測タップの変更を説明するための図である。
【図２３】係数種データ生成装置の構成例を示すブロック図である。
【図２４】ユーザ調整範囲を示す図である。
【図２５】他の実施の形態としてのテレビ受信機の構成を示すブロック図である。
【図２６】係数データ生成装置の構成例を示すブロック図である。
【図２７】別の実施の形態としての受信装置の構成を示すブロック図である。
【図２８】ＹＣ分離制御部の構成を示すブロック図である。
【図２９】再生制御部の構成を示すブロック図である。
【図３０】ログ記録制御部の構成を示すブロック図である。
【図３１】放送番組視聴時におけるＹＣ分離制御部の動作を説明するためのフローチャートである。
【図３２】録画予約時における制御部の動作を説明するためのフローチャートである。
【図３３】ＤＶＤ再生時における再生制御部の動作を説明するためのフローチャートである。
【図３４】ログ記録制御部の動作を説明するためのフローチャートである。
【図３５】番組視聴時の重み付けを求める処理を説明するためのフローチャートである。
【図３６】録画予約時の重み付けを求める処理を説明するためのフローチャートである。
【図３７】ＤＶＤ再生時の重み付けを求める処理を説明するためのフローチャートである。
【図３８】自動録が設定の動作を説明するためのフローチャートである。
【図３９】基板ベイメモリに格納されている頻度分布の情報の一例を示す図である。
【図４０】基板ベイメモリに格納されている頻度分布の情報に基づいて検索された番組の情報例を示す図である。
【図４１】自動録画実行の動作を説明するためのフローチャートである。
【図４２】自動レコメンド実行の動作を説明するためのフローチャートである。
【図４３】基板ベイメモリのデータ収集装置の構成を示すブロック図である。
【図４４】比較選択部の構成を示すブロック図である。
【図４５】自動録画設定の動作を説明するためのフローチャートである。
【図４６】項目内容Ｔｙの選択範囲を示す図である。
【図４７】自動録画実行の動作を説明するためのフローチャートである。
【図４８】再生時のマージ制御動作を説明するためのフローチャートである。
【図４９】自動レコメンド実行の動作を説明するためのフローチャートである。
【図５０】録画予約時のマージ制御動作を説明するためのフローチャートである。
【符号の説明】
【０５０１】
１００，１００Ａ，１００Ｂ，１００Ｃ・・・テレビ受信機、１０１・・・システムコントローラ、１０２・・・リモコン信号受信回路、１０５・・・受信アンテナ、１０６・・・チューナ、１１０，１１０Ａ，１１０Ｂ，１１０Ｃ・・・画像信号処理部、１１１・・・ディスプレイ部、１１２・・・ＯＳＤ回路、１２１・・・第１のタップ選択回路、１２２・・・第２のタップ選択回路、１２３・・・第３のタップ選択回路、１２４・・・空間クラス検出回路、１２５・・・動きクラス検出回路、１２６・・・クラス合成回路、１２７・・・推定予測演算回路、１２８・・・正規化演算回路、１２９・・・後処理回路、１３０・・・履歴情報記憶部、１３０ａ・・・度数分布メモリ、１３０ｂ・・・カウンタ、１３０ｃ・・・平均化部、１３０ｄ・・・経時変化メモリ、１３４・・・係数メモリ、１３５，１３５Ａ，１３５Ｂ，１３５Ｃ・・・情報メモリバンク、１３６・・・係数生成回路、１３７・・・正規化係数演算部、１３８・・・正規化係数メモリ、１５０，１５０′，１５０Ｂ・・・係数種データ生成装置，１５１・・・入力端子、１５２，１５２Ｂ，１５２Ｃ・・・ＳＤ信号生成回路、１５３，１５３Ｂ，１５３Ｃ・・・第１のタップ選択回路、１５４・・・第２のタップ選択回路、１５５・・・第３のタップ選択回路、１５７・・・空間クラス検出回路、１５８・・・動きクラス検出回路、１５９・・・クラス合成回路、１６０，１７１，１７３・・・正規方程式生成部、１６１，１７４・・・係数種データ決定部、１６２・・・係数種メモリ、１７２・・・係数データ決定部、１８０，１８０Ｃ・・・係数データ生成装置、２００・・・リモコン送信機、３００・・・画像信号処理装置、５００・・・受信装置、５０１・・・制御部、５０２・・・タイマ部、５０３・・・操作部、５０４・・・受信アンテナ、５０５，５０８，５２３・・・セレクタ、５０６・・・アナログチューナ部、５０７・・・復調部、５０９・・・ＶＴＲ、５１０，５２５・・・記録制御部、５１１，５２６，５３２・・・再生制御部、５１２・・・ＹＣ分離制御部、５１３，５３３・・・合成部、５２１・・・デジタルチューナ部、５２２・・・チャネルデコーダ、５２４・・・ＨＤＤ、５２７・・・ＭＰＥＧデコーダ、５３１・・・ＤＶＤ再生部、５４１・・・基板ベイメモリ、５４２・・・ログ記録制御部、７００・・・基板ベイメモリのデータ収集装置、７０１，７０５-1〜７０５-n，７０７・・・データ読み出し部、７０２，７０６-1〜７０６-n，７０９・・・データ書き込み部、７０３・・・蓄積部、７０４-1〜７０４-n・・・他の基板ベイメモリ、７０８・・・比較選択部
【図１】
0004462244.tif 000020
【図２】
0004462244.tif 000021
【図３】
0004462244.tif 000022
【図４】
0004462244.tif 000023
【図５】
0004462244.tif 000024
【図６】
0004462244.tif 000025
【図７】
0004462244.tif 000026
【図８】
0004462244.tif 000027
【図９】
0004462244.tif 000028
【図１０】
0004462244.tif 000029
【図１１】
0004462244.tif 000030
【図１２】
0004462244.tif 000031
【図１３】
0004462244.tif 000032
【図１４】
0004462244.tif 000033
【図１５】
0004462244.tif 000034
【図１６】
0004462244.tif 000035
【図１７】
0004462244.tif 000036
【図１８】
0004462244.tif 000037
【図１９】
0004462244.tif 000038
【図２０】
0004462244.tif 000039
【図２１】
0004462244.tif 000040
【図２２】
0004462244.tif 000041
【図２３】
0004462244.tif 000042
【図２４】
0004462244.tif 000043
【図２５】
0004462244.tif 000044
【図２６】
0004462244.tif 000045
【図２７】
0004462244.tif 000046
【図２８】
0004462244.tif 000047
【図２９】
0004462244.tif 000048
【図３０】
0004462244.tif 000049
【図３１】
0004462244.tif 000050
【図３２】
0004462244.tif 000051
【図３３】
0004462244.tif 000052
【図３４】
0004462244.tif 000053
【図３５】
0004462244.tif 000054
【図３６】
0004462244.tif 000055
【図３７】
0004462244.tif 000056
【図３８】
0004462244.tif 000057
【図３９】
0004462244.tif 000058
【図４０】
0004462244.tif 000059
【図４１】
0004462244.tif 000060
【図４２】
0004462244.tif 000061
【図４３】
0004462244.tif 000062
【図４４】
0004462244.tif 000063
【図４５】
0004462244.tif 000064
【図４６】
0004462244.tif 000065
【図４７】
0004462244.tif 000066
【図４８】
0004462244.tif 000067
【図４９】
0004462244.tif 000068
【図５０】
0004462244.tif 000069